(57)【要約】この発明は、情報信号に対して複数の機能ブロックを用いて一連の処理を行うものにあって、機能ブロックのバージョンアップによる機能のアップグレードを容易に行い得る情報信号処理装置等に関する。制御ブロック１１０は、共通コマンドを発行し、制御バス１１１を介して制御ブロック１２０に送る。機能ブロック１２０の制御Ｉ／Ｆ１２０は、共通コマンドが自己の機能ブロックに係る共通コマンドであるときは、この共通コマンドを機能ブロック内コマンドに変換し、それを機能部１２０ｅに供給する。機能ブロック１２０を共通コマンドに応じて、適応的に動作させることができる。所定の機能ブロックをバージョンアップして機能のアップグレードを図る場合に、共通コマンドを変化させる必要はない。【特許請求の範囲】
【請求項１】
情報信号を処理するための複数の機能ブロックと、
上記複数の機能ブロックの動作を制御する制御ブロックとを備え、
上記制御ブロック、または上記制御ブロックおよび上記複数の機能ブロックのうち所定の機能ブロックは共通コマンドを発行し、
上記複数の機能ブロックのそれぞれは、上記発行された共通コマンドに応じて適応的に動作する
ことを特徴とする情報信号処理装置。
【請求項２】
上記機能ブロックは、上記共通コマンドにより、信号経路または信号処理を変化させる
ことを特徴とする請求項１に記載の情報信号処理装置。
【請求項３】
上記制御ブロックは、
上記共通コマンドを取得するコマンド取得手段を有する
ことを特徴とする請求項１に記載の情報信号処理装置。
【請求項４】
上記コマンド取得手段は、
上記複数の機能ブロックから上記共通コマンドを取得する
ことを特徴とする請求項３に記載の情報信号処理装置。
【請求項５】
上記コマンド取得手段は、
装置の外部から上記共通コマンドを取得する
ことを特徴とする請求項３に記載の情報信号処理装置。
【請求項６】
上記制御ブロックは、
ユーザの操作に対応した第１の共通コマンドを有し、
上記第１の共通コマンドに対応した上記ユーザの操作があるとき、該第１の共通コマンドを上記複数の機能ブロックに送る
ことを特徴とする請求項１に記載の情報信号処理装置。
【請求項７】
上記制御ブロックは、
ユーザの操作に対応していない第２の共通コマンドを有し、
ユーザの操作に関連させることなく、上記第２の共通コマンドを上記複数の機能ブロックに送る
ことを特徴とする請求項１に記載の情報信号処理装置。
【請求項８】
上記共通コマンドを発行するブロックは、
所定時間おきのタイミングで、上記複数の機能ブロックに、全部の種類または一部の種類の共通コマンドの最新の値を送る
ことを特徴とする請求項１に記載の情報信号処理装置。
【請求項９】
上記共通コマンドを発行するブロックは、
上記発行された共通コマンドを受けて動作すべき機能ブロックから正常動作をしたことを示すコマンドが送信されてこないとき、
上記複数の機能ブロックに、全部の種類または一部の種類の共通コマンドの最新の値を送る
ことを特徴とする請求項１に記載の情報信号処理装置。
【請求項１０】
上記機能ブロックは、
制御部および該制御部によって制御される機能部を備え、
上記制御部は、
自己の機能ブロックに係る共通コマンドと上記機能部を制御するための機能ブロック内コマンドとの対応関係を記憶する記憶手段と、
上記制御ブロックから送られてくる共通コマンドを受信する受信手段と、
上記受信手段で受信された共通コマンドが自己の機能ブロックに係る共通コマンドであるとき、該共通コマンドを、上記記憶手段に記憶されている上記対応関係に基づいて、上記機能ブロック内コマンドに変換する変換手段とを有する
ことを特徴とする請求項１に記載の情報信号処理装置。
【請求項１１】
上記所定の機能ブロックは、上記情報信号の処理結果を含む上記共通コマンドを発行する
ことを特徴とする請求項１に記載の情報信号処理装置。
【請求項１２】
上記制御ブロックと上記複数の機能ブロックとは、制御バスを介して接続される
ことを特徴とする請求項１に記載の情報信号処理装置。
【請求項１３】
上記複数の機能ブロックはそれぞれ基板であり、
該複数の機能ブロックの一部または全部はそれぞれ筐体に設けられたスロットに挿入されることで上記制御バスに接続される
ことを特徴とする請求項１２に記載の情報信号処理装置。
【請求項１４】
情報信号を処理するための複数の機能ブロックのそれぞれに、制御ブロック、または上記制御ブロックおよび上記複数の機能ブロックのうち所定の機能ブロックから共通コマンドを送り、
上記複数の機能ブロックを、上記共通コマンドに応じて、適応的に動作させる
ことを特徴とする機能ブロック制御方法。
【請求項１５】
制御部および該制御部によって制御される機能部を備え、
上記制御部は、
自己の機能ブロックに係る共通コマンドと上記機能部を制御するための機能ブロック内コマンドとの対応関係を記憶する記憶手段と、
制御ブロックから送られてくる共通コマンドを受信する受信手段と、
上記受信手段で受信された共通コマンドが自己の機能ブロックに係る共通コマンドであるとき、該共通コマンドを、上記記憶手段に記憶されている上記対応関係に基づいて、上記機能ブロック内コマンドに変換する変換手段とを有する
ことを特徴とする機能ブロック。
【請求項１６】
上記制御ブロックおよび上記複数の機能ブロックのそれぞれはバスインタフェースを有し、
上記制御ブロックおよび上記複数の機能ブロックのそれぞれは上記バスインタフェースを用いたバスにより接続され、
上記バスインタフェースは、
受信データを格納するためのメッセージバッファと、
上記バスを介して受信された受信データを選択的に上記メッセージバッファに格納するメッセージ格納制御部とを備える
ことを特徴とする請求項１に記載の情報信号処理装置。
【請求項１７】
上記制御ブロックは、上記複数の機能ブロックに、少なくとも識別子を有してなる共通コマンドを送信し、
上記複数の機能ブロックの上記メッセージ格納制御部は、予め設定された所定の共通コマンドの識別子と、上記バスを介して受信された共通コマンドの識別子とが一致するとき、該受信された共通コマンドを上記メッセージバッファに格納する
ことを特徴とする請求項１６に記載の情報信号処理装置。
【請求項１８】
上記バスはＣＡＮバスである
ことを特徴とする請求項１６に記載の情報信号処理装置。
【発明の詳細な説明】
【技術分野】  この発明は、例えば複数の機能ブロックを用いて画像信号を処理する画像信号処理装置等に適用して好適な情報信号処理装置、機能ブロック制御方法および機能ブロックに関する。
詳しくは、この発明は、情報信号を処理するための複数の機能ブロックのそれぞれに、制御ブロックまたは所定の機能ブロックから共通コマンドを送り、この複数の機能ブロックを、共通コマンドに応じて適応的に動作させることによって、機能ブロックのバージョンアップによる機能のアップグレードを、共通コマンドを変化させることなく容易に行い得るようにした情報信号処理装置等に係るものである。
【背景技術】  従来、画像信号にノイズ除去、高画質化等の一連の処理を行って出力する画像信号処理装置において、これら一連の処理を複数の機能ブロック、例えば基板、チップ、装置等を用いて実現することが考えられている。この場合、機能ブロックの追加を行うことで、機能のアップグレードを図ることができる。機能ブロックを追加する場合に、各機能ブロックを制御するための制御ブロックは、追加された機能ブロックを制御するための制御情報を取得することが必要となる。
例えば、特開平１１−５３２８９号公報には、パーソナルコンピュータ等の情報処理装置に周辺装置を接続するとき、この周辺装置の記憶装置に格納されているドライバソフトを情報処理装置の記憶装置に自動的にインストールし、情報処理装置で周辺装置の制御を可能とする技術が記載されている。
ところで、制御ブロックが、機能ブロックを制御する際に、機能ブロックの動作を直接制御する機能ブロック内コマンドを送信するものとすると、ある機能ブロックをバージョンアップされた機能ブロックに交換して機能のアップグレードを図る場合にも、制御ブロックは、上述したように機能ブロックを追加する場合と同様に、そのバージョンアップ後の機能ブロックの制御情報を取得することが必要となる。
【発明の開示】
この発明の目的は、機能ブロックのバージョンアップによる機能のアップグレードを容易に行い得るようにすることにある。
この発明に係る情報信号処理装置は、情報信号を処理するための複数の機能ブロックと、この複数の機能ブロックの動作を制御する制御ブロックとを備え、制御ブロック、または制御ブロックおよび複数の機能ブロックのうち所定の機能ブロックは共通コマンドを発行し、複数の機能ブロックのそれぞれは、発行された共通コマンドに応じて適応的に動作するものである。
また、この発明に係る機能ブロック制御方法は、情報信号を処理するための複数の機能ブロックのそれぞれに、制御ブロック、または制御ブロックおよび複数の機能ブロックのうち所定の機能ブロックから共通コマンドを送り、この複数の機能ブロックを、共通コマンドに応じて、適応的に動作させるものである。
また、この発明に係る機能ブロックは、制御部およびこの制御部によって制御される機能部を備え、制御部は、自己の機能ブロックに係る共通コマンドと機能部を制御するための機能ブロック内コマンドとの対応関係を記憶する記憶手段と、制御ブロックから送られてくる共通コマンドを受信する受信手段と、この受信手段で受信された共通コマンドが自己の機能ブロックに係る共通コマンドであるとき、この共通コマンドを、記憶手段に記憶されている対応関係に基づいて、機能ブロック内コマンドに変換する変換手段とを有するものである。
この発明において、制御ブロックは、複数の機能ブロックの動作を制御する。例えば、制御ブロックと複数の機能ブロックとは、制御バスを介して接続されている。また例えば、複数の機能ブロックはそれぞれ基板であり、この複数の機能ブロックの一部または全部は、それぞれ筐体に設けられたスロットに挿入されることで、制御バスに接続される。
制御ブロック、または制御ブロックおよび複数の機能ブロックのうち所定の機能ブロックからは共通コマンドが発行される。例えば、共通コマンドを発行する機能ブロックからは、情報信号の処理結果を含む共通コマンドが発行される。この共通コマンドは、複数の機能ブロックに、例えば上述した制御バスを介して送られる。複数の機能ブロックのそれぞれは、共通コマンドに応じて、適応的に動作する。この場合、機能ブロックでは、共通コマンドにより、信号経路または信号処理が変化する。
機能ブロックは、例えば、制御部およびこの制御部によって制御される機能部を備えている。制御部は、自己の機能ブロックに係る共通コマンドと機能部を制御するための機能ブロック内コマンドとの対応関係を記憶する記憶手段と、制御ブロックから送られてくる共通コマンドを受信する受信手段と、この受信手段で受信された共通コマンドが自己の機能ブロックに係る共通コマンドであるとき、この共通コマンドを、記憶手段に記憶されている対応関係に基づいて、機能ブロック内コマンドに変換する変換手段とを有している。これにより、機能ブロックは、共通コマンドに応じて、適応的に動作する。
例えば、制御ブロックは、共通コマンドを、複数の機能ブロックから取得する。また例えば、制御ブロックは、リムーバブルな記憶媒体をもって、あるいはインターネット等の所定のネットを介して、さらにはデジタル放送等の放送信号から、共通コマンドを取得する。これにより、新たな機能ブロックが追加され、当該新たな機能ブロックに対応した共通コマンドが新たに必要となる場合であっても、容易に対処できる。
例えば、制御ブロックは、ユーザの操作に対応した第１の共通コマンドを有している場合、第１の共通コマンドに対応したユーザの操作があるとき、第１の共通コマンドを複数の機能ブロックに送る。これにより、複数の機能ブロックは、ユーザの操作に対応して動作する。また例えば、制御ブロックは、ユーザの操作に対応していない第２の共通コマンドを有している場合、ユーザの操作に関連させることなく、第２の共通コマンドを複数の機能ブロックに送る。これにより、複数の機能ブロックは、ユーザの操作に関連せずに、第２の共通コマンドに対応した動作をする。
例えば、共通コマンドを発行するブロック（制御ブロックまたは機能ブロック）は、所定時間おきのタイミングで、複数の機能ブロックに、全部の種類または一部の種類の共通コマンドの最新の値を送る。これにより、ある機能ブロックで自己の機能ブロックに係る共通コマンドを何らかの原因で受信できなかった場合であっても、所定時間後にその共通コマンドの受信が可能となり、例えば２個の機能ブロックが連係して動作する場合に、片方の機能ブロックが共通コマンドを受信できなかったことによる連係のずれを、修正できる。
なおこの場合、共通コマンドを受信する機能ブロックが共通コマンドを受けて正常動作したことを示すコマンドを共通コマンドの送信側のブロック（制御ブロックまたは機能ブロック）に返すようにし、受信側の機能ブロックから送信側のブロックにそのようなコマンドが返されなかった場合に、送信側のブロックは再度全部の種類または一部の種類の共通コマンドの最新の値を送るようにしてもよい。
上述したように、複数の機能ブロックは、制御ブロック、または制御ブロックおよび所定の機能ブロックから発行される共通コマンドに応じて、適応的に動作する。したがって、この発明によれば、所定の機能ブロックをバージョンアップして機能のアップグレードを図る場合に、共通コマンドを変化させる必要はなく、容易に行うことができる。
つまりこの場合、この所定の機能ブロックの記憶手段に記憶されている共通コマンドと機能ブロック内コマンドとの対応関係がバージョンアップに対応したものとなっており、バージョンアップされた機能部を制御するための機能ブロック内コマンドが得られるようになっていればよい。
また、所定の機能ブロックが情報信号の処理結果を含む共通コマンドを発行することで、他の複数の機能ブロックは、この共通コマンドに含まれる処理結果を容易に利用できる。
例えば、制御ブロックおよび複数の機能ブロックのそれぞれはバスインタフェースを有し、制御ブロックおよび複数の機能ブロックのそれぞれはバスインタフェースを用いたバスにより接続される。そして、バスインタフェースは、受信データを格納するためのメッセージバッファと、バスを介して受信された受信データを選択的にメッセージバッファに格納するメッセージ格納制御部とを備える。例えば、バスはＣＡＮ（Ｃｏｎｔｒｏｌｌｅｒ  Ａｒｅａ  Ｎｅｔｗｏｒｋ）バスである。
例えば、制御ブロックから複数の機能ブロックには、少なくとも識別子を有してなる共通コマンドが送信される。複数の機能ブロックのメッセージ格納制御部は、予め設定された所定の共通コマンドの識別子（識別子の全体ではなく一部の場合も含む）と、バスを介して受信された共通コマンドの識別子とが一致するとき、受信された共通コマンドをメッセージバッファに格納する。
この場合、複数の機能ブロックでは、バスインタフェースで、バスを介して受信された共通コマンドが自己の機能ブロックに係る共通コマンドであるとき、当該共通コマンドをメッセージバッファに格納することがハードウェア的に行われる。そのため、機能ブロック内の制御マイコン（ＣＰＵ）では受信された共通コマンドの取捨選択を行う必要がなく、当該制御マイコンの負荷を大幅に軽減できる。
【図面の簡単な説明】  図１は、第１の実施の形態としての画像信号処理装置の構成を示すブロック図である。
図２は、機能ブロックの基本構成を示すブロック図である。
図３は、機能ブロック内の制御インタフェース（制御Ｉ／Ｆ）の構成を示すブロック図である。
図４は、システム制御ブロックの機能ブロックに対する制御構造を説明するための図である。
図５は、共通コマンドと機能ブロック内コマンドとの対応を示す図である。
図６は、システム制御ブロックの制御動作を示すフローチャートである。
図７は、ズーム倍率、ズーム位置の変更時におけるＤＲＣ回路、子画面ＯＳＤ回路の動作を説明するための図である。
図８は、ＤＲＣズーム処理がオン状態における画像表示例を示す図である。
図９は、画像信号処理装置の基本構成の接続状態を示す図である。
図１０は、基本構成にデジタル地上波チューナを追加した場合の接続状態を示す図である。
図１１は、基本構成にパネル用処理回路を追加した場合の接続状態を示す図である。
図１２は、基本構成にノイズ除去回路およびパネル用処理回路を追加した場合の接続状態を示す図である。
図１３は、基本構成に、複数の機能ブロックを追加した場合の接続状態を示す図である。
図１４Ａは、ＤＲＣ回路のバージョンアップ前の構成を説明するための図である。
図１４Ｂは、ＤＲＣ回路のバージョンアップ後の構成を説明するための図である。
図１５は、機能ブロック（ＤＲＣ回路）のバージョンアップに伴う機能ブロック内コマンドの変化を示す図である。
図１６は、第２の実施の形態としての画像信号処理装置の構成を示すブロック図である。
図１７は、入力セレクタの構成を示すブロック図である。
図１８は、入力セレクタの制御インタフェース（制御Ｉ／Ｆ）の構成を示すブロック図である。
図１９は、入力セレクタにおける共通コマンドＩｎｐｕｔＮｏｉｓｅ（ｘ）の発行動作を示すフローチャートである。
図２０は、共通コマンドＩｎｐｕｔＮｏｉｓｅ（ｘ）に係る機能ブロックにおける機能ブロック内コマンドの対応を示す図である。
図２１は、ＤＲＣ回路の制御インタフェースの共通コマンドＩｎｐｕｔＮｏｉｓｅ（ｘ）受信時における動作を示すフローチャートである。
図２２は、信号ルータの制御インタフェースの共通コマンドＩｎｐｕｔＮｏｉｓｅ（ｘ）受信時における動作を示すフローチャートである。
図２３は、画像信号処理装置の基本構成の接続状態を示す図である。
図２４は、基本構成にノイズ除去回路およびパネル用処理回路を追加した場合であって、ノイズレベルｘが所定レベルｃより大きい場合の接続状態を示す図である。
図２５は、基本構成にノイズ除去回路およびパネル用処理回路を追加した場合であって、ノイズレベルｘが所定レベルｃ以下の場合の接続状態を示す図である。
図２６は、第３の実施の形態としての画像信号処理装置の構成を示すブロック図である。
図２７は、システム制御ブロックの構成を示すブロック図である。
図２８Ａは、通信データのフォーマットを説明するための図である。
図２８Ｂは、通信データが共通コマンドである場合における識別子（ＩＤ）の内容を説明するための図である。
図２９は、共通コマンドと機能ブロック内コマンドとの対応を示す図である（ＤＲＣ回路はズーム機能なし）。
図３０は、共通コマンドと機能ブロック内コマンドとの対応を示す図である（ＤＲＣ回路はズーム機能あり）。
図３１は、機能ブロックの構成を示すブロック図である。
図３２は、ＣＡＮバスＩ／Ｆの概略的構成を示すブロック図である。
図３３Ａは、システム制御ブロックの制御Ｉ／Ｆの動作フロー（起動時）を示すフローチャートである。
図３３Ｂは、各機能ブロックの制御Ｉ／Ｆの動作フロー（起動時）を示すフローチャートである。
図３４は、各機能ブロックの制御Ｉ／Ｆの動作フロー（通常動作時）を示すフローチャートである。
図３５Ａは、システム制御ブロックの制御Ｉ／Ｆの動作フロー（システム終了時）を示すフローチャートである。
図３５Ｂは、各機能ブロックの制御Ｉ／Ｆの動作フロー（システム終了時）を示すフローチャートである。
【発明を実施するための最良の形態】  この発明の第１の実施の形態について説明する。図１は、第１の実施の形態としての画像信号処理装置１００の構成を示している。
この処理装置１００は、筐体１０１を有している。筐体１０１には、コネクタ１０２ａ〜１０２ｃ，１０３が設けられている。コネクタ１０２ａは、外部ビデオ入力用のコネクタであって、図示しないＶＣＲ（Ｖｉｄｅｏ  Ｃａｓｓｅｔｔｅ  Ｒｅｃｏｒｄｅｒ）、ＤＶＤ（Ｄｉｇｉｔａｌ  Ｖｅｒｓａｔｉｌｅ  Ｄｉｓｃ）プレーヤ等で再生された、外部ビデオ入力としての画像信号を入力するためのコネクタである。コネクタ１０２ｂは、デジタル地上波アンテナ線用のコネクタであって、図示しないデジタル地上波用アンテナで受信された放送信号を入力するためのコネクタである。コネクタ１０２ｃは、Ｕ／Ｖ（ＵＨＦ／ＶＨＦ）アンテナ線用のコネクタであって、図示しないＵ／Ｖ用アンテナで受信された放送信号を入力するためのコネクタである。コネクタ１０３は、ディスプレイに供給する画像信号を出力するためのコネクタである。
また、筐体１０１には、機能ブロックとしての基板を挿入するための複数個のスロット、本実施の形態においては、５個のスロット１０４ａ〜１０４ｅが設けられている。スロット１０４ａには、機能ブロック１としてのＵ／Ｖチューナの基板１２１（以下、単に、「Ｕ／Ｖチューナ１２１」とする）が挿入される。スロット１０４ｂには、機能ブロック６としてのデジタル地上波チューナの基板１２６（以下、単に、「デジタル地上波チューナ１２６」とする）が挿入される。
スロット１０４ｃには、機能ブロック４としての高画質化処理を行うＤＲＣ（Ｄｉｇｉｔａｌ  Ｒｅａｌｉｔｙ  Ｃｒｅａｔｉｏｎ）回路の基板１２４（以下、単に、「ＤＲＣ回路１２４」とする）が挿入される。スロット１０４ｄには、機能ブロック５としてのＬＣＤ（Ｌｉｑｕｉｄ  Ｃｒｙｓｔａｌ  Ｄｉｓｐｌａｙ）やＰＤＰ（Ｐｌａｓｍａ  Ｄｉｓｐｌａｙ  Ｐａｎｅｌ）等のパネル用処理回路の基板１２５（以下、単に、「パネル用処理回路１２５」とする）が挿入される。スロット１０４ｅには、機能ブロック７としてのノイズ除去回路の基板１２７（以下、単に、「ノイズ除去回路１２７」とする）が挿入される。
また、筐体１０１の内部には、例えばマイクロコンピュータを備え、装置全体の動作を制御するシステム制御ブロック１１０と、機能ブロック２としての入力セレクタの基板１２２（以下、単に、「入力セレクタ１２２」とする）と、機能ブロック３としての信号ルータ（マトリクススイッチ）の基板１２３（以下、単に、「信号ルータ１２３」とする）と、機能ブロック８としての子画面ＯＳＤ回路の基板１２８（以下、単に、「子画面ＯＳＤ回路１２８」という）とを有している。
なお、上述のマイクロコンピュータの動作プログラムは、例えばＲＯＭ（Ｒｅａｄ  Ｏｎｌｙ  Ｍｅｍｏｒｙ）等の記憶媒体によって提供される。この場合、当該記憶媒体を着脱自在とすることで、制御の変更に柔軟に対応可能となる。また、この記憶媒体を書き込み可能な不揮発性メモリとすることで、制御の変更に合わせて動作プログラムの内容を書き換えることができる。
ここで、機能ブロック１〜８の基本となる機能ブロック１２０について説明する。図２は、機能ブロック１２０の構成を示している。この機能ブロック１２０は、制御用コネクタ１２０ａ、入力用コネクタ１２０ｂおよび出力用コネクタ１２０ｃを有している。また、機能ブロック１２０は、制御部としての制御インタフェース（制御Ｉ／Ｆ）１２０ｄおよび機能部１２０ｅを有している。入力用コネクタ１２０ｂには機能部１２０ｅで処理すべき信号が入力され、この信号は入力用コネクタ１２０ｂを介して機能部１２０ｅに入力される。出力用コネクタ１２０ｃには機能部１２０ｅで処理されて出力された信号が出力される。
制御用コネクタ１２０ａは、後述する制御バス１１１に接続される。制御Ｉ／Ｆ１２０ｄは制御用コネクタ１２０ａに接続されている。制御Ｉ／Ｆ１２０ｄは、後述するように、自己の機能ブロックに係る共通コマンド（グローバルコマンド）と機能部１２０ｅを制御するための機能ブロック内コマンド（ローカルコマンド）との対応関係を記憶した記憶手段を有している。ここで、共通コマンドは、同報制御を行うためのコマンドであり、放送型コマンドと呼ぶこともある。「同報制御」とは、制御コマンドの送り手から出される１つのコマンドに関連する１または複数の受け手が反応して制御されること、を意味している。
制御Ｉ／Ｆ１２０ｄは、システム制御ブロック１１０から制御バス１１１を通じて送信されてくる共通コマンドが自己の機能ブロックに係る共通コマンドであるとき、上述した記憶手段に記憶されている対応関係に基づいて、機能部１２０ｅを制御する機能ブロック内コマンドに変換する。
図３は、制御Ｉ／Ｆ１２０ｄの構成を示している。この制御Ｉ／Ｆ１２０ｄは、制御ポート１２０ｄ−１、記憶手段としてのＲＯＭ１２０ｄ−２、および変換手段としてのインタプリタ１２０ｄ−３を有している。ＲＯＭ１２０ｄ−２には、自己の機能ブロックに係る共通コマンドと、機能部１２０ｅを制御するための機能ブロック内コマンドとの対応関係が予め記憶されている。制御ポート１２０ｄ−１は、システム制御ブロック１１０から制御バス１１１を通じて送られてくる共通コマンドを受信する。この意味で、制御ポート１２０ｄ−１は、共通コマンドの受信手段を構成している。
インタプリタ１２０ｄ−３は、制御ポート１２０ｄ−１で受信された共通コマンドが自己の機能ブロックに係る共通コマンドであるとき、この共通コマンドを、上述したようにＲＯＭ１２０ｄ−２に記憶されている対応関係に基づいて、機能ブロック内コマンドに変換し、この機能ブロック内コマンドを機能部１２０ｅに供給する。機能部１２０ｅは、この機能ブロック内コマンドに基づいて、機能、例えば信号経路または信号処理を変化させる。
この図３の制御インタフェース１２０ｄのＲＯＭ１２０ｄ−２およびインタプリタ１２０ｄ−３の部分は、受信された共通コマンドを機能ブロック内コマンドに変換する構造であり、ＣＰＵ（Ｃｅｎｔｒａｌ  Ｐｒｏｃｅｓｓｉｎｇ  Ｕｎｉｔ）とソフトウェア、あるいはハードウェアシーケンサによる変換テーブルでも実現できる。
なお、制御ポート１２０ｄ−１は、例えば電源投入時に、自己の機能ブロック１２０が処理装置１００を構成している場合、ＲＯＭ１２０ｄ−２に記憶されている共通コマンドを読み出し、制御バス１１１を通じてシステム制御ブロック１１０に送信する。これにより、システム制御ブロック１１０は、処理装置１００を構成する全ての機能ブロック１２０に係る共通コマンドを取得できる。ここで、自己の機能ブロック１２０が筐体１０１内にあるか、あるいは対応するスロットに挿入されているとき、当該自己の機能ブロック１２０は処理装置１００を構成しているものとする。
図４は、機能ブロック１２０の制御構造を示している。すなわち、システム制御ブロック１１０は、機能ブロック１２０に、制御バス１１１を介して、共通コマンドを送る。機能ブロック１２０の制御Ｉ／Ｆ１２０ｄは、送られてくる共通コマンドが自己の機能ブロックに係る共通コマンドであるときは、この共通コマンドを機能ブロック内コマンドに変換し、その機能ブロック内コマンドを機能部１２０ｅに供給する。
このように、機能ブロック１２０では、システム制御ブロック１１０から送られてくる共通コマンドが自己の機能ブロックに係る共通コマンドであるとき、それが機能部１２０ｅを制御するための機能ブロック内コマンドに変換されるものである。これにより、機能ブロック１２０を、システム制御ブロック１１０から送られてくる共通コマンドに応じて、適応的に動作させることができる。
上述した入力セレクタ１２２（機能ブロック２）、信号ルータ１２３（機能ブロック３）および子画面ＯＳＤ回路１２８（機能ブロック８）の制御用コネクタ１２０ａは、それぞれ、制御バス１１１を介してシステム制御ブロック１１０に接続される。
入力セレクタ１２２（機能ブロック２）は、３個の入力からいずれか一個を選択して出力する。したがって、この入力セレクタ１２２は、入力用コネクタ１２０ｂに３個の入力端子を備えており、出力用コネクタ１２０ｃに１個の出力端子を備えている。
また、信号ルータ１２３（機能ブロック３）は、例えば４×４のマトリックススイッチを構成している。したがって、この信号ルータ１２３は、入力用コネクタ１２０ｂに４個の入力端子を備えており、出力用コネクタ１２０ｃに４個の出力端子を備えている。
また、子画面ＯＳＤ回路１２８（機能ブロック８）は、入力セレクタ１２２および信号ルータ１２３からの画像信号を選択的に用いる。したがって、この子画面ＯＳＤ回路１２８は、入力用コネクタ１２０ｂに２個の入力端子を備えており、出力用コネクタ１２０ｃに１個の出力端子を備えている。
上述したスロット１０４ａ〜１０４ｅは、図示せずも、機能ブロック１２０（Ｕ／Ｖチューナ１２１、デジタル地上波チューナ１２６、ＤＲＣ回路１２４、パネル用処理回路１２５、ノイズ除去回路１２７）が挿入されるとき、その制御用コネクタ１２０ａ、入力用コネクタ１２０ｂおよび出力用コネクタ１２０ｃに、それぞれ接続される、制御用コネクタ、入力用コネクタおよび出力用コネクタを備えている。このスロット１０４ａ〜１０４ｅの制御用コネクタは、それぞれ制御バス１１１に接続される。これにより、スロット１０４ａ〜１０４ｅに挿入される機能ブロック１２０の制御用コネクタ１２０ａは、制御バス１１１を介してシステム制御ブロック１１０に接続される。
また、コネクタ１０２ａは入力セレクタ１２２（機能ブロック２）の入力用コネクタ１２０ｂの第３の入力端子に接続される。コネクタ１０２ｂはスロット１０４ｂの入力用コネクタに接続され、このスロット１０４ｂの出力用コネクタは入力セレクタ１２２の入力用コネクタ１２０ｂの第２の入力端子に接続される。コネクタ１０２ｃは、スロット１０４ａの入力用コネクタに接続され、このスロット１０４ａの出力用コネクタは入力セレクタ１２２の入力用コネクタ１２０ｂの第１の入力端子に接続される。また、入力セレクタ１２２の出力用コネクタ１２０ｃの１個の出力端子は、信号ルータ１２３（機能ブロック３）の入力用コネクタ１２０ｂの第１の入力端子、および子画面ＯＳＤ回路１２８（機能ブロック８）の入力用コネクタ１２０ｂの第２の入力端子に接続される。
また、信号ルータ１２３の出力用コネクタ１２０ｃの第１〜第３の出力端子はそれぞれスロット１０４ｃ〜１０４ｅの入力用コネクタに接続され、これらスロット１０４ｃ〜１０４ｅの出力用コネクタはそれぞれ信号ルータ１２３の入力用コネクタ１２０ｂの第２〜第４の入力端子に接続される。
また、信号ルータ１２３の出力用コネクタ１２０ｃの第４の出力端子は子画面ＯＳＤ回路１２８の入力用コネクタ１２０ｂの第１の入力端子に接続され、この子画面ＯＳＤ回路１２８の出力用コネクタ１２０ｃの１個の出力端子はコネクタ１０３に接続される。
図２に示す機能ブロック１２０は、上述したように、機能ブロック１〜８の基本となるものである。個々の機能ブロック１〜８について、さらに、説明する。
Ｕ／Ｖチューナ１２１（機能ブロック１）において、機能部１２０ｅは、入力用コネクタ１２０ｂから入力された、Ｕ／Ｖ用アンテナで受信された放送信号に対して選局処理等を施し、所定のチャネルの画像信号を出力用コネクタ１２０ｃに出力する。
このＵ／Ｖチューナ１２１の制御Ｉ／Ｆ１２０ｄのＲＯＭ１２０ｄ−２には、図５に示すように、チャネル番号１〜１２を意味する共通コマンドｃｈ（１）〜ｃｈ（１２）のそれぞれと、チャネル番号１〜１２のチャネルへのチャネル切替を意味する機能ブロック内コマンドｃｈ（１〜１２）とが、対応して記憶されている。
共通コマンドｃｈ（１）〜ｃｈ（１２）は、それぞれ、ユーザがリモコン送信機１１２、あるいは筐体１０１の操作部１１３を操作してチャネル番号１〜１２を選択する際に、システム制御ブロック１１０から発行されて、制御バス１１１に送出される。この場合、Ｕ／Ｖチューナ１２１の制御Ｉ／Ｆ１２０ｄのインタプリタ１２０ｄ−３では、制御ポート１２０ｄ−１でこれらの共通コマンドｃｈ（１）〜ｃｈ（１２）が受信されるとき、ＲＯＭ１２０ｄ−２に記憶されている対応関係に基づいて、これらの共通コマンドｃｈ（１）〜ｃｈ（１２）が、それぞれ、機能ブロック内コマンドｃｈ（１〜１２）に変換される。これにより、Ｕ／Ｖチューナ１２１は、それぞれチャネル番号１〜１２のチャネルが選局された状態となる。
なお、システム制御ブロック１１０は、共通コマンドｃｈ（１）〜ｃｈ（１２）のいずれかを制御バス１１１に送出する場合、内蔵されている不揮発性メモリ（図示せず）における、チャネル番号用のラストメモリ領域に記憶された共通コマンドを、その送出共通コマンドで更新する。これにより、電源投入時には、このチャネル番号用のラストメモリ領域に記憶されている共通コマンドが、初期値として、システム制御ブロック１１０から制御バス１１１に送出され、Ｕ／Ｖチューナ１２１では電源オフ時に選局されていたチャネルが自動的に選局される。
入力セレクタ１２２（機能ブロック２）において、機能部１２０ｅは、入力用コネクタ１２０ｂの３個の入力端子にそれぞれ入力される第１〜第３の画像信号のうち、いずれかの画像信号を選択的に出力用コネクタ１２０ｃの１個の出力端子に出力する。この場合、第１の入力端子には、Ｕ／Ｖチューナ１２１（機能ブロック１）から出力される画像信号（入力１）が入力される。第２の入力端子には、デジタル地上波チューナ１２６（機能ブロック６）から出力される画像信号（入力２）が入力される。第３の入力端子には、コネクタ１０２ａに入力される外部ビデオ入力としての画像信号（入力３）が入力される。出力端子に出力される画像信号は、信号ルータ１２３（機能ブロック３）に供給されると共に、子画面ＯＳＤ回路１２８に供給される。
この入力セレクタ１２２の制御Ｉ／Ｆ１２０ｄのＲＯＭ１２０ｄ−２には、図５に示すように、入力１〜３を意味する共通コマンドｉｎ（１）〜ｉｎ（３）のそれぞれと、入力１〜３への入力切替を意味する機能ブロック内コマンドｉｎ（１〜３）とが、対応して記憶されている。ここで、入力１は、第１の入力端子に入力されている、Ｕ／Ｖチューナ１２１から出力された画像信号である。入力２は、第２の入力端子に入力されている、デジタル地上波チューナ１２６から出力された画像信号である。入力３は、第３の入力端子に入力されている、外部ビデオ入力としての画像信号である。
共通コマンドｉｎ（１）〜ｉｎ（３）は、それぞれ、ユーザがリモコン送信機１１２、あるいは筐体１０１の操作部１１３を操作して入力１〜３を選択する際に、システム制御ブロック１１０から、制御バス１１１に送出される。入力セレクタ１２２の制御Ｉ／Ｆ１２０ｄのインタプリタ１２０ｄ−３では、制御ポート１２０ｄ−１でこれらの共通コマンドｉｎ（１）〜ｉｎ（３）が受信されるとき、ＲＯＭ１２０ｄ−２に記憶されている対応関係に基づいて、これらの共通コマンドｉｎ（１）〜ｉｎ（３）が、それぞれ、機能ブロック内コマンドｉｎ（１〜３）に変換される。これにより、入力セレクタ１２２は、それぞれ入力１〜３が選択された状態となる。
なお、システム制御ブロック１１０は、共通コマンドｉｎ（１）〜ｉｎ（３）のいずれかを制御バス１１１に送出する場合、内蔵されている不揮発性メモリ（図示せず）における入力セレクト用のラストメモリ領域に記憶された共通コマンドを、その送出共通コマンドで更新する。これにより、電源投入時には、この入力セレクト用のラストメモリ領域に記憶されている共通コマンドが、初期値として、システム制御ブロック１１０から制御バス１１１に送出され、入力セレクタ１２２では電源オフ時に選択されていた入力が自動的に選択される。
信号ルータ１２３（機能ブロック３）おいて、機能部１２０ｅは、入力用コネクタ１２０ｂの４個の入力端子にそれぞれ入力される第１〜第４の画像信号を、出力用コネクタ１２０ｃの第１〜第４の出力端子に選択的に出力する。
この場合、第１の入力端子には、入力セレクタ１２２（機能ブロック２）から出力される画像信号（入力１＝ｉ１）が入力される。第２の入力端子には、ＤＲＣ回路１２４（機能ブロック４）から出力される画像信号（入力２＝ｉ２）が入力される。第３の入力端子には、パネル用処理回路１２５（機能ブロック５）から出力される画像信号（入力３＝ｉ３）が入力される。第４の入力端子には、ノイズ除去回路１２７（機能ブロック７）から出力される画像信号（入力４＝ｉ４）が入力される。
また、第１の出力端子に出力される画像信号（出力１＝ｏ１）はＤＲＣ回路１２４（機能ブロック４）に供給される。第２の出力端子に出力される画像信号（出力２＝ｏ２）はパネル用処理回路１２５（機能ブロック５）に供給される。第３の出力端子に出力される画像信号（出力３＝ｏ３）はノイズ除去回路１２７に供給される。第４の出力端子に出力される画像信号（出力４＝ｏ４）は子画面ＯＳＤ回路１２８に供給される。
この信号ルータ１２３（機能ブロック３）の制御Ｉ／Ｆ１２０ｄのＲＯＭ１２０ｄ−２には、図５に示すように、機能ブロック間接続１〜５を意味する共通コマンドＩｎｉｔｉａｌｉｚｅＣｏｎｎｅｃｔ（１／２／３／４／５）のそれぞれと、処理基板間の接続切替を意味する機能ブロック内コマンドｒｏｕｔｅ（１／２／３）とが、対応して記憶されている。
ここで、共通コマンドＩｎｉｔｉａｌｉｚｅＣｏｎｎｅｃｔ（１）は、スロット１０４ａにＵ／Ｖチューナ１１２（機能ブロック１）が挿入され、スロット１０４ｃにＤＲＣ回路１２４（機能ブロック４）が挿入された、第１の構成（基本構成）を意味している。この共通コマンドＩｎｉｔｉａｌｉｚｅＣｏｎｎｅｃｔ（１）には、機能ブロック内コマンドｒｏｕｔｅ（１）が対応するようにされている。このコマンドｒｏｕｔｅ（１）は、第１の入力端子が第１の出力端子に接続され、第２の入力端子が第４の出力端子に接続される第１の状態に、機能部１２０ｅを制御するためのものである。
また、共通コマンドＩｎｉｔｉａｌｉｚｅＣｏｎｎｅｃｔ（２）は、上述した第１の構成に、さらにスロット１０４ｂにデジタル地上波チューナ１２６（機能ブロック６）が挿入された、第２の構成を意味している。この共通コマンドＩｎｉｔｉａｌｉｚｅＣｏｎｎｅｃｔ（２）にも、機能ブロック内コマンドｒｏｕｔｅ（１）が対応するようにされている。
また、共通コマンドＩｎｉｔｉａｌｉｚｅＣｏｎｎｅｃｔ（３）は、上述した第１の構成に、さらにスロット１０４ｄにパネル用処理回路１２５（機能ブロック５）が挿入された、第３の構成を意味している。この共通コマンドＩｎｉｔｉａｌｉｚｅＣｏｎｎｅｃｔ（３）には、機能ブロック内コマンドｒｏｕｔｅ（２）が対応するようにされている。このコマンドｒｏｕｔｅ（２）は、第１の入力端子が第１の出力端子に接続され、第２の入力端子が第２の出力端子に接続され、第３の入力端子が第４の出力端子に接続される第２の状態に、機能部１２０ｅを制御するためのものである。
また、共通コマンドＩｎｉｔｉａｌｉｚｅＣｏｎｎｅｃｔ（４）は、上述した第１の構成に、さらにスロット１０４ｄにパネル用処理回路１２５（機能ブロック５）が挿入され、スロット１０４ｅにノイズ除去回路１２７（機能ブロック７）が挿入された、第４の構成を意味している。この共通コマンドＩｎｉｔｉａｌｉｚｅＣｏｎｎｅｃｔ（４）には、機能ブロック内コマンドｒｏｕｔｅ（３）が対応するようにされている。このコマンドｒｏｕｔｅ（３）は、第１の入力端子が第３の出力端子に接続され、第４の入力端子が第１の出力端子に接続され、第２の入力端子が第２の出力端子に接続され、第３の入力端子が第４の出力端子に接続される第３の状態に、機能部１２０ｅを制御するためのものである。
また、共通コマンドＩｎｉｔｉａｌｉｚｅＣｏｎｎｅｃｔ（５）は、上述した第１の構成に、さらにスロット１０４ｂにデジタル地上波チューナ１２６（機能ブロック６）が挿入され、スロット１０４ｄにパネル用処理回路１２５（機能ブロック５）が挿入され、スロット１０４ｅにノイズ除去回路１２７（機能ブロック７）が挿入された、第５の構成を意味している。この共通コマンドＩｎｉｔｉａｌｉｚｅＣｏｎｎｅｃｔ（５）にも、機能ブロック内コマンドｒｏｕｔｅ（３）が対応するようにされている。
画像信号処理装置１００は、上述した第１〜第５の構成のいずれかで使用されるものとする。システム制御ブロック１１０は、電源投入時に、後述するように、処理装置１００を構成する各機能ブロックから制御バス１１１を通じて当該機能ブロックに係る共通コマンドを取得する際に、処理装置１００を構成する各機能ブロックから制御バス１１１を通じて基板ＩＤを取得し、上述した第１〜第５の構成のいずれにあるかも認識する。
共通コマンドＩｎｉｔｉａｌｉｚｅＣｏｎｎｅｃｔ（１／２／３／４／５）は、それぞれ、システム制御ブロック１１０が、第１〜第５の構成にあることを認識した際に、当該システム制御ブロック１１０から、制御バス１１１に送出される。信号ルータ１２３の制御Ｉ／Ｆ１２０ｄのインタプリタ１２０ｄ−３では、制御ポート１２０ｄ−１でこれらの共通コマンドＩｎｉｔｉａｌｉｚｅＣｏｎｎｅｃｔ（１／２／３／４／５）が受信されるとき、ＲＯＭ１２０ｄ−２に記憶されている対応関係に基づいて、これらの共通コマンドＩｎｉｔｉａｌｉｚｅＣｏｎｎｅｃｔ（１／２／３／４／５）が、それぞれ、機能ブロック内コマンドｒｏｕｔｅ（１／２／３）に変換される。これにより、信号ルータ１２３の機能部１２０ｅは第１〜第３の状態となる。
ＤＲＣ回路１２４（機能ブロック４）において、機能部１２０ｅは、入力用コネクタ１２０ｂからの入力画像信号であるＳＤ（Ｓｔａｎｄａｒｄ  Ｄｅｆｉｎｉｔｉｏｎ）信号をＨＤ（Ｈｉｇｈ  Ｄｅｆｉｎｉｔｉｏｎ  Ｔｅｌｅｖｉｓｉｏｎ）信号に変換し、このＨＤ信号を出力画像信号として出力用コネクタ１２０ｃに出力する、ＤＲＣ処理（高画質化処理）を行う。
このＤＲＣ回路１２４の機能部１２０ｅでは、ＨＤ信号における注目位置の画素データを得る際に、例えば、ＳＤ信号からＨＤ信号における注目位置の周辺に位置する複数の画素データを抽出し、この複数の画素データに基づいてＨＤ信号における注目位置の画素データの属するクラスを検出し、このクラスに対応した推定式の係数データを用い、当該推定式に基づいてＨＤ信号における注目位置の画素データを求めることが行われる（特開２００１−２３８１８５号参照）。ユーザは、ＨＤ信号の解像度、ノイズ除去度を、自由に調整できる。この場合、推定式の係数データとして、ユーザによって操作される解像度軸、ノイズ軸のボリウム値に応じたものが使用される。
また、ＤＲＣ回路１２４の機能部１２０ｅでは、画像の拡大率を連続的に変化させた画像を得るズーム機能を備えている。この場合、入力画像信号の画素データより出力画像信号の画素データを得る際に、入力画像信号の画素に対する出力画像信号の画素の各位相に対応した推定式の係数データをメモリに格納しておき、この係数データを用い、推定式に基づいて出力画像信号の画素データを求めるようにされる。
なお、位相情報に基づいて係数種データより推定式で用いられる係数データを生成する構成とすることで、種々の拡大率への変換を行うために大量の係数データを格納しておくメモリを不要とできる（特開２００２−１９６７３７号公報、特願２００２−３６２６６６号参照）。ユーザは、ズーム率（画像の拡大率）およびズーム中心位置（水平方向のｘ座標および垂直方向のｙ座標）を自由に調整できる。
ＤＲＣ回路１２４の制御Ｉ／Ｆ１２０ｄのＲＯＭ１２０ｄ−２には、図５に示すように、ＤＲＣの解像度軸、ノイズ軸の調整を意味する共通コマンドＤＲＣｖｏｌ（ｒｅｓｏｌｕｔｉｏｎＶａｌ，ｎｏｉｓｅＶａｌ）と、ＤＲＣ（解像度軸、ノイズ軸）ボリウム値の代入を意味する機能ブロック内コマンドｖｏｌｕｍｅ（ｒｅｓｏｌｕｔｉｏｎＶａｌ，ｎｏｉｓｅＶａｌ）とが、対応して記憶されている。
共通コマンドＤＲＣｖｏｌ（ｒｅｓｏｌｕｔｉｏｎＶａｌ，ｎｏｉｓｅＶａｌ）は、ユーザがリモコン送信機１１２、あるいは筐体１０１の操作部１１３を操作して、解像度軸、ノイズ軸のボリウム値が変更される際に、システム制御ブロック１１０から、制御バス１１１に送出される。ここで、「ｒｅｓｏｌｕｔｉｏｎＶａｌ」は解像度軸のボリウム値を示し、「ｎｏｉｓｅＶａｌ」はノイズ軸のボリウム値を示している。
この場合、ＤＲＣ回路１２４の制御Ｉ／Ｆ１２０ｄのインタプリタ１２０ｄ−３では、制御ポート１２０ｄ−１で共通コマンドＤＲＣｖｏｌ（ｒｅｓｏｌｕｔｉｏｎＶａｌ，ｎｏｉｓｅＶａｌ）が受信されるとき、ＲＯＭ１２０ｄ−２に記憶されている対応関係に基づいて、この共通コマンドＤＲＣｖｏｌ（ｒｅｓｏｌｕｔｉｏｎＶａｌ，ｎｏｉｓｅＶａｌ）が、機能ブロック内コマンドｖｏｌｕｍｅ（ｒｅｓｏｌｕｔｉｏｎＶａｌ，ｎｏｉｓｅＶａｌ）に変換される。これにより、ＤＲＣ回路１２４は、ユーザの操作による解像度軸、ノイズ軸のボリウム値に応じた解像度、ノイズ除去度が選択された状態となる。
なお、システム制御ブロック１１０は、共通コマンドＤＲＣｖｏｌ（ｒｅｓｏｌｕｔｉｏｎＶａｌ，ｎｏｉｓｅＶａｌ）を制御バス１１１に送出する場合、内蔵されている不揮発性メモリ（図示せず）における、ボリウム値用のラストメモリ領域に記憶された共通コマンドを、その送出共通コマンドで更新する。これにより、電源投入時には、ボリウム値用のラストメモリ領域に記憶されている共通コマンドが、初期値として、システム制御ブロック１１０から制御バス１１１に送出され、ＤＲＣ回路１２４では電源オフ時に選択されていた解像度、ノイズ除去度が自動的に選択される。
また、ＤＲＣ回路１２４の制御Ｉ／Ｆ１２０ｄのＲＯＭ１２０ｄ−２には、図５に示すように、ＤＲＣのズーム処理の切替を意味する共通コマンドＤＲＣｚｏｏｍＥｘｅｃ（ｏｎ／ｏｆｆ）と、ＤＲＣズーム初期値の代入を意味する機能ブロック内コマンドｚｏｏｍ（ＩｎｉｔＲａｔｉｏ／１，ＩｎｉｔＨｏｌ／０，ＩｎｉｔＶｅｒ／０）とが、対応して記憶されている。
共通コマンドＤＲＣｚｏｏｍＥｘｅｃ（ｏｎ／ｏｆｆ）は、ユーザがリモコン送信機１１２、あるいは筐体１０１の操作部１１３を操作して、ＤＲＣズーム処理のオンオフを切り替える際に、システム制御ブロック１１０から、制御バス１１１に送出される。
ＤＲＣｚｏｏｍＥｘｅｃ（ｏｎ）はＤＲＣズーム処理をオフからオンに切り替えることを意味しており、この共通コマンドＤＲＣｚｏｏｍＥｘｅｃ（ｏｎ）には、機能ブロック内コマンドｚｏｏｍ（ＩｎｉｔＲａｔｉｏ，ＩｎｉｔＨｏｌ，ＩｎｉｔＶｅｒ）が対応するようにされている。このコマンドｚｏｏｍ（ＩｎｉｔＲａｔｉｏ，ＩｎｉｔＨｏｌ，ＩｎｉｔＶｅｒ）は、ズーム率、ズーム中心位置が初期値であるＤＲＣズーム処理を実行するように、機能部１２０ｅを制御するためのものである。
ＤＲＣｚｏｏｍＥｘｅｃ（ｏｆｆ）はＤＲＣズーム処理をオンからオフに切り替えることを意味しており、この共通コマンドＤＲＣｚｏｏｍＥｘｅｃ（ｏｆｆ）には、機能ブロック内コマンドｚｏｏｍ（１，０，０）が対応するようにされている。このコマンドｚｏｏｍ（１，０，０）は、ズーム率が１で、ズーム中心位置が（０，０）であるＤＲＣズーム処理を実行するように、機能部１２０ｅを制御するためのものである。
この場合、ＤＲＣ回路１２４の制御Ｉ／Ｆ１２０ｄのインタプリタ１２０ｄ−３では、制御ポート１２０ｄ−１で共通コマンドＤＲＣｚｏｏｍＥｘｅｃ（ｏｎ／ｏｆｆ）が受信されるとき、ＲＯＭ１２０ｄ−２に記憶されている対応関係に基づいて、この共通コマンドＤＲＣｚｏｏｍＥｘｅｃ（ｏｎ／ｏｆｆ）が、機能ブロック内コマンドｚｏｏｍ（ＩｎｉｔＲａｔｉｏ／１，ＩｎｉｔＨｏｌ／０，ＩｎｉｔＶｅｒ／０）に変換される。これにより、ＤＲＣ回路１２４は、ＤＲＣズーム処理のオンまたはオフが選択された状態となる。
なお、電源投入時には、共通コマンドＤＲＣｚｏｏｍＥｘｅｃ（ｏｆｆ）が、システム制御ブロック１１０から制御バス１１１に送出される。これにより、電源投入時には、ＤＲＣ回路１２４では、ＤＲＣズーム処理のオフが自動的に選択される。
また、ＤＲＣ回路１２４の制御Ｉ／Ｆ１２０ｄのＲＯＭ１２０ｄ−２には、図５に示すように、ＤＲＣのズーム率、ズーム中心位置の調整を意味する共通コマンドＤＲＣｚｏｏｍ（ｒａｔｉｏＶａｌ，ｈｏｌｉｚｏｎｔａｌＶａｌ，ｖｅｒｔｉｃａｌＶａｌ）と、ＤＲＣズーム率、ズーム中心位置の代入を意味する機能ブロック内コマンドｚｏｏｍ（ｒａｔｉｏＶａｌ，ｈｏｌｉｚｏｎｔａｌＶａｌ，ｖｅｒｔｉｃａｌＶａｌ）とが、対応して記憶されている。
共通コマンドＤＲＣｚｏｏｍ（ｒａｔｉｏＶａｌ，ｈｏｌｉｚｏｎｔａｌＶａｌ，ｖｅｒｔｉｃａｌＶａｌ）は、ユーザがリモコン送信機１１２、あるいは筐体１０１の操作部１１３を操作して、ズーム率、ズーム中心位置が変更される際に、システム制御ブロック１１０から、制御バス１１１に送出される。ここで、「ｒａｔｉｏＶａｌ」はズーム率を示し、「ｈｏｌｉｚｏｎｔａｌＶａｌ」はズーム中心位置を示す水平方向のｘ座標、「ｖｅｒｔｉｃａｌＶａｌ」はズーム中心位置を示す垂直方向のｙ座標を示している。
この場合、ＤＲＣ回路１２４の制御Ｉ／Ｆ１２０ｄのインタプリタ１２０ｄ−３では、制御ポート１２０ｄ−１で共通コマンドＤＲＣｚｏｏｍ（ｒａｔｉｏＶａｌ，ｈｏｌｉｚｏｎｔａｌＶａｌ，ｖｅｒｔｉｃａｌＶａｌ）が受信されるとき、ＲＯＭ１２０ｄ−２に記憶されている対応関係に基づいて、この共通コマンドＤＲＣｚｏｏｍ（ｒａｔｉｏＶａｌ，ｈｏｌｉｚｏｎｔａｌＶａｌ，ｖｅｒｔｉｃａｌＶａｌ）が、機能ブロック内コマンドｚｏｏｍ（ｒａｔｉｏＶａｌ，ｈｏｌｉｚｏｎｔａｌＶａｌ，ｖｅｒｔｉｃａｌＶａｌ）に変換される。これにより、ＤＲＣ回路１２４は、ユーザの操作によるズーム率、ズーム中心位置が選択された状態となる。
なお、電源投入時には、共通コマンドＤＲＣｚｏｏｍ（ＩｎｉｔＲａｔｉｏ，ＩｎｉｔＨｏｌ，ＩｎｉｔＶｅｒ）が、システム制御ブロック１１０から制御バス１１１に送出される。ここで、「ＩｎｉｔＲａｔｉｏ」はズーム率の初期値、「ＩｎｉｔＨｏｌ」はズーム中心位置を示す水平方向のｘ座標の初期値、「ＩｎｉｔＶｅｒ」はズーム中心位置を示す水平方向のｙ座標の初期値を示している。これにより、電源投入時には、ＤＲＣ回路１２４では、ズーム率、ズーム中心位置として初期値が自動的に選択される。
パネル用処理回路１２５（機能ブロック５）において、機能部１２０ｅは、入力用コネクタ１２０ｂから入力された画像信号に対して、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等のフラットパネルディスプレイに当該画像信号による画像を表示する際に必要となる処理、例えば輝度調整、色調整、水平、垂直の画素数変換、インタレース方式からプログレッシブ方式への方式変換等の処理を行い、処理後の画像信号を出力用コネクタ１２０ｃに出力する。
このパネル用処理回路１２５は、電源投入時に、信号ルータ１２３（機能ブロック３）によって他の機能ブロックと接続された後は、単に固定された処理を実行する。このパネル用処理回路１２５にも制御Ｉ／Ｆ１２０ｄが存在するのは、システム制御ブロック１１０から、イニシャライズ用にローカルコマンドを送られる場合を考慮しているからである。
デジタル地上波チューナ１２６（機能ブロック６）において、機能部１２０ｅは、入力用コネクタ１２０ｂから入力された、デジタル地上波用アンテナで受信された放送信号に対して選局処理等を施し、所定のチャネルの画像信号を出力用コネクタ１２０ｃに出力する。
このデジタル地上波チューナ１２６は、独自の操作ユーザインタフェースを持っている。したがって、システム制御ブロック１１０は、このデジタル地上波チューナ１２６に係る共通コマンドを制御バス１１１に送出することはない。つまり、システム制御ブロック１１０は、このデジタル地上波チューナ１２６に関しては、当該デジタル地上波チューナ１２６のローカルなコマンドを制御バス１１１に送出する。
ノイズ除去回路１２７（機能ブロック７）において、機能部１２０ｅは、入力用コネクタ１２０ｂから入力された画像信号に対して、ノイズ抑圧処理を行い、処理後の画像信号を出力用コネクタ１２０ｃに出力する。このノイズ除去回路１２７では、ノイズ抑圧度を調整できる。
このノイズ除去回路１２７の制御Ｉ／Ｆ１２０ｄのＲＯＭ１２０ｄ−２には、図５に示すように、ＤＲＣの解像度軸、ノイズ軸の調整を意味する、上述した共通コマンドＤＲＣｖｏｌ（ｒｅｓｏｌｕｔｉｏｎＶａｌ，ｎｏｉｓｅＶａｌ）と、ノイズ抑圧度を示す値（ノイズ抑圧値）の代入を意味する機能ブロック内コマンドｎｏｉｓｅＳｕｐｐｒｅｓｓ（ｎｏｉｓｅＶａｌ）とが、対応して記憶されている。ここで、「ｎｏｉｓｅＶａｌ」は、上述したようにノイズ軸のボリウム値を示している。
この場合、ノイズ除去回路１２７の制御Ｉ／Ｆ１２０ｄのインタプリタ１２０ｄ−３では、制御ポート１２０ｄ−１で共通コマンドＤＲＣｖｏｌ（ｒｅｓｏｌｕｔｉｏｎＶａｌ，ｎｏｉｓｅＶａｌ）が受信されるとき、ＲＯＭ１２０ｄ−２に記憶されている対応関係に基づいて、この共通コマンドＤＲＣｖｏｌ（ｒｅｓｏｌｕｔｉｏｎＶａｌ，ｎｏｉｓｅＶａｌ）が、機能ブロック内コマンドｎｏｉｓｅＳｕｐｐｒｅｓｓ（ｎｏｉｓｅＶａｌ）に変換される。これにより、ノイズ除去回路１２７は、ノイズ軸のボリウム値「ｎｏｉｓｅＶａｌ」に対応した抑圧度でノイズ抑圧を行う状態となる。
子画面ＯＳＤ回路１２８（機能ブロック８）において、機能部１２０ｅは、入力用コネクタ１２０ｂの第２の入力端子に入力された、入力セレクタ１２２からの画像信号に基づいて子画面用の画像信号を生成する機能、画面上に文字、図形等を表示するための表示信号を生成する機能、入力セレクタ１２２からの画像信号または入力用コネクタ１２０ｂの第１の入力端子に入力された、信号ルータ１２３からの画像信号を選択し、その選択された画像信号に、上述した子画面用の画像信号や表示信号を合成して出力画像信号を取得し、その出力画像信号を出力用コネクタ１２０ｃに出力する機能等を持っている。
この子画面ＯＳＤ回路１２８の制御Ｉ／Ｆ１２０ｄのＲＯＭ１２０ｄ−２には、図５に示すように、上述したチャネル番号１〜１２を意味する共通コマンドｃｈ（１）〜ｃｈ（１２）のそれぞれと、チャネル番号１〜１２のチャネル表示を意味する機能ブロック内コマンドｗｒｉｔｅＩｎｐｕｔＵＶｃｈ（１〜１２）とが、対応して記憶されている。
子画面ＯＳＤ回路１２８の制御Ｉ／Ｆ１２０ｄのインタプリタ１２０ｄ−３では、制御ポート１２０ｄ−１でこれらの共通コマンドｃｈ（１）〜ｃｈ（１２）が受信されるとき、ＲＯＭ１２０ｄ−２に記憶されている対応関係に基づいて、これらの共通コマンドｃｈ（１）〜ｃｈ（１２）が、それぞれ、機能ブロック内コマンドｗｒｉｔｅＩｎｐｕｔＵＶｃｈ（１〜１２）に変換される。これにより、子画面ＯＳＤ回路１２８は、それぞれチャネル番号１〜１２のチャネルを表示するための表示信号を生成し、この表示信号が合成された出力画像信号を出力する状態となる。
また、子画面ＯＳＤ回路１２８の制御Ｉ／Ｆ１２０ｄのＲＯＭ１２０ｄ−２には、図５に示すように、上述した入力１〜３を意味する共通コマンドｉｎ（１）〜ｉｎ（３）のそれぞれと、入力１〜３の入力表示を意味する機能ブロック内コマンドｗｒｉｔｅＩｎｐｕｔ（１〜３）とが、対応して記憶されている。
子画面ＯＳＤ回路１２８の制御Ｉ／Ｆ１２０ｄのインタプリタ１２０ｄ−３では、制御ポート１２０ｄ−１でこれらの共通コマンドｉｎ（１）〜ｉｎ（３）が受信されるとき、ＲＯＭ１２０ｄ−２に記憶されている対応関係に基づいて、これらの共通コマンドｉｎ（１）〜ｉｎ（３）が、それぞれ、機能ブロック内コマンドｗｒｉｔｅＩｎｐｕｔ（１〜３）に変換される。これにより、子画面ＯＳＤ回路１２８は、それぞれ入力１〜３を表示するための表示信号を生成し、この表示信号が合成された出力画像信号を出力する状態となる。
また、子画面ＯＳＤ回路１２８の制御Ｉ／Ｆ１２０ｄのＲＯＭ１２０ｄ−２には、図５に示すように、上述した機能ブロック間接続１〜５を意味する共通コマンドＩｎｉｔｉａｌｉｚｅＣｏｎｎｅｃｔ（１／２／３／４／５）のそれぞれと、接続状況表示を意味する機能ブロック内コマンドｗｒｉｔｅＲｏｕｔｅ（１／２／３／４／５）とが、対応して記憶されている。この機能ブロック内コマンドｗｒｉｔｅＲｏｕｔｅ（１／２／３／４／５）は、それぞれ、処理装置１００が上述した第１〜第５の構成である旨を表示する状態に、機能部１２０ｅを制御するためのものである。
子画面ＯＳＤ回路１２８の制御Ｉ／Ｆ１２０ｄのインタプリタ１２０ｄ−３では、制御ポート１２０ｄ−１で共通コマンドＩｎｉｔｉａｌｉｚｅＣｏｎｎｅｃｔ（１／２／３／４／５）が受信されるとき、ＲＯＭ１２０ｄ−２に記憶されている対応関係に基づいて、この共通コマンドＩｎｉｔｉａｌｉｚｅＣｏｎｎｅｃｔ（１／２／３／４／５）が、それぞれ、機能ブロック内コマンドｗｒｉｔｅＲｏｕｔｅ（１／２／３／４／５）に変換される。これにより、子画面ＯＳＤ回路１２８は、それぞれ第１〜第５の構成である旨を表示するための表示信号を生成し、この表示信号が合成された出力画像信号を出力する状態となる。
また、この子画面ＯＳＤ回路１２８の制御Ｉ／Ｆ１２０ｄのＲＯＭ１２０ｄ−２には、図５に示すように、ＤＲＣボリウム処理の切替を意味する共通コマンドＤＲＣｖｏｌＥｘｅｃ（ｏｎ／ｏｆｆ）と、ＤＲＣボリウム処理表示を意味する機能ブロック内コマンドｗｒｉｔｅＰｒｏｃｅｓｓＶｏｌ（ｏｎ／ｏｆｆ）、子画面入力源の切替を意味する機能ブロック内コマンドｄｉｓｐｌａｙＩｎｐｕｔ（ｉｎ１／ｉｎ２）および画像サイズを意味する機能ブロック内コマンドｄｉｓｐｌａｙＳｉｚｅ（ｉｎ１，ｓｉｚｅ１）／ｄｉｓｐｌａｙＳｉｚｅ（ｉｎ２，ｓｉｚｅ１）とが、対応して記憶されている。
共通コマンドＤＲＣｖｏｌＥｘｅｃ（ｏｎ／ｏｆｆ）は、ユーザがリモコン送信機１１２、あるいは筐体１０１の操作部１１３を操作して、ＤＲＣボリウム処理のオンオフを切り替える際に、システム制御ブロック１１０から、制御バス１１１に送出される。
ＤＲＣｖｏｌＥｘｅｃ（ｏｎ）はＤＲＣボリウム処理をオフからオンに切り替えることを意味しており、この共通コマンドＤＲＣｖｏｌＥｘｅｃ（ｏｎ）には、機能ブロック内コマンドｗｒｉｔｅＰｒｏｃｅｓｓＶｏｌ（ｏｎ）、ｄｉｓｐｌａｙＩｎｐｕｔ（ｉｎ１）、ｄｉｓｐｌａｙＳｉｚｅ（ｉｎ１，ｓｉｚｅ１）が対応するようにされている。
コマンドｗｒｉｔｅＰｒｏｃｅｓｓＶｏｌ（ｏｎ）は、ＤＲＣボリウム処理がオンである旨を表示するための表示信号を生成し、この表示信号が合成された出力画像信号を出力するように、機能部１２０ｅを制御するためのものである。
コマンドｄｉｓｐｌａｙＩｎｐｕｔ（ｉｎ１）は、入力用コネクタ１２０ｂの第１の入力端子に入力された、信号ルータ１２３からの画像信号（ＤＲＣボリウム処理されている）を入力源として用いるように、機能部１２０ｅを制御するためのものである。コマンドｄｉｓｐｌａｙＳｉｚｅ（ｉｎ１，ｓｉｚｅ１）は、入力源の画像信号を縮小処理せずにそのまま出力画像信号として出力するように、機能部１２０ｅを制御するためのものである。
ＤＲＣｖｏｌＥｘｅｃ（ｏｆｆ）はＤＲＣボリウム処理をオンからオフに切り替えることを意味しており、この共通コマンドＤＲＣｖｏｌＥｘｅｃ（ｏｆｆ）には、機能ブロック内コマンドｗｒｉｔｅＰｒｏｃｅｓｓＶｏｌ（ｏｆｆ）、ｄｉｓｐｌａｙＩｎｐｕｔ（ｉｎ２）、ｄｉｓｐｌａｙＳｉｚｅ（ｉｎ２，ｓｉｚｅ１）が対応するようにされている。コマンドｗｒｉｔｅＰｒｏｃｅｓｓＶｏｌ（ｏｆｆ）は、ＤＲＣボリウム処理がオフある旨を表示するための表示信号を生成し、この表示信号が合成された出力画像信号を出力するように、機能部１２０ｅを制御するためのものである。
コマンドｄｉｓｐｌａｙＩｎｐｕｔ（ｉｎ２）は、入力用コネクタ１２０ｂの第２の入力端子に入力された、入力セレクタ１２２からの画像信号（ＤＲＣボリウム処理されていない）を入力源として用いるように、機能部１２０ｅを制御するためのものである。コマンドｄｉｓｐｌａｙＳｉｚｅ（ｉｎ２，ｓｉｚｅ１）は、入力源の画像信号を縮小処理せずにそのまま出力画像信号として出力するように、機能部１２０ｅを制御するためのものである。
この場合、子画面ＯＳＤ回路１２８の制御Ｉ／Ｆ１２０ｄのインタプリタ１２０ｄ−３では、制御ポート１２０ｄ−１で共通コマンドＤＲＣｖｏｌＥｘｅｃ（ｏｎ／ｏｆｆ）が受信されるとき、ＲＯＭ１２０ｄ−２に記憶されている対応関係に基づいて、この共通コマンドＤＲＣｖｏｌＥｘｅｃ（ｏｎ／ｏｆｆ）が、機能ブロック内コマンドｗｒｉｔｅＰｒｏｃｅｓｓＶｏｌ（ｏｎ／ｏｆｆ）、ｄｉｓｐｌａｙＩｎｐｕｔ（ｉｎ１／ｉｎ２）、ｄｉｓｐｌａｙＳｉｚｅ（ｉｎ１，ｓｉｚｅ１）／ｄｉｓｐｌａｙＳｉｚｅ（ｉｎ２，ｓｉｚｅ１）に変換される。
これにより、子画面ＯＳＤ回路１２８は、ＤＲＣボリウム処理のオンまたはオフを表示し、またＤＲＣボリウム処理された画像信号またはＤＲＣボリウム処理されていない画像信号を出力し、さらに入力源としての画像信号を縮小処理せずにそのまま出力する状態となる。
なお、電源投入時には、共通コマンドＤＲＣｖｏｌＥｘｅｃ（ｏｎ）が、初期値として、システム制御ブロック１１０から制御バス１１１に送出される。これにより、電源投入時には、子画面ＯＳＤ回路１２８は、ＤＲＣボリウム処理のオンを表示し、またＤＲＣボリウム処理された画像信号を出力し、さらに入力源としての画像信号を縮小処理せずにそのまま出力する状態となる。
また、この子画面ＯＳＤ回路１２８の制御Ｉ／Ｆ１２０ｄのＲＯＭ１２０ｄ−２には、図５に示すように、上述したＤＲＣの解像度軸、ノイズ軸の調整を意味する共通コマンドＤＲＣｖｏｌ（ｒｅｓｏｌｕｔｉｏｎＶａｌ，ｎｏｉｓｅＶａｌ）と、ＤＲＣボリウム値表示を意味する機能ブロック内コマンドｗｒｉｔｅＰｒｏｃｅｓｓＤＲＣｖｏｌ（ｒｅｓｏｌｕｔｉｏｎＶａｌ，ｎｏｉｓｅＶａｌ）とが、対応して記憶されている。
子画面ＯＳＤ回路１２８の制御Ｉ／Ｆ１２０ｄのインタプリタ１２０ｄ−３では、制御ポート１２０ｄ−１で共通コマンドＤＲＣｖｏｌ（ｒｅｓｏｌｕｔｉｏｎＶａｌ，ｎｏｉｓｅＶａｌ）が受信されるとき、ＲＯＭ１２０ｄ−２に記憶されている対応関係に基づいて、この共通コマンドＤＲＣｖｏｌ（ｒｅｓｏｌｕｔｉｏｎＶａｌ，ｎｏｉｓｅＶａｌ）が、機能ブロック内コマンドｗｒｉｔｅＰｒｏｃｅｓｓＤＲＣｖｏｌ（ｒｅｓｏｌｕｔｉｏｎＶａｌ，ｎｏｉｓｅＶａｌ）に変換される。これにより、子画面ＯＳＤ回路１２８は、解像度軸のボリウム値「ｒｅｓｏｌｕｔｉｏｎＶａｌ」、ノイズ軸のボリウム値「ｎｏｉｓｅＶａｌ」を表示するための表示信号を生成し、この表示信号が合成された出力画像信号を出力する状態となる。
また、この子画面ＯＳＤ回路１２８の制御Ｉ／Ｆ１２０ｄのＲＯＭ１２０ｄ−２には、図５に示すように、上述したＤＲＣズーム処理の切替を意味する共通コマンドＤＲＣｚｏｏｍＥｘｅｃ（ｏｎ／ｏｆｆ）と、ＤＲＣズーム処理表示を意味する機能ブロック内コマンドｗｒｉｔｅＰｒｏｃｅｓｓＺｏｏｍ（ｏｎ／ｏｆｆ）、子画面入力源の切替を意味する機能ブロック内コマンドｄｉｓｐｌａｙＩｎｐｕｔ（ｉｎ１，ｉｎ２／ｉｎ１  ｏｒ  ｉｎ２）、画像サイズを意味する機能ブロック内コマンドｄｉｓｐｌａｙＳｉｚｅ（ｉｎ１，ｓｉｚｅ１），ｄｉｓｐｌａｙＳｉｚｅ（ｉｎ２，ｓｉｚｅ０．２５）／ｄｉｓｐｌａｙＳｉｚｅ（ｉｎ１  ｏｒ  ｉｎ２，ｓｉｚｅ１）、ＤＲＣズーム率、子画面上のズーム枠表示を意味するｗｒｉｔｅＺｏｏｍＦｒａｍｅ（ＩｎｉｔＲａｔｉｏ，ＩｎｉｔＨｏｌ，ＩｎｉｔＶｅｒ／ｏｆｆ）およびズーム中心位置表示を意味する機能ブロック内コマンドｗｒｉｔｅＰｒｏｃｅｓｓＤＲＣｚｏｏｍ（ＩｎｉｔＲａｔｉｏ，ＩｎｉｔＨｏｌ，ＩｎｉｔＶｅｒ／ｏｆｆ）が、対応して記憶されている。
ＤＲＣｚｏｏｍＥｘｅｃ（ｏｎ）はＤＲＣズーム処理をオフからオンに切り替えることを意味しており、この共通コマンドＤＲＣｚｏｏｍＥｘｅｃ（ｏｎ）には、機能ブロック内コマンドｗｒｉｔｅＰｒｏｃｅｓｓＺｏｏｍ（ｏｎ）、ｄｉｓｐｌａｙＩｎｐｕｔ（ｉｎ１，ｉｎ２）、ｄｉｓｐｌａｙＳｉｚｅ（ｉｎ１，ｓｉｚｅ１），ｄｉｓｐｌａｙＳｉｚｅ（ｉｎ２，ｓｉｚｅ０．２５）、ｗｒｉｔｅＺｏｏｍＦｒａｍｅ（ＩｎｉｔＲａｔｉｏ，ＩｎｉｔＨｏｌ，ＩｎｉｔＶｅｒ）、ｗｒｉｔｅＰｒｏｃｅｓｓＤＲＣｚｏｏｍ（ＩｎｉｔＲａｔｉｏ，ＩｎｉｔＨｏｌ，ＩｎｉｔＶｅｒ）が対応するようにされている。
コマンドｗｒｉｔｅＰｒｏｃｅｓｓＺｏｏｍ（ｏｎ）は、ＤＲＣズーム処理がオンである旨を表示するための表示信号を生成し、この表示信号を出力画像信号に合成するように、機能部１２０ｅを制御するためのものである。コマンドｄｉｓｐｌａｙＩｎｐｕｔ（ｉｎ１，ｉｎ２）、入力用コネクタ１２０ｂの第１の入力端子に入力された、信号ルータ１２３からの画像信号（ＤＲＣズーム処理されている）、および入力用コネクタ１２０ｂの第２の入力端子に入力された、入力セレクタ１２２からの画像信号（ＤＲＣボリウム処理されていない）を、入力源として用いるように、機能部１２０ｅを制御するためのものである。
コマンドｄｉｓｐｌａｙＳｉｚｅ（ｉｎ１，ｓｉｚｅ１），ｄｉｓｐｌａｙＳｉｚｅ（ｉｎ２，ｓｉｚｅ０．２５）は、入力用コネクタ１２０ｂの第１の入力端子に入力された、信号ルータ１２３からの画像信号（ＤＲＣズーム処理されている）に、入力用コネクタ１２０ｂの第２の入力端子に入力された、入力セレクタ１２２からの画像信号（ＤＲＣボリウム処理されていない）に対して０．２５倍の縮小処理を施して得られた子画面用の画像信号を合成して出力画像信号を得るように、機能部１２０ｅを制御するためのものである。
コマンドｗｒｉｔｅＺｏｏｍＦｒａｍｅ（ＩｎｉｔＲａｔｉｏ，ＩｎｉｔＨｏｌ，ＩｎｉｔＶｅｒ）は、ズーム倍率の初期値「ｉｎｉｔＲａｔｉｏ」、ズーム中心位置の初期値「ｉｎｉｔＨｏｌ」，「ｉｎｉｔＶｅｒ」に基づいて、ＤＲＣ回路１２４でズーム処理された部分に対応した四角形の枠を子画面上に表示するための表示信号を生成し、この表示信号を出力画像信号に合成するように、機能部１２０ｅを制御するためのものである。
コマンドｗｒｉｔｅＰｒｏｃｅｓｓＤＲＣｚｏｏｍ（ＩｎｉｔＲａｔｉｏ，ＩｎｉｔＨｏｌ，ＩｎｉｔＶｅｒ）は、ズーム倍率の初期値「ｉｎｉｔＲａｔｉｏ」、ズーム中心位置の初期値「ｉｎｉｔＨｏｌ」，「ｉｎｉｔＶｅｒ」を示す表示信号を生成し、この表示信号を出力画像信号に合成するように、機能部１２０ｅを制御するためのものである。
ＤＲＣｚｏｏｍＥｘｅｃ（ｏｆｆ）はＤＲＣズーム処理をオンからオフに切り替えることを意味しており、この共通コマンドＤＲＣｚｏｏｍＥｘｅｃ（ｏｆｆ）には、機能ブロック内コマンドｗｒｉｔｅＰｒｏｃｅｓｓＺｏｏｍ（ｏｆｆ）、ｄｉｓｐｌａｙＩｎｐｕｔ（ｉｎ１  ｏｒ  ｉｎ２）、ｄｉｓｐｌａｙＳｉｚｅ（ｉｎ１  ｏｒ  ｉｎ２，ｓｉｚｅ１）、ｗｒｉｔｅＺｏｏｍＦｒａｍｅ（ｏｆｆ）、ｗｒｉｔｅＰｒｏｃｅｓｓＤＲＣｚｏｏｍ（ｏｆｆ）が対応するようにされている。
コマンドｗｒｉｔｅＰｒｏｃｅｓｓＺｏｏｍ（ｏｆｆ）は、ＤＲＣズーム処理がオフである旨を表示するための表示信号を生成し、この表示信号を出力画像信号に合成するように、機能部１２０ｅを制御するためのものである。コマンドｄｉｓｐｌａｙＩｎｐｕｔ（ｉｎ１  ｏｒ  ｉｎ２）は、ＤＲＣボリウム処理がオン状態にあるときは、入力用コネクタ１２０ｂの第１の入力端子に入力される、信号ルータ１２３からの画像信号を入力源として用い、ＤＲＣボリウム処理がオフ状態にあるときは、入力用コネクタ１２０ｂの第２の入力端子に入力される、入力セレクタ１２２からの画像信号を入力源として用いるように、機能部１２０ｅを制御するためのものである。
コマンドｄｉｓｐｌａｙＳｉｚｅ（ｉｎ１  ｏｒ  ｉｎ２，ｓｉｚｅ１）は、ＤＲＣボリウム処理がオン状態にあるときは、入力用コネクタ１２０ｂの第１の入力端子に入力される、信号ルータ１２３からの画像信号に縮小処理をせずにそのまま出力画像信号とし、ＤＲＣボリウム処理がオフ状態にあるときは、入力用コネクタ１２０ｂの第２の入力端子に入力される、入力セレクタ１２２からの画像信号に縮小処理をせずにそのまま出力画像信号とするように、機能部１２０ｅを制御するためのものである。
コマンドｗｒｉｔｅＺｏｏｍＦｒａｍｅ（ｏｆｆ）は、ズーム処理された部分に対応した四角形の枠を子画面に表示するための表示信号を生成し、出力画像信号に合成することを行わないように、機能部１２０ｅを制御するためのものである。コマンドｗｒｉｔｅＰｒｏｃｅｓｓＤＲＣｚｏｏｍ（ｏｆｆ）は、ズーム倍率、ズーム中心位置を示す表示信号を生成し、出力画像信号に合成することを行わないように、機能部１２０ｅを制御するためのものである。
子画面ＯＳＤ回路１２８の制御Ｉ／Ｆ１２０ｄのインタプリタ１２０ｄ−３では、制御ポート１２０ｄ−１でＤＲＣｚｏｏｍＥｘｅｃ（ｏｎ／ｏｆｆ）が受信されるとき、ＲＯＭ１２０ｄ−２に記憶されている対応関係に基づいて、この共通コマンドＤＲＣｚｏｏｍＥｘｅｃ（ｏｎ／ｏｆｆ）が、機能ブロック内コマンドｄｉｓｐｌａｙＩｎｐｕｔ（ｉｎ１，ｉｎ２／ｉｎ１  ｏｒ  ｉｎ２）、ｄｉｓｐｌａｙＳｉｚｅ（ｉｎ１，ｓｉｚｅ１），ｄｉｓｐｌａｙＳｉｚｅ（ｉｎ２，ｓｉｚｅ０．２５）／ｄｉｓｐｌａｙＳｉｚｅ（ｉｎ１  ｏｒ  ｉｎ２，ｓｉｚｅ１）、ｗｒｉｔｅＺｏｏｍＦｒａｍｅ（ＩｎｉｔＲａｔｉｏ，ＩｎｉｔＨｏｌ，ＩｎｉｔＶｅｒ／ｏｆｆ）およびｗｒｉｔｅＰｒｏｃｅｓｓＤＲＣｚｏｏｍ（ＩｎｉｔＲａｔｉｏ，ＩｎｉｔＨｏｌ，ＩｎｉｔＶｅｒ／ｏｆｆ）に変換される。
これにより、子画面ＯＳＤ回路１２８は、ＤＲＣズーム処理のオンまたはオフを表示し、またＤＲＣズーム処理された画像信号またはＤＲＣズーム処理されていない画像信号を出力し、またＤＲＣズーム処理を行うときは、全体を表示する子画面を表示すると共に、その子画面上にズーム処理部分を示す四角形の枠を表示し、さらにズーム率、ズーム中心位置を表示する状態となる。
また、この子画面ＯＳＤ回路１２８の制御Ｉ／Ｆ１２０ｄのＲＯＭ１２０ｄ−２には、図５に示すように、上述したＤＲＣのズーム率、ズーム中心位置の調整を意味する共通コマンドＤＲＣｚｏｏｍ（ｒａｔｉｏＶａｌ，ｈｏｌｉｚｏｎｔａｌＶａｌ，ｖｅｒｔｉｃａｌＶａｌ）と、子画面上のズーム枠表示を意味する機能ブロック内コマンドｗｒｉｔｅＺｏｏｍＦｒａｍｅ（ｒａｔｉｏＶａｌ，ｈｏｌｉｚｏｎｔａｌＶａｌ，ｖｅｒｔｉｃａｌＶａｌ）およびＤＲＣズーム率、ズーム中心位置表示を意味する機能ブロック内コマンドｗｒｉｔｅＰｒｏｃｅｓｓＤＲＣｚｏｏｍ（ｒａｔｉｏＶａｌ，ｈｏｌｉｚｏｎｔａｌＶａｌ，ｖｅｒｔｉｃａｌＶａｌ）が、対応して記憶されている。
コマンドｗｒｉｔｅＺｏｏｍＦｒａｍｅ（ｒａｔｉｏＶａｌ，ｈｏｌｉｚｏｎｔａｌＶａｌ，ｖｅｒｔｉｃａｌＶａｌ）は、ズーム倍率「ｒａｔｉｏＶａｌ」、ズーム中心位置「ｈｏｌｉｚｏｎｔａｌＶａｌ」，「ｖｅｒｔｉｃａｌＶａｌ」に基づいて、ＤＲＣ回路１２４でズーム処理された部分に対応した四角形の枠を子画面上に表示するための表示信号を生成し、この表示信号を出力画像信号に合成するように、機能部１２０ｅを制御するためのものである。
コマンドｗｒｉｔｅＰｒｏｃｅｓｓＤＲＣｚｏｏｍ（ｒａｔｉｏＶａｌ，ｈｏｌｉｚｏｎｔａｌＶａｌ，ｖｅｒｔｉｃａｌＶａｌ）は、ズーム倍率「ｒａｔｉｏＶａｌ」、ズーム中心位置「ｈｏｌｉｚｏｎｔａｌＶａｌ」，「ｖｅｒｔｉｃａｌＶａｌ」を示す表示信号を生成し、この表示信号を出力画像信号に合成するように、機能部１２０ｅを制御するためのものである。
子画面ＯＳＤ回路１２８の制御Ｉ／Ｆ１２０ｄのインタプリタ１２０ｄ−３では、制御ポート１２０ｄ−１で共通コマンドＤＲＣｚｏｏｍ（ｒａｔｉｏＶａｌ，ｈｏｌｉｚｏｎｔａｌＶａｌ，ｖｅｒｔｉｃａｌＶａｌ）が受信されるとき、ＲＯＭ１２０ｄ−２に記憶されている対応関係に基づいて、この共通コマンドＤＲＣｚｏｏｍ（ｒａｔｉｏＶａｌ，ｈｏｌｉｚｏｎｔａｌＶａｌ，ｖｅｒｔｉｃａｌＶａｌ）が、機能ブロック内コマンドｗｒｉｔｅＺｏｏｍＦｒａｍｅ（ｒａｔｉｏＶａｌ，ｈｏｌｉｚｏｎｔａｌＶａｌ，ｖｅｒｔｉｃａｌＶａｌ）およびｗｒｉｔｅＰｒｏｃｅｓｓＤＲＣｚｏｏｍ（ｒａｔｉｏＶａｌ，ｈｏｌｉｚｏｎｔａｌＶａｌ，ｖｅｒｔｉｃａｌＶａｌ）に変換される。これにより、子画面ＯＳＤ回路１２８は、ズーム率、ズーム中心位置を示す表示信号を生成すると共に、ズーム処理されている部分に対応した四角形の枠を子画面上に表示するための表示信号を生成し、これら表示信号が合成された出力画像信号を出力する状態となる。
次に、図１に示す画像信号処理装置１００の動作を説明する。ここでは、図６のシステム制御ブロック１１０の制御動作を示すフローチャートを参照して説明する。
システム制御ブロック１１０は、ステップＳＴ１で、電源の投入があると、制御動作を開始し、ステップＳＴ２で、機能ブロック２、機能ブロック３、機能ブロック８、そしてスロット１０４ａ〜１０４ｅに挿入されている他の機能ブロック１２０の制御Ｉ／Ｆ１２０ｄのＲＯＭ１２０ｄ−２に記憶されている共通コマンドを、制御バス１１１を通じて取得する。
これにより、システム制御ブロック１１０は、処理装置１００を構成する全ての機能ブロック１２０に係る共通コマンドを持つことができる。このとき同時に、システム制御ブロック１１０は、処理装置１００を構成する各機能ブロック１２０から基板ＩＤを取得し、上述した第１〜第５の構成のいずれにあるかを認識する。
次に、システム制御ブロック１１０は、ステップＳＴ３で、上述したステップＳＴ２で認識した構成に基づいて、機能ブロック間接続１〜５を意味する共通コマンドＩｎｉｔｉａｌｉｚｅＣｏｎｎｅｃｔ（１／２／３／４／５）のいずれかを、制御バス１１１に送出する。この共通コマンドは信号ルータ１２３（機能ブロック３）および子画面ＯＳＤ回路１２８（機能ブロック８）に係るものである（図５参照）。
信号ルータ１２３における制御Ｉ／Ｆ１２０ｄのインタプリタ１２０ｄ−３では、制御ポート１２０ｄ−１で当該共通コマンドが受信されるとき、ＲＯＭ１２０ｄ−２に記憶されている対応関係に基づいて、当該共通コマンドが、処理基板間の接続切替を意味する機能ブロック内コマンドに変換される。これにより、信号ルータ１２３は、システム制御ブロック１１０がステップＳＴ２で認識した構成に対応した、接続状態となる。
すなわち、システム制御ブロック１１０は、第１の構成、または第２の構成であると認識するとき、共通コマンドＩｎｉｔｉａｌｉｚｅＣｏｎｎｅｃｔ（１／２）を制御バス１１１に送出する。これに応じて、信号ルータ１２３における制御Ｉ／Ｆ１２０ｄのインタプリタ１２０ｄ−３では、この共通コマンドＩｎｉｔｉａｌｉｚｅＣｏｎｎｅｃｔ（１／２）が機能ブロック内コマンドｒｏｕｔｅ（１）に変換される。これにより、信号ルータ１２３は、第１の入力端子が第１の出力端子に接続され、第２の入力端子が第４の出力端子に接続された第１の状態となる（図９、図１０参照）。
また、システム制御ブロック１１０は、第３の構成であると認識するとき、共通コマンドＩｎｉｔｉａｌｉｚｅＣｏｎｎｅｃｔ（３）を制御バス１１１に送出する。これに応じて、信号ルータ１２３における制御Ｉ／Ｆ１２０ｄのインタプリタ１２０ｄ−３では、この共通コマンドＩｎｉｔｉａｌｉｚｅＣｏｎｎｅｃｔ（３）が機能ブロック内コマンドｒｏｕｔｅ（２）に変換される。これにより、信号ルータ１２３は、第１の入力端子が第１の出力端子に接続され、第２の入力端子が第２の出力端子に接続され、第３の入力端子が第４の出力端子に接続される第２の状態となる（図１１参照）。
また、システム制御ブロック１１０は、第４の構成、または第５の構成であると認識するとき、共通コマンドＩｎｉｔｉａｌｉｚｅＣｏｎｎｅｃｔ（４／５）を制御バス１１１に送出する。これに応じて、信号ルータ１２３における制御Ｉ／Ｆ１２０ｄのインタプリタ１２０ｄ−３では、この共通コマンドＩｎｉｔｉａｌｉｚｅＣｏｎｎｅｃｔ（４／５）が機能ブロック内コマンドｒｏｕｔｅ（３）に変換される。これにより、信号ルータ１２３は、第１の入力端子が第３の出力端子に接続され、第４の入力端子が第１の出力端子に接続され、第２の入力端子が第２の出力端子に接続され、第３の入力端子が第４の出力端子に接続される第３の状態となる（図１２、図１３参照）。
また、子画面ＯＳＤ回路１２８における制御Ｉ／Ｆ１２０ｄのインタプリタ１２０ｄ−３では、制御ポート１２０ｄ−１で当該共通コマンドが受信されるとき、ＲＯＭ１２０ｄ−２に記憶されている対応関係に基づいて、当該共通コマンドが、接続状況表示を意味する機能ブロック内コマンドに変換される。これにより、子画面ＯＳＤ回路１２８は、システム制御ブロック１１０がステップＳＴ２で認識した構成である旨を表示するための表示信号を生成し、この表示信号が合成された出力画像信号を出力する状態となる。
次に、システム制御ブロック１１０は、ステップＳＴ４で、信号ルータ１２３（機能ブロック３）に係る共通コマンド（第７の種類）を除く、全種類の共通コマンドの初期値を制御バス１１１に送出する。この場合、以下のように、同一種類の制御に係る共通コマンドを同じ種類としている。
すなわち、共通コマンドｃｈ（１）〜ｃｈ（１２）はそれぞれチャネル番号１〜１２を意味するものであり、第１の種類の共通コマンドである。共通コマンドｉｎ（１）〜ｉｎ（３）はそれぞれ入力１〜３を意味するものであり、第２の種類の共通コマンドである。共通コマンドＤＲＣｖｏｌＥｘｅｃ（ｏｎ／ｏｆｆ）はそれぞれＤＲＣボリウム処理の切替を意味するものであり、第３の種類の共通コマンドである。共通コマンドＤＲＣｖｏｌ（ｒｅｓｏｌｕｔｉｏｎＶａｌ，ｎｏｉｓｅＶａｌ）はＤＲＣの解像度軸、ノイズ軸の調整を意味するものであり、第４の種類の共通コマンドである。
共通コマンドＤＲＣｚｏｏｍＥｘｅｃ（ｏｎ／ｏｆｆ）はそれぞれＤＲＣズーム処理の切替を意味するものであり、第５の種類の共通コマンドである。共通コマンドＤＲＣｚｏｏｍ（ｒａｔｉｏＶａｌ，ｈｏｌｉｚｏｎｔａｌＶａｌ，ｖｅｒｔｉｃａｌＶａｌ）はＤＲＣのズーム率、ズーム中心位置の調整を意味するものであり、第６の種類の共通コマンドである。共通コマンドＩｎｉｔｉａｌｉｚｅ  Ｃｏｎｎｅｃｔ（１／２／３／４／５）はそれぞれ機能ブロック間接続を意味するものであり、第７の種類の共通コマンドである。
この場合、第１の種類の共通コマンドに関しては、システム制御ブロック１１０は、チャネル番号用のラストメモリ領域に記憶された共通コマンドを、初期値として、制御バス１１１に送出する。これにより、Ｕ／Ｖチューナ１２１は、電源オフ時に選局されていたチャネルを選局した状態となる。また、子画面ＯＳＤ回路１２８は、その選局されたチャネルを表示するための表示信号を生成し、この表示信号が合成された出力画像信号を出力する状態となる。
第２の種類の共通コマンドに関しては、システム制御ブロック１１０は、入力セレクト用のラストメモリ領域に記憶された共通コマンドを、初期値として、制御バス１１１に送出する。これにより、入力セレクタ１２２は、電源オフ時に選択されていた入力を選択した状態となる。また、子画面ＯＳＤ回路１２８は、その選択された入力を表示するための表示信号を生成し、この表示信号が合成された出力画像信号を出力する状態となる。
第３の種類の共通コマンドに関しては、システム制御ブロック１１０は、共通コマンドＤＲＣｖｏｌＥｘｅｃ（ｏｎ）を、初期値として、制御バス１１１に送出する。これにより、子画面ＯＳＤ回路１２８は、ＤＲＣボリウム処理がオンである旨を表示するための表示信号を生成し、この表示信号が合成された出力画像信号を出力する状態となる。また、子画面ＯＳＤ回路１２８は、信号ルータ１２３から出力されるＤＲＣボリウム処理された画像信号を入力源として選択し、その画像信号を縮小処理せずにそのまま出力する状態となる。
第４の種類の共通コマンドに関しては、システム制御ブロック１１０は、ボリウム値用のラストメモリ領域に記憶された共通コマンドを、初期値として、制御バス１１１に送出する。これにより、ＤＲＣ回路１２４は、電源オフ時における解像度軸のボリウム値、ノイズ軸のボリウム値によるＤＲＣボリウム処理を行う状態となる。また、子画面ＯＳＤ回路１２８は、その解像度軸のボリウム値、ノイズ軸のボリウム値を表示するための表示信号を生成し、この表示信号が合成された出力画像信号を出力する状態となる。さらに、ノイズ除去回路１２７は、そのノイズ軸のボリウム値に対応した抑圧度でノイズ抑圧を行う状態となる。
第５の種類の共通コマンドに関しては、システム制御ブロック１１０は、共通コマンドＤＲＣｚｏｏｍＥｘｅｃ（ｏｆｆ）を、初期値として、制御バス１１１に送出する。これにより、ＤＲＣ回路１２４は、ＤＲＣズーム処理を行わない状態となる。また、子画面ＯＳＤ回路１２８は、ＤＲＣズーム処理がオフである旨を表示するための表示信号を生成し、この表示信号が合成された出力画像信号を出力する状態となる。また、子画面ＯＳＤ回路１２８は、ＤＲＣボリウム処理がオン状態にあるときは、信号ルータ１２３から出力される画像信号を入力源として選択し、その画像信号を縮小処理せずにそのまま出力し、ＤＲＣボリウム処理がオフ状態にあるときは、入力セレクタ１２２から出力される画像信号を入力源として選択し、その画像信号を縮小処理せずにそのまま出力する状態となる。
また、子画面ＯＳＤ回路１２８は、ＤＲＣズーム処理された部分に対応した四角形の枠を子画面上に表示するための表示信号を生成し、出力画像信号に合成することを行わず、さらにズーム倍率、ズーム中心位置を示す表示信号を生成し、出力画像信号に合成することを行わない。
第６の種類の共通コマンドに関しては、システム制御ブロック１１０は、共通コマンドＤＲＣｚｏｏｍ（ＩｎｉｔＲａｔｉｏ，ＩｎｉｔＨｏｌ，ＩｎｉｔＶｅｒ）を、初期値として、制御バス１１１に送出する。これにより、ＤＲＣ回路１２４は、ＤＲＣズーム処理がオンとなるとき、ズーム率の初期値「ＩｎｉｔＲａｔｉｏ」、ズーム中心位置の初期値「ＩｎｉｔＨｏｌ」、「ＩｎｉｔＶｅｒ」に対応した、ＤＲＣズーム処理を行う状態となる。また、子画面ＯＳＤ回路１２８は、ＤＲＣズーム処理がオンとなるとき、ズーム率の初期値「ＩｎｉｔＲａｔｉｏ」、ズーム中心位置の初期値「ＩｎｉｔＨｏｌ」、「ＩｎｉｔＶｅｒ」を表示するための表示信号を生成し、またＤＲＣズーム処理された部分に対応した四角形の枠を子画面上に表示するための表示信号を生成し、これらの表示信号が合成された出力画像信号を出力する状態となる。
次に、システム制御ブロック１１０は、ステップＳＴ５で、タイマをスタートさせ、ステップＳＴ６で、リモコン送信機１１２、あるいは筐体１０１の操作部１１３によるユーザ操作があるか否かを判定する。そして、システム制御ブロック１１０は、ユーザ操作があるとき、ステップＳＴ７で、ユーザ操作に対応した共通コマンドを、制御バス１１１に送出する。
ここで、ユーザがチャネル番号１〜１２を選択する操作を行った場合、システム制御ブロック１１０は、それぞれ共通コマンドｃｈ（１）〜ｃｈ（１２）を、制御バス１１１に送出する。これにより、Ｕ／Ｖチューナ１２１は、選択されたチャネルを選局した状態となる。また、子画面ＯＳＤ回路１２８は、その選局されたチャネルを表示するための表示信号を生成し、この表示信号が合成された出力画像信号を出力する状態となる。なお、システム制御ブロック１１０は、この送出共通コマンドで、チャネル番号用のラストメモリ領域に記憶されている共通コマンドを更新する。
また、ユーザが入力１〜３を選択する操作を行った場合、システム制御ブロック１１０は、それぞれ共通コマンドｉｎ（１）〜ｉｎ（３）を、制御バス１１１に送出する。これにより、入力セレクタ１２２は、選択された入力に切り替えられた状態となる。また、子画面ＯＳＤ回路１２８は、その切り替えられた入力を表示するための表示信号を生成し、この表示信号が合成された出力画像信号を出力する状態となる。なお、システム制御ブロック１１０は、この送出共通コマンドで、入力セレクト用のラストメモリ領域に記憶されている共通コマンドを更新する。
また、ユーザがＤＲＣボリウム処理をオフからオンに切り替える操作を行った場合、システム制御ブロック１１０は、共通コマンドＤＲＣｖｏｌＥｘｅｃ（ｏｎ）を、制御バス１１１に送出する。これにより、子画面ＯＳＤ回路１２８は、ＤＲＣボリウム処理のオンを表示するための表示信号を生成し、この表示信号が合成された出力画像信号を出力する状態となる。また、この子画面ＯＳＤ回路１２８は、信号ルータ１２３からのＤＲＣボリウム処理されている画像信号を入力源とし、この画像信号を縮小処理せずにそのまま出力画像信号として出力する状態となる。
また、ユーザがＤＲＣボリウム処理をオンからオフに切り替える操作を行った場合、システム制御ブロック１１０は、共通コマンドＤＲＣｖｏｌＥｘｅｃ（ｏｆｆ）を、制御バス１１１に送出する。これにより、子画面ＯＳＤ回路１２８は、ＤＲＣボリウム処理のオフを表示するための表示信号を生成し、この表示信号が合成された出力画像信号を出力する状態となる。また、この子画面ＯＳＤ回路１２８は、入力セレクタ１２２からのＤＲＣボリウム処理されていない画像信号を入力源とし、この画像信号を縮小処理せずにそのまま出力画像信号として出力する状態となる。
また、ユーザが解像度軸、ノイズ軸のボリウム値を変更する操作を行った場合、システム制御ブロック１１０は、共通コマンドＤＲＣｖｏｌ（ｒｅｓｏｌｕｔｉｏｎＶａｌ，ｎｏｉｓｅＶａｌ）を、制御バス１１１に送出する。これにより、ＤＲＣ回路１２４は、ユーザの操作による解像度軸、ノイズ軸のボリウム値に応じた解像度、ノイズ除去度が選択された状態となる。また、子画面ＯＳＤ回路１２８は、解像度軸のボリウム値「ｒｅｓｏｌｕｔｉｏｎＶａｌ」、ノイズ軸のボリウム値「ｎｏｉｓｅＶａｌ」を表示するための表示信号を生成し、この表示信号が合成された出力画像信号を出力する状態となる。さらに、ノイズ除去回路１２７は、ノイズ軸のボリウム値「ｎｏｉｓｅＶａｌ」に対応した抑圧度でノイズ抑圧を行う状態となる。なお、システム制御ブロック１１０は、この送出共通コマンドで、ボリウム値用のラストメモリ領域に記憶されている共通コマンドを更新する。
また、ユーザがＤＲＣズーム処理をオフからオンに切り替える操作を行った場合、システム制御ブロック１１０は、共通コマンドＤＲＣｚｏｏｍＥｘｅｃ（ｏｎ）を、制御バス１１１に送出する。これにより、ＤＲＣ回路１２４は、ズーム率、ズーム中心位置の初期値に対応したＤＲＣズーム処理を実行する状態となる。また、子画面ＯＳＤ回路１２８は、ＤＲＣズーム処理がオンである旨を表示するための表示信号を生成し、この表示信号が合成された出力画像信号を出力する状態となる。また、子画面ＯＳＤ回路１２８は、信号ルータ１２３からのＤＲＣズーム処理（ズーム率、ズーム中心位置は初期値）されている画像信号に、入力セレクタ１２２からの画像信号に対して０．２５倍の縮小処理を施して得られた子画面用の画像信号を合成した出力画像信号を出力する状態となる。また、子画面ＯＳＤ回路１２８は、ＤＲＣ回路１２４でズーム処理された部分に対応した四角形の枠を子画面上に表示するための表示信号を生成し、この表示信号が合成された出力画像信号を出力する状態となる。さらに子画面ＯＳＤ回路１２８は、ズーム倍率、ズーム中心位置の初期値を示す表示信号を生成し、この表示信号が合成された出力画像信号を出力する状態となる。
また、ユーザがＤＲＣズーム処理をオンからオフに切り替える操作を行った場合、システム制御ブロック１１０は、共通コマンドＤＲＣｚｏｏｍＥｘｅｃ（ｏｆｆ）を、制御バス１１１に送出する。これにより、ＤＲＣ回路１２４は、ズーム率が１で、ズーム中心位置が（０，０）であるＤＲＣズーム処理を実行する状態、従って実質的にはＤＲＣズーム処理を行わない状態となる。また、子画面ＯＳＤ回路１２８は、ＤＲＣズーム処理がオフである旨を表示するための表示信号を生成し、この表示信号が合成された出力画像信号を出力する状態となる。また、この子画面ＯＳＤ回路１２８は、ＤＲＣボリウム処理がオンの状態にあるときは、信号ルータ１２３からの画像信号を縮小処理せずにそのまま出力画像信号として出力し、ＤＲＣボリウム処理がオフの状態にあるときは、入力セレクタ１２２からの画像信号を縮小処理せずにそのまま出力画像信号として出力する状態となる。
また、ユーザがズーム率、ズーム中心位置を変更する操作を行った場合、システム制御ブロック１１０は、共通コマンドＤＲＣｚｏｏｍ（ｒａｔｉｏＶａｌ，ｈｏｌｉｚｏｎｔａｌＶａｌ，ｖｅｒｔｉｃａｌＶａｌ）を、制御バス１１１に送出する。これにより、ＤＲＣ回路１２４は、変更後のズーム率、ズーム中心位置に対応したＤＲＣズーム処理を実行する状態となる。また、子画面ＯＳＤ回路１２８は、ズーム率、ズーム中心位置を示す表示信号を生成すると共に、ズーム処理されている部分に対応した四角形の枠を子画面上に表示するための表示信号を生成し、これら表示信号が合成された出力画像信号を出力する状態となる。
次に、システム制御ブロック１１０は、ステップＳＴ８で、ステップＳＴ５でスタートさせたタイマに基づいて、所定時間が経過したか否かを判定する。所定時間が経過していないとき、システム制御ブロック１１０は、ステップＳＴ６に戻り、上述したように、ユーザ操作があるときは、ステップＳＴ７に進んで、ユーザ操作に対応した共通コマンドを制御バス１１１に送出する。なお、ステップＳＴ６で、ユーザ操作がないと判定するとき、システム制御ブロック１１０は、直ちにステップＳＴ８に進み、上述したように所定時間が経過したか否かを判定する。
ステップＳＴ８で所定時間が経過したとき、システム制御ブロック１１０は、ステップＳＴ９で、全種類の最新の共通コマンドを、制御バス１１１に送出する。ここで、最新の共通コマンドは、ステップＳＴ３、ステップＳＴ４で制御バス１１０に送出された共通コマンド、あるいはステップＳＴ７で制御バス１１１に送出された変更後の共通コマンドのいずれかである。すなわち、ある種類の共通コマンドに関しては、初期値から変更されていない場合はその初期値が最新の共通コマンドであり、初期値から変更されている場合はその変更後の値が最新の共通コマンドとなる。
そして、システム制御ブロック１１０は、ステップＳＴ９で、全種類の最新の共通コマンドを制御バス１１１に送出した後、ステップＳＴ５に戻り、タイマを再度スタートさせて、上述したと同様の制御動作を行う。
上述したように、システム制御ブロック１１０は、所定時間おきのタイミングで、全種類の最新の共通コマンドを、制御バス１１１に送出する。これにより、ある機能ブロックで自己の機能ブロックに係る共通コマンドを何らかの原因で受信できなかった場合であっても、当該機能ブロックは、所定時間後にその共通コマンドを受信することが可能となり、例えば２個の機能ブロックが連係して動作する場合に、片方の機能ブロックが共通コマンドを受信できなかったことによる連係のずれを、修正できる。
例えば、図７は、ＤＲＣ回路１２４（機能ブロック４）および子画面ＯＳＤ回路１２８（機能ブロック８）を示している。ＤＲＣ回路１２４の機能部１２０ｅには、ＤＲＣズーム処理を行うＤＲＣ部が存在する。子画面ＯＳＤ回路１２８の機能部１２０ｅには、子画面用の画像信号を得る子画面部およびズーム処理部分に対応した四角形の枠を表示する表示信号を生成するＯＳＤ（Ｏｎ  Ｓｃｒｅｅｎ  Ｄｉｓｐｌａｙ）部が存在する。
ＤＲＣズーム処理がオンの状態にあり、ユーザのズーム率、ズーム位置の変更操作に伴って、システム制御ブロック１１０から制御バス１１１に共通コマンドＤＲＣｚｏｏｍ（ｒａｔｉｏＶａｌ，ｈｏｌｉｚｏｎｔａｌＶａｌ，ｖｅｒｔｉｃａｌＶａｌ）が送出される場合を考える。
この場合、ＤＲＣ回路１２４の機能部１２０ｅには機能ブロック内コマンドｚｏｏｍ（ｒａｔｉｏＶａｌ，ｈｏｌｉｚｏｎｔａｌＶａｌ，ｖｅｒｔｉｃａｌＶａｌ）が供給される。そして、ＤＲＣ部では、ズーム率「ｒａｔｉｏＶａｌ」、ズーム中心位置「ｈｏｌｉｚｏｎｔａｌＶａｌ」，「ｖｅｒｔｉｃａｌＶａｌ」に対応したＤＲＣズーム処理が行われる。またこの場合、子画面ＯＳＤ回路１２８の機能部１２０ｅには、機能ブロックコマンドｗｒｉｔｅＺｏｏｍＦｒａｍｅ（ｒａｔｉｏＶａｌ，ｈｏｌｉｚｏｎｔａｌＶａｌ，ｖｅｒｔｉｃａｌＶａｌ）が供給される。そして、ＯＳＤ部では、ズーム処理されている部分に対応した四角形の枠を子画面上に表示するための表示信号が生成される。
そしてこの場合、子画面ＯＳＤ回路１２８の機能部１２０ｅでは、信号ルータ１２３からのＤＲＣズーム処理されている画像信号に、入力セレクタ１２２からの画像信号に対して子画面部で縮小処理を施して得られた子画面用の画像信号が合成されて出力画像信号が得られ、またこの出力画像信号にＯＳＤ部で生成されたズーム処理された部分に対応した四角形の枠を子画面上に表示するための表示信号が合成される。
これにより、子画面ＯＳＤ回路１２８から出力される出力画像信号によれば、例えば、図８に示すように、ＤＲＣズーム処理されて得られた画像信号による画像ＩＭ１に、子画面用の画像信号による画像ＩＭ２が重畳されて表示され、さらにこの画像ＩＭ２上にズーム処理された部分に対応した四角形の枠ＦＬＭが表示される。
上述したように、システム制御ブロック１１０から制御バス１１１に共通コマンドＤＲＣｚｏｏｍ（ｒａｔｉｏＶａｌ，ｈｏｌｉｚｏｎｔａｌＶａｌ，ｖｅｒｔｉｃａｌＶａｌ）が送出され、この共通コマンドがＤＲＣ回路１２４および子画面ＯＳＤ回路１２８の双方で受信されれば、画像ＩＭ１と画像ＩＭ２の枠内の部分とは内容的に完全に一致したものとなる。
しかし、当該共通コマンドを、ＤＲＣ回路１２４および子画面ＯＳＤ回路１２８の一方で受信できなかった場合には、画像ＩＭ１と画像ＩＭ２の枠内の部分とが内容的に一致しなくなり、連係のずれが発生する。この場合、所定時間後にシステム制御ブロック１１０が制御バス１１１に当該共通コマンドを送出することで、受信できなかった一方の機能ブロックが当該共通コマンドを受信可能となり、画像ＩＭ１と画像ＩＭ２の枠内の部分とを内容的に一致させることができる。
このような連係のずれは、システム制御ブロック１１０が制御バス１１１にその他の種類の共通コマンドを送出する場合にも起こり得る。しかし、上述したように、システム制御ブロック１１０が、所定時間おきのタイミングで、全部の種類の最新の共通コマンドを、制御バス１１１に送出することで、この連係のずれを、修正できる。
なお、上述では、全部の種類の最新の共通コマンドを制御バス１１１に送出するものを示したが、システム制御ブロック１１０は、所定時間おきのタイミングで、連係のずれが気になる一部の種類の最新の共通コマンドのみを、制御バス１１１に送出するようにしてもよい。
また、上述では、システム制御ブロック１１０が、所定時間おきのタイミングで、全部の種類の最新の共通コマンドを、制御バス１１１に送出するものを示したが、例えば共通コマンドを受信する機能ブロックは共通コマンドを受けて正常動作したことを示すコマンドをシステム制御ブロック１１０に返すものとし、システム制御ブロック１１０はそのようなコマンドが返されなかった場合に、再度全部の種類または一部の種類の共通コマンドを、制御バス１１１に送出するようにしてもよい。
また、上述したように、システム制御ブロック１１０は、電源投入時に、処理装置１００を構成する各機能ブロック１２０から共通コマンドを取得するようにしている。そのため、新たな機能ブロック１２０が追加され、当該新たな機能ブロック１２０に対応した共通コマンドが新たに必要となる場合であっても、容易に対処できる。
次に、画像信号処理装置１００の、上述した第１〜第５の構成について説明する。この画像信号処理装置１００では、例えば、スロット１０４ａにＵ／Ｖチューナ１１２が挿入され、スロット１０４ｃにＤＲＣ回路１２４が挿入された状態が、基本構成とされる。この基本構成が第１の構成である。
図９は、基本構成（第１の構成）の接続状態を示している。この場合、システム制御ブロック１１０は、電源投入時に、入力セレクタ１２２、信号ルータ１２３、子画面ＯＳＤ回路１２８の他、Ｕ／Ｖチューナ１２１、ＤＲＣ回路１２４から共通コマンドを取得し、またこれら入力セレクタ１２２、信号ルータ１２３、子画面ＯＳＤ回路１２８、Ｕ／Ｖチューナ１２１およびＤＲＣ回路１２４から基板ＩＤを取得し、第１の構成（基本構成）にあることを認識する。
そして、システム制御ブロック１１０は、この第１の構成を意味する共通コマンドＩｎｉｔｉａｌｉｚｅＣｏｎｎｅｃｔ（１）を、制御バス１１１に送出する。これにより、信号ルータ１２３は、第１の入力端子が第１の出力端子に接続され、第２の入力端子が第４の出力端子に接続された第１の状態となる。これにより、ＤＲＣ回路１２４が処理系に挿入される。また、子画面ＯＳＤ回路１２８は、第１の構成である旨を表示するための表示信号を生成し、この表示信号が合成された出力画像信号を出力する状態となる。
また、システム制御ブロック１１０は、信号ルータ１２３に係る共通コマンドを除く、全種類の共通コマンドの初期値（図５参照）を制御バス１１１に送出する。これにより、入力セレクタ１２２、子画面ＯＳＤ回路１２８、Ｕ／Ｖチューナ１２１およびＤＲＣ回路１２４は、初期状態となり、画像信号処理装置１００としての動作が開始される。
すなわち、Ｕ／Ｖチューナ１２１では、Ｕ／Ｖ用アンテナで受信された放送信号に対して、システム制御ブロック１１０から送られてくる共通コマンドｃｈ（１）〜ｃｈ（１２）のいずれかに基づいて選局処理が施され、所定のチャネルの画像信号が得られる。
このＵ／Ｖチューナ１２１で得られる画像信号（入力１）は入力セレクタ１２２に入力される。また、この入力セレクタ１２２には、コネクタ１０２ａ（図１参照）に供給された外部ビデオ入力としての画像信号（入力３）も入力される。この入力セレクタ１２２では、システム制御ブロック１１０から送られてくる共通コマンドｉｎ（１）または共通コマンドｉｎ（３）に基づいて、入力１または入力３が選択される。
この入力セレクタ１２２で選択された画像信号は、信号ルータ１２３の第１の入力端子、第１の出力端子を介して、ＤＲＣ回路１２４に入力される。このＤＲＣ回路１２４では、入力された画像信号に対して、システム制御ブロック１１０から送られてくる、共通コマンドＤＲＣｖｏｌ（ｒｅｓｏｌｕｔｉｏｎＶａｌ，ｎｏｉｓｅＶａｌ）、ＤＲＣｚｏｏｍＥｘｅｃ（ｏｎ／ｏｆｆ）、ＤＲＣｚｏｏｍ（ｒａｔｉｏＶａｌ，ｈｏｌｉｚｏｎｔａｌＶａｌ，ｖｅｒｔｉｃａｌＶａｌ）に基づいて、ＤＲＣボリウム処理、ＤＲＣズーム処理が施される。
そして、ＤＲＣ回路１２４から出力される画像信号は、信号ルータ１２３の第２の入力端子、第４の出力端子を介して、子画面ＯＳＤ回路１２８の第１の入力端子に供給される。この子画面ＯＳＤ回路１２８の第２の入力端子には、入力セレクタ１２２で選択された画像信号が供給される。
子画面ＯＳＤ回路１２８では、システム制御ブロック１１０から送られてくる、共通コマンドｃｈ（１）〜ｃｈ（１２）、ｉｎ（１），ｉｎ（２）、ＤＲＣｖｏｌＥｘｅｃ（ｏｎ／ｏｆｆ）、ＤＲＣｖｏｌ（ｒｅｓｏｌｕｔｉｏｎＶａｌ，ｎｏｉｓｅＶａｌ）、ＤＲＣｚｏｏｍＥｘｅｃ（ｏｎ／ｏｆｆ）、ＤＲＣｚｏｏｍ（ｒａｔｉｏＶａｌ，ｈｏｌｉｚｏｎｔａｌＶａｌ，ｖｅｒｔｉｃａｌＶａｌ）に基づいて、出力画像信号を得る処理、その出力画像信号に種々の表示をする表示信号を合成する処理等が行われる。
この子画面ＯＳＤ回路１２８で得られる出力画像信号は、コネクタ１０３（図１参照）に出力画像信号として出力される。この出力画像信号は、例えばＣＲＴ（Ｃａｔｈｏｄｅ−Ｒａｙ  Ｔｕｂｅ）で構成されるディスプレイに供給される。
また、電源投入後は、ユーザ操作があるとき、システム制御ブロック１１０からユーザ操作に対応した共通コマンドが制御バス１１１に送出される。これにより、Ｕ／Ｖチューナ１２１の選局チャネル、入力セレクタ１２２で選択される入力、ＤＲＣ回路１２４のＤＲＣボリウム処理、ＤＲＣズーム処理の処理内容などが変更される。
次に、上述した基本構成（第１の構成）に、デジタル地上波チューナ１２６を追加した第２の構成について説明する。デジタル地上波チューナ１２６は、スロット１０４ｂに挿入される。
図１０は、第２の構成の接続状態を示している。この場合、システム制御ブロック１１０は、電源投入時に、入力セレクタ１２２、信号ルータ１２３、子画面ＯＳＤ回路１２８の他、Ｕ／Ｖチューナ１２１、ＤＲＣ回路１２４から共通コマンドを取得し、また入力セレクタ１２２、信号ルータ１２３、子画面ＯＳＤ回路１２８、Ｕ／Ｖチューナ１２１、ＤＲＣ回路１２４およびデジタル地上波チューナ１２６から基板ＩＤを取得し、第２の構成にあることを認識する。
そして、システム制御ブロック１１０は、この第２の構成を意味する共通コマンドＩｎｉｔｉａｌｉｚｅＣｏｎｎｅｃｔ（２）を、制御バス１１１に送出する。これにより、信号ルータ１２３は、第１の入力端子が第１の出力端子に接続され、第２の入力端子が第４の出力端子に接続された第１の状態となる。また、子画面ＯＳＤ回路１２８は、第２の構成である旨を表示するための表示信号を生成し、この表示信号が合成された出力画像信号を出力する状態となる。
また、システム制御ブロック１１０は、信号ルータ１２３に係る共通コマンドを除く、全種類の共通コマンドの初期値を制御バス１１１に送出する。これにより、入力セレクタ１２２、子画面ＯＳＤ回路１２８、Ｕ／Ｖチューナ１２１およびＤＲＣ回路１２４は、初期状態となり、画像信号処理装置１００としての動作が開始される。この場合の動作は、入力セレクタ１２２で、デジタル地上波チューナ１２６で得られる画像信号（入力２）の選択も可能となることを除き、上述した第１の構成の動作と同様である。
すなわち、デジタル地上波チューナ１２６で得られる画像信号（入力２）は入力セレクタ１２２に入力される。この入力セレクタ１２２では、システム制御ブロック１１０から送られてくる共通コマンドｉｎ（１）〜ｉｎ（３）に基づいて、入力１〜３のいずれかが選択される。以下の動作は、上述した第１の構成の動作と同じであり、その説明は省略する。
次に、上述した基本構成（第１の構成）に、パネル用処理回路１２５を追加した第３の構成について説明する。パネル用処理回路１２５は、スロット１０４ｄに挿入される。図１１は、第３の構成の接続状態を示している。
この場合、システム制御ブロック１１０は、電源投入時に、入力セレクタ１２２、信号ルータ１２３、子画面ＯＳＤ回路１２８の他、Ｕ／Ｖチューナ１２１、ＤＲＣ回路１２４から共通コマンドを取得し、また入力セレクタ１２２、信号ルータ１２３、子画面ＯＳＤ回路１２８、Ｕ／Ｖチューナ１２１、ＤＲＣ回路１２４およびパネル用処理回路１２５から基板ＩＤを取得し、第３の構成にあることを認識する。
そして、システム制御ブロック１１０は、この第３の構成を意味する共通コマンドＩｎｉｔｉａｌｉｚｅＣｏｎｎｅｃｔ（３）を、制御バス１１１に送出する。これにより、信号ルータ１２３は、第１の入力端子が第１の出力端子に接続され、第２の入力端子が第２の出力端子に接続され、第３の入力端子が第４の出力端子に接続される第２の状態となる。これにより、ＤＲＣ回路１２４およびパネル用処理回路１２５が処理系に挿入される。また、子画面ＯＳＤ回路１２８は、第３の構成である旨を表示するための表示信号を生成し、この表示信号が合成された出力画像信号を出力する状態となる。
また、システム制御ブロック１１０は、信号ルータ１２３に係る共通コマンドを除く、全種類の共通コマンドの初期値を制御バス１１１に送出する。これにより、入力セレクタ１２２、子画面ＯＳＤ回路１２８、Ｕ／Ｖチューナ１２１およびＤＲＣ回路１２４は、初期状態となり、画像信号処理装置１００としての動作が開始される。
すなわち、Ｕ／Ｖチューナ１２１では、Ｕ／Ｖ用アンテナで受信された放送信号に対して、システム制御ブロック１１０から送られてくる共通コマンドｃｈ（１）〜ｃｈ（１２）のいずれかに基づいて選局処理が施され、所定のチャネルの画像信号が得られる。
このＵ／Ｖチューナ１２１で得られる画像信号（入力１）は入力セレクタ１２２に入力される。また、この入力セレクタ１２２には、コネクタ１０２ａ（図１参照）に供給された外部ビデオ入力としての画像信号（入力３）も入力される。この入力セレクタ１２２では、システム制御ブロック１１０から送られてくる共通コマンドｉｎ（１）または共通コマンドｉｎ（３）に基づいて、入力１または入力３が選択される。
この入力セレクタ１２２で選択された画像信号は、信号ルータ１２３の第１の入力端子、第１の出力端子を介して、ＤＲＣ回路１２４に入力される。このＤＲＣ回路１２４では、入力された画像信号に対して、システム制御ブロック１１０から送られてくる、共通コマンドＤＲＣｖｏｌ（ｒｅｓｏｌｕｔｉｏｎＶａｌ，ｎｏｉｓｅＶａｌ）、ＤＲＣｚｏｏｍＥｘｅｃ（ｏｎ／ｏｆｆ）、ＤＲＣｚｏｏｍ（ｒａｔｉｏＶａｌ，ｈｏｌｉｚｏｎｔａｌＶａｌ，ｖｅｒｔｉｃａｌＶａｌ）に基づいて、ＤＲＣボリウム処理、ＤＲＣズーム処理が施される。
そして、ＤＲＣ回路１２４から出力される画像信号は、信号ルータ１２３の第２の入力端子、第２の出力端子を介して、パネル用処理回路１２５に供給される。このパネル用処理回路１２５では、入力画像信号に対して、ＬＣＤ、ＰＤＰ等のフラットパネルディスプレイに当該画像信号による画像を表示する際に必要となる処理、例えば輝度調整、色調整、水平、垂直の画素数変換、インタレース方式からプログレッシブ方式への方式変換等の処理が行われる。
そして、このパネル用処理回路１２５から出力される画像信号は、信号ルータ１２３の第３の入力端子、第４の出力端子を介して、子画面ＯＳＤ回路１２８の第１の入力端子に供給される。この子画面ＯＳＤ回路１２８の第２の入力端子には、入力セレクタ１２２で選択された画像信号が供給される。この子画面ＯＳＤ回路１２８では、システム制御ブロック１１０から送られてくる、共通コマンドｃｈ（１）〜ｃｈ（１２）、ｉｎ（１），ｉｎ（２）、ＤＲＣｖｏｌＥｘｅｃ（ｏｎ／ｏｆｆ）、ＤＲＣｖｏｌ（ｒｅｓｏｌｕｔｉｏｎＶａｌ，ｎｏｉｓｅＶａｌ）、ＤＲＣｚｏｏｍＥｘｅｃ（ｏｎ／ｏｆｆ）、ＤＲＣｚｏｏｍ（ｒａｔｉｏＶａｌ，ｈｏｌｉｚｏｎｔａｌＶａｌ，ｖｅｒｔｉｃａｌＶａｌ）に基づいて、出力画像信号を得る処理、その出力画像信号に種々の表示をする表示信号を合成する処理等が行われる。
この子画面ＯＳＤ回路１２８で得られる出力画像信号は、コネクタ１０３（図１参照）に出力画像信号として出力される。この出力画像信号は、パネル用処理回路１２５がＬＣＤ用のものであるときはＬＣＤで構成されるディスプレイに供給され、パネル用処理回路１２５がＰＤＰ用のものであるときはＰＤＰで構成されるディスプレイに供給される。
また、電源投入後は、ユーザ操作があるとき、システム制御ブロック１１０からユーザ操作に対応した共通コマンドが制御バス１１１に送出される。これにより、Ｕ／Ｖチューナ１２１の選局チャネル、入力セレクタ１２２で選択される入力、ＤＲＣ回路１２４のＤＲＣボリウム処理、ＤＲＣズーム処理の処理内容などが変更される。
次に、上述した基本構成（第１の構成）に、パネル用処理回路１２５およびノイズ除去回路１２７を追加した第４の構成について説明する。パネル用処理回路１２５はスロット１０４ｄに挿入され、ノイズ除去回路１２７はスロット１０４ｅに挿入される。図１２は、第４の構成の接続状態を示している。
この場合、システム制御ブロック１１０は、電源投入時に、入力セレクタ１２２、信号ルータ１２３、子画面ＯＳＤ回路１２８の他、Ｕ／Ｖチューナ１２１、ＤＲＣ回路１２４およびノイズ除去回路１２７から共通コマンドを取得し、また入力セレクタ１２２、信号ルータ１２３、子画面ＯＳＤ回路１２８、Ｕ／Ｖチューナ１２１、ＤＲＣ回路１２４、パネル用処理回路１２５およびノイズ除去回路１２７から基板ＩＤを取得し、第４の構成にあることを認識する。
そして、システム制御ブロック１１０は、この第４の構成を意味する共通コマンドＩｎｉｔｉａｌｉｚｅＣｏｎｎｅｃｔ（４）を、制御バス１１１に送出する。これにより、信号ルータ１２３は、第１の入力端子が第３の出力端子に接続され、第４の入力端子が第１の出力端子に接続され、第２の入力端子が第２の出力端子に接続され、第３の入力端子が第４の出力端子に接続される第３の状態となる。これにより、ＤＲＣ回路１２４、パネル用処理回路１２５およびノイズ除去回路１２７が処理系に挿入される。また、子画面ＯＳＤ回路１２８は、第４の構成である旨を表示するための表示信号を生成し、この表示信号が合成された出力画像信号を出力する状態となる。
また、システム制御ブロック１１０は、信号ルータ１２３に係る共通コマンドを除く、全種類の共通コマンドの初期値を制御バス１１１に送出する。これにより、入力セレクタ１２２、子画面ＯＳＤ回路１２８、Ｕ／Ｖチューナ１２１、ＤＲＣ回路１２４およびノイズ除去回路１２７は、初期状態となり、画像信号処理装置１００としての動作が開始される。
すなわち、Ｕ／Ｖチューナ１２１では、Ｕ／Ｖ用アンテナで受信された放送信号に対して、システム制御ブロック１１０から送られてくる共通コマンドｃｈ（１）〜ｃｈ（１２）のいずれかに基づいて選局処理が施され、所定のチャネルの画像信号が得られる。
このＵ／Ｖチューナ１２１で得られる画像信号（入力１）は入力セレクタ１２２に入力される。また、この入力セレクタ１２２には、コネクタ１０２ａ（図１参照）に供給された外部ビデオ入力としての画像信号（入力３）も入力される。この入力セレクタ１２２では、システム制御ブロック１１０から送られてくる共通コマンドｉｎ（１）または共通コマンドｉｎ（３）に基づいて、入力１または入力３が選択される。
この入力セレクタ１２２で選択された画像信号は、信号ルータ１２３の第１の入力端子、第３の出力端子を介してノイズ除去回路１２７に供給される。このノイズ除去回路１２７では、入力された画像信号に対して、システム制御ブロック１１０から送られてくる、共通コマンドＤＲＣｖｏｌ（ｒｅｓｏｌｕｔｉｏｎＶａｌ，ｎｏｉｓｅＶａｌ）に基づいて、ノイズを抑圧する処理が行われる。
このノイズ除去回路１２７から出力される画像信号は、信号ルータ１２３の第４の入力端子、第１の出力端子を介して、ＤＲＣ回路１２４に入力される。このＤＲＣ回路１２４では、入力された画像信号に対して、システム制御ブロック１１０から送られてくる、共通コマンドＤＲＣｖｏｌ（ｒｅｓｏｌｕｔｉｏｎＶａｌ，ｎｏｉｓｅＶａｌ）、ＤＲＣｚｏｏｍＥｘｅｃ（ｏｎ／ｏｆｆ）、ＤＲＣｚｏｏｍ（ｒａｔｉｏＶａｌ，ｈｏｌｉｚｏｎｔａｌＶａｌ，ｖｅｒｔｉｃａｌＶａｌ）に基づいて、ＤＲＣボリウム処理、ＤＲＣズーム処理が施される。
そして、ＤＲＣ回路１２４から出力される画像信号は、信号ルータ１２３の第２の入力端子、第２の出力端子を介して、パネル用処理回路１２５に供給される。このパネル用処理回路１２５では、入力画像信号に対して、ＬＣＤ、ＰＤＰ等のフラットパネルディスプレイに当該画像信号による画像を表示する際に必要となる処理、例えば輝度調整、色調整、水平、垂直の画素数変換、インタレース方式からプログレッシブ方式への方式変換等の処理が行われる。
そして、このパネル用処理回路１２５から出力される画像信号は、信号ルータ１２３の第３の入力端子、第４の出力端子を介して、子画面ＯＳＤ回路１２８の第１の入力端子に供給される。この子画面ＯＳＤ回路１２８の第２の入力端子には、入力セレクタ１２２で選択された画像信号が供給される。この子画面ＯＳＤ回路１２８では、システム制御ブロック１１０から送られてくる、共通コマンドｃｈ（１）〜ｃｈ（１２）、ｉｎ（１），ｉｎ（２）、ＤＲＣｖｏｌＥｘｅｃ（ｏｎ／ｏｆｆ）、ＤＲＣｖｏｌ（ｒｅｓｏｌｕｔｉｏｎＶａｌ，ｎｏｉｓｅＶａｌ）、ＤＲＣｚｏｏｍＥｘｅｃ（ｏｎ／ｏｆｆ）、ＤＲＣｚｏｏｍ（ｒａｔｉｏＶａｌ，ｈｏｌｉｚｏｎｔａｌＶａｌ，ｖｅｒｔｉｃａｌＶａｌ）に基づいて、出力画像信号を得る処理、その出力画像信号に種々の表示をする表示信号を合成する処理等が行われる。
この子画面ＯＳＤ回路１２８で得られる出力画像信号は、コネクタ１０３（図１参照）に出力画像信号として出力される。この出力画像信号は、パネル用処理回路１２５がＬＣＤ用のものであるときはＬＣＤで構成されるディスプレイに供給され、パネル用処理回路１２５がＰＤＰ用のものであるときはＰＤＰで構成されるディスプレイに供給される。
また、電源投入後は、ユーザ操作があるとき、システム制御ブロック１１０からユーザ操作に対応した共通コマンドが制御バス１１１に送出される。これにより、Ｕ／Ｖチューナ１２１の選局チャネル、入力セレクタ１２２で選択される入力、ＤＲＣ回路１２４のＤＲＣボリウム処理、ＤＲＣズーム処理の処理内容などが変更される。
次に、上述した基本構成（第１の構成）に、デジタル地上波チューナ１２６、パネル用処理回路１２５およびノイズ除去回路１２７を追加した第５の構成について説明する。図１３は、第５の構成の接続状態を示している。
この場合、システム制御ブロック１１０は、電源投入時に、入力セレクタ１２２、信号ルータ１２３、子画面ＯＳＤ回路１２８の他、Ｕ／Ｖチューナ１２１、ＤＲＣ回路１２４およびノイズ除去回路１２７から共通コマンドを取得し、また入力セレクタ１２２、信号ルータ１２３、子画面ＯＳＤ回路１２８、Ｕ／Ｖチューナ１２１、ＤＲＣ回路１２４、パネル用処理回路１２５、ノイズ除去回路１２７およびデジタル地上波チューナ１２６から基板ＩＤを取得し、第５の構成にあることを認識する。
そして、システム制御ブロック１１０は、この第５の構成を意味する共通コマンドＩｎｉｔｉａｌｉｚｅＣｏｎｎｅｃｔ（５）を、制御バス１１１に送出する。これにより、信号ルータ１２３は、第１の入力端子が第３の出力端子に接続され、第４の入力端子が第１の出力端子に接続され、第２の入力端子が第２の出力端子に接続され、第３の入力端子が第４の出力端子に接続される第３の状態となる。また、子画面ＯＳＤ回路１２８は、第５の構成である旨を表示するための表示信号を生成し、この表示信号が合成された出力画像信号を出力する状態となる。
また、システム制御ブロック１１０は、信号ルータ１２３に係る共通コマンドを除く、全種類の共通コマンドの初期値を制御バス１１１に送出する。これにより、入力セレクタ１２２、子画面ＯＳＤ回路１２８、Ｕ／Ｖチューナ１２１、ＤＲＣ回路１２４およびノイズ除去回路１２７は、初期状態となり、画像信号処理装置１００としての動作が開始される。この場合の動作は、入力セレクタ１２２で、デジタル地上波チューナ１２６で得られる画像信号（入力２）の選択も可能となることを除き、上述した第４の構成の動作と同様である。
すなわち、デジタル地上波チューナ１２６で得られる画像信号（入力２）は入力セレクタ１２２に入力される。この入力セレクタ１２２では、システム制御ブロック１１０から送られてくる共通コマンドｉｎ（１）〜ｉｎ（３）に基づいて、入力１〜３のいずれかが選択される。以下の動作は、上述した第１の構成の動作を同じであり、その説明は省略する。
上述した第１の実施の形態においては、各機能ブロック１２０（Ｕ／Ｖチューナ１２１、入力セレクタ１２２、信号ルータ１２３、ＤＲＣ回路１２４、ノイズ除去回路１２７、子画面ＯＳＤ回路１２８）では、システム制御ブロック１１０から送られてくる共通コマンドが自己の機能ブロックに係る共通コマンドであるとき、それが機能部１２０ｅを制御するための機能ブロック内コマンドに変換されるものである。したがって、第１の実施の形態においては、各機能ブロック１２０は、システム制御ブロック１１０から送られてくる共通コマンドに応じて適応的に動作するものであり、機能ブロック１２０のバージョンアップによる機能のアップグレードを、システム制御ブロック１１０からの共通コマンドを変化させることなく容易に行うことができる。
すなわち、図１４Ａは、ＤＲＣ回路１２４のバージョンアップ前の構成を示している。このＤＲＣ回路１２４の機能部１２０ｅには、解像度軸およびノイズ軸のＤＲＣボリウム処理およびＤＲＣズーム処理を行う単一のＤＲＣ部が存在する。このＤＲＣ回路１２４における制御Ｉ／Ｆ１２０ｄのＲＯＭ１２０ｄ−２（図１４Ａには図示せず）には、例えば上述の図５に示すように、ＤＲＣの解像度軸、ノイズ軸の調整を意味するＤＲＣｖｏｌ（ｒｅｓｏｌｕｔｉｏｎＶａｌ，ｎｏｉｓｅＶａｌ）とＤＲＣ（解像度軸、ノイズ軸）ボリウム値の代入を意味する機能ブロック内コマンドｖｏｌｕｍｅ（ｒｅｓｏｌｕｔｉｏｎＶａｌ，ｎｏｉｓｅＶａｌ）、ＤＲＣのズーム処理の切替を意味する共通コマンドＤＲＣｚｏｏｍＥｘｅｃ（ｏｎ／ｏｆｆ）とＤＲＣズーム初期値の代入を意味する機能ブロック内コマンドｚｏｏｍ（ＩｎｉｔＲａｔｉｏ／１，ＩｎｉｔＨｏｌ／０，ＩｎｉｔＶｅｒ／０）、またＤＲＣのズーム率、ズーム中心位置の調整を意味する共通コマンドＤＲＣｚｏｏｍ（ｒａｔｉｏＶａｌ，ｈｏｌｉｚｏｎｔａｌＶａｌ，ｖｅｒｔｉｃａｌＶａｌ）とＤＲＣズーム率、ズーム中心位置の代入を意味する機能ブロック内コマンドｚｏｏｍ（ｒａｔｉｏＶａｌ，ｈｏｌｉｚｏｎｔａｌＶａｌ，ｖｅｒｔｉｃａｌＶａｌ）が、それぞれ、対応して記録されている。
図１４Ｂは、ＤＲＣ回路１２４のバージョンアップ後の構成を示している。このＤＲＣ回路１２４の機能部１２０ｅには、ノイズ軸のＤＲＣボリウム処理を行うノイズ用ＤＲＣ部と、解像度軸のＤＲＣボリウム処理およびＤＲＣズーム処理を行う解像度用ＤＲＣ部とが存在する。この場合、ノイズ軸および解像度軸のＤＲＣボリウム処理が別個のＤＲＣ部で行われるものであり、処理性能を上げることができる。
このＤＲＣ部における制御Ｉ／Ｆ１２０ｄのＲＯＭ１２０ｄ−２（図１４Ｂには図示せず）には、図１５に示すように、ＤＲＣの解像度軸、ノイズ軸の調整を意味するＤＲＣｖｏｌ（ｒｅｓｏｌｕｔｉｏｎＶａｌ，ｎｏｉｓｅＶａｌ）と、ＤＲＣ（解像度軸）ボリウム値の代入を意味する機能ブロック内コマンドｖｏｌｕｍｅＲｅｓｏｌｕｔｉｏｎ（ｒｅｓｏｌｕｔｉｏｎＶａｌ）およびＤＲＣ（ノイズ軸）ボリウム値の代入を意味する機能ブロック内コマンドｖｏｌｕｍｅＮｏｉｓｅ（ｎｏｉｓｅＶａｌ）とが、対応して記憶されている。また、このＲＯＭ１２０ｄ−２には、ＤＲＣのズーム処理の切替を意味する共通コマンドＤＲＣｚｏｏｍＥｘｅｃ（ｏｎ／ｏｆｆ）とＤＲＣズーム初期値の代入を意味する機能ブロック内コマンドｚｏｏｍ（ＩｎｉｔＲａｔｉｏ／１，ＩｎｉｔＨｏｌ／０，ＩｎｉｔＶｅｒ／０）、ＤＲＣのズーム率、ズーム中心位置の調整を意味する共通コマンドＤＲＣｚｏｏｍ（ｒａｔｉｏＶａｌ，ｈｏｌｉｚｏｎｔａｌＶａｌ，ｖｅｒｔｉｃａｌＶａｌ）とＤＲＣズーム率、ズーム中心位置の代入を意味する機能ブロック内コマンドｚｏｏｍ（ｒａｔｉｏＶａｌ，ｈｏｌｉｚｏｎｔａｌＶａｌ，ｖｅｒｔｉｃａｌＶａｌ）が、それぞれ、対応して記録されている。
このように、ＤＲＣ回路１２４がバージョンアップ後の場合であっても、このＤＲＣ回路１２４に係る共通コマンドを変化させる必要ない。すなわち、ＲＯＭ１２０ｄ−２に記憶される、共通コマンドと機能ブロック内コマンドとの対応関係のみを変化させれば済む。したがってこの場合、ＤＲＣ回路１２４を図１４Ａの構成のものからバージョンアップした図１４Ｂの構成のものに交換して機能のアップグレードを図る場合、共通コマンドを変化させることなく容易に行うことができる。
上述の第１の実施の形態においては、システム制御ブロック１１０は、電源投入時に、処理装置１００を構成する機能ブロック１２０から共通コマンドを取得するものである。しかし、システム制御ブロック１１０は、この共通コマンドを、ディスク、半導体メモリ等のリムーバブルな記憶媒体をもって、あるいはインターネット等の所定のネットを介して、さらにはデジタル放送等の放送信号から、取得することもできる。
次に、この発明の第２の実施の形態について説明する。図１６は、第２の実施の形態としての画像信号処理装置１００Ａの構成を示している。この図１６において、図１と対応する部分には同一符号を付し、その詳細説明については適宜省略する。
この画像信号処理装置１００Ａは、システム制御ブロック１１０から共通コマンドを発行する他に、所定の機能ブロック、ここでは入力セレクタ１２２Ａ（機能ブロック２）からも共通コマンドを発行する。この入力セレクタ１２２Ａは、図１の画像信号処理装置１００における入力セレクタ１２２に対応している。
図１７は、入力セレクタ１２２Ａの構成を示している。この入力セレクタ１２２Ａは、図２に示す機能ブロック１２０としての基本的構成を有しており、機能部１２０ｅとして入力セレクタ部を備えている。そして、この入力セレクタ１２２Ａは、ノイズ検出部１２０ｆをさらに有している。
このノイズ検出部１２０ｆは、入力セレクタ部から出力される画像信号に含まれるノイズのレベルｘを検出し、このノイズレベルｘを制御Ｉ／Ｆ１２０ｄに供給する。また、このノイズ検出部１２０ｆは、所定時間毎、例えば所定フレーム毎にノイズレベルｘの検出を行い、ノイズレベルｘとして０〜９のいずれかの値を出力する。ここで、ノイズレベルｘは、情報信号としての画像信号の処理結果を構成している。
図１８は、入力セレクタ１２２Ａの制御Ｉ／Ｆ１２０ｄの構成を示している。この図１８において、図３と対応する部分には同一符号を付している。上述したノイズ検出部１２０ｆで検出されたノイズレベルｘは、制御ポート１２０ｄ−１に供給される。制御ポート１２０ｄ−１は、ノイズレベルｘが変化するとき、このノイズレベルｘを含む共通コマンドＩｎｐｕｔＮｏｉｓｅ（ｘ）を発行し、それを制御用コネクタ１２０ａを介して制御バス１１１（図１６参照）に送出する。
図１９のフローチャートは、この入力セレクタ１２２Ａの制御ポート１２０ｄ−１における共通コマンドＩｎｐｕｔＮｏｉｓｅ（ｘ）の発行動作を示している。
まず、ステップＳＴ１１１で、例えば電源投入に伴って動作を開始し、ステップＳＴ１１２で、制御ポート１２０ｄ−１に内蔵されている不揮発性メモリ（図示せず）のラストメモリ領域に記憶されているノイズレベルｘ′を用いて、このノイズレベルｘ′を含む共通コマンドＩｎｐｕｔＮｏｉｓｅ（ｘ′）を発行する。
次に、ステップＳＴ１１３で、ノイズレベルｘの検出が行われる毎に、このノイズレベルｘがラストメモリ領域に記憶されているノイズレベルｘ′と同じか否かを判定する。ｘ＝ｘ′であるときは、このステップＳＴ１１３の判定を繰り返す。一方、ｘ＝ｘ′でないときは、ステップＳＴ１１４で、検出されたノイズレベルｘを含む共通コマンドＩｎｐｕｔＮｏｉｓｅ（ｘ）を発行する。
次に、ステップＳＴ１１５で、ノイズレベルｘをノイズレベルｘ′として、不揮発性メモリのラストメモリ領域に記憶し、その後に、ステップＳＴ１１３の判定動作に戻る。
入力セレクタ１２２Ａのその他は、図１の画像信号処理装置１００における入力セレクタ１２２と同様に構成され、同様の動作をする。
また、画像信号処理装置１００Ａの信号ルータ１２３（機能ブロック３）は、その制御Ｉ／Ｆ１２０ｄのＲＯＭ１２０ｄ−２に、図５に示すように、機能ブロック間接続１〜５を意味する共通コマンドＩｎｉｔｉａｌｉｚｅＣｏｎｎｅｃｔ（１／２／３／４／５）のそれぞれと、処理基板間の接続切替を意味する機能ブロック内コマンドｒｏｕｔｅ（１／２／３）との対応関係を記憶していると共に、図２０に示すように、入力ノイズレベルを意味する共通コマンドＩｎｐｕｔＮｏｉｓｅ（０〜９）のそれぞれと、処理基板間の接続切替を意味する機能ブロック内コマンドｒｏｕｔｅ（３／４）との対応関係を記憶している。
共通コマンドＩｎｐｕｔＮｏｉｓｅ（０〜９）は、上述したように入力セレクタ１２２Ａから制御バス１１１に送出される。信号ルータ１２３の制御Ｉ／Ｆ１２０ｄのインタプリタ１２０ｄ−３では、制御ポート１２０ｄ−１で共通コマンドＩｎｐｕｔＮｏｉｓｅ（０〜９）が受信され、かつ画像信号処理装置１００Ａが第４の構成または第５の構成にあり、システム制御ブロック１１０で発行された共通コマンドＩｎｉｔｉａｌｉｚｅＣｏｎｎｅｃｔ（４／５）が受信されたとき、ＲＯＭ１２０ｄ−２に記憶されている対応関係に基づいて、共通コマンドＩｎｐｕｔＮｏｉｓｅ（０〜９）が機能ブロック内コマンドｒｏｕｔｅ（３／４）に変換される。この場合、ノイズレベルｘ（０〜９）が所定レベルｃより大きい場合にはｒｏｕｔｅ（３）に変換され、ノイズレベルｘが所定レベルｃ以下であるときはｒｏｕｔｅ（４）に変換される。
ここで、第４の構成は、スロット１０４ａにＵ／Ｖチューナ１１２（機能ブロック１）が挿入され、スロット１０４ｃにＤＲＣ回路１２４（機能ブロック４）が挿入された第１の構成（基本構成）に、さらに、スロット１０４ｄにパネル用処理回路１２５（機能ブロック５）が挿入され、スロット１０４ｅにノイズ除去回路１２７（機能ブロック７）が挿入された構成である。また、第５の構成は、上述の第１の構成（基本構成）に、さらに、スロット１０４ｂにデジタル地上波チューナ１２６（機能ブロック６）挿入され、スロット１０４ｄにパネル用処理回路１２５（機能ブロック５）が挿入され、スロット１０４ｅにノイズ除去回路１２７（機能ブロック７）が挿入された構成である。
また、コマンドｒｏｕｔｅ（３）は、第１の入力端子が第３の出力端子に接続され、第４の入力端子が第１の出力端子に接続され、第２の入力端子が第２の出力端子に接続され、第３の入力端子が第４の出力端子に接続される第３の状態に、機能部１２０ｅを制御するためのものである。コマンドｒｏｕｔｅ（４）は、第１の入力端子が第１の出力端子に接続され、第２の入力端子が第２の出力端子に接続され、第３の入力端子が第４の出力端子に接続される第４の状態に、機能部１２０ｅを制御するためのものである。
このように、画像信号処理装置１００Ａが第４の構成または第５の構成にあるとき、信号ルータ１２３の制御Ｉ／Ｆ１２０ｄは、共通コマンドＩｎｉｔｉａｌｉｚｅＣｏｎｎｅｃｔ（４／５）に対応して機能ブロック内コマンドｒｏｕｔｅ（３）を必ず出力するものではなく、共通コマンドＩｎｐｕｔＮｏｉｓｅ（ｘ）のノイズレベルｘに応じて機能ブロック内コマンドｒｏｕｔｅ（３）あるいは機能ブロック内コマンドｒｏｕｔｅ（４）を出力する。
図２１のフローチャートは、信号ルータ１２３の制御Ｉ／Ｆ１２０ｄの、共通コマンドＩｎｐｕｔＮｏｉｓｅ（ｘ）の受信時における動作を示している。
ステップＳＴ１２１で、共通コマンドＩｎｐｕｔＮｏｉｓｅ（ｘ）を受信すると、ステップＳＴ１２２で、システム制御ブロック１１０で発行された共通コマンドＩｎｉｔｉａｌｉｚｅＣｏｎｎｅｃｔ（４／５）を受信したか否かを判定する。受信したときは、ステップＳＴ１２３で、ノイズレベルｘが所定レベルｃより大きいか否かを判定する。
ｘ＞ｃであるときは、ステップＳＴ１２４で、機能ブロック内コマンドｒｏｕｔｅ（３）を出力し、その後ステップＳＴ１２５で動作を終了する。一方、ｘ≦ｃであるときは、ステップＳＴ１２６で、機能ブロック内コマンドｒｏｕｔｅ（４）を出力し、その後に動作を終了する。なお、ステップＳＴ１２２で、受信していないときは、直ちにステップＳＴ１２５に進み、動作を終了する。この場合、スロット１０４ｅにノイズ除去回路１２７が挿入されていない第１〜第３の構成にあり、ノイズ除去回路１２７を処理系に挿入するか否かの判定は不要だからである。
また、画像信号処理装置１００ＡのＤＲＣ回路１２４（機能ブロック４）は、その制御Ｉ／Ｆ１２０ｄのＲＯＭ１２０ｄ−２に、図５に示すように、ＤＲＣの解像度軸、ノイズ軸の調整を意味する共通コマンドＤＲＣｖｏｌ（ｒｅｓｏｌｕｔｉｏｎＶａｌ，ｎｏｉｓｅＶａｌ）とＤＲＣ（解像度軸、ノイズ軸）ボリウム値の代入を意味する機能ブロック内コマンドｖｏｌｕｍｅ（ｒｅｓｏｌｕｔｉｏｎＶａｌ，ｎｏｉｓｅＶａｌ）とを対応して記憶し、ＤＲＣのズーム処理の切替を意味する共通コマンドＤＲＣｚｏｏｍＥｘｅｃ（ｏｎ／ｏｆｆ）とＤＲＣズーム初期値の代入を意味する機能ブロック内コマンドｚｏｏｍ（ＩｎｉｔＲａｔｉｏ／１，ＩｎｉｔＨｏｌ／０，ＩｎｉｔＶｅｒ／０）とを対応して記憶し、ＤＲＣのズーム率、ズーム中心位置の調整を意味する共通コマンドＤＲＣｚｏｏｍ（ｒａｔｉｏＶａｌ，ｈｏｌｉｚｏｎｔａｌＶａｌ，ｖｅｒｔｉｃａｌＶａｌ）とＤＲＣズーム率、ズーム中心位置の代入を意味する機能ブロック内コマンドｚｏｏｍ（ｒａｔｉｏＶａｌ，ｈｏｌｉｚｏｎｔａｌＶａｌ，ｖｅｒｔｉｃａｌＶａｌ）とを対応して記憶していると共に、図２０に示すように、入力ノイズレベルを意味する共通コマンドＩｎｐｕｔＮｏｉｓｅ（０〜９）のそれぞれとＤＲＣ（ノイズ軸）ボリウム値の代入を意味する機能ブロック内コマンドｖｏｌｕｍｅＮｏｉｓｅ（ｎｏｉｓｅＶａｌ）とを対応して記憶している。
この場合、ＤＲＣ回路１２４の制御Ｉ／Ｆ１２０ｄのインタプリタ１２０ｄ−３では、制御ポート１２０ｄ−１で共通コマンドＩｎｐｕｔＮｏｉｓｅ（０〜９）が受信されるとき、ＲＯＭ１２０ｄ−２に記憶されている対応関係に基づいて、ノイズレベルｘ（０〜９）がノイズ軸のボリウム値ｎｏｉｓｅＶａｌに、例えばｎｏｉｓｅＶａｌ＝ａｘ＋ｂ（ａ，ｂは定数）の関係式を用いて変換され、機能ブロック内コマンドｖｏｌｕｍｅＮｏｉｓｅ（ｎｏｉｓｅＶａｌ）が得られる。これにより、ＤＲＣ回路１２４は、ノイズレベルｘに応じたノイズ除去度が選択された状態となる。
図２２のフローチャートは、ＤＲＣ回路１２４の制御Ｉ／Ｆ１２０ｄの、共通コマンドＩｎｐｕｔＮｏｉｓｅ（ｘ）受信時における動作を示している。
ステップＳＴ１３１で、共通コマンドＩｎｐｕｔＮｏｉｓｅ（ｘ）を受信すると、ステップＳＴ１３２で、ノイズレベルｘ（０〜９）を用い、ｎｏｉｓｅＶａｌ＝ａｘ＋ｂの式に基づいて、ノイズ軸のボリウム値ｎｏｉｓｅＶａｌを演算する。そして、ステップＳＴ１３３で、機能ブロック内コマンドｖｏｌｕｍｅＮｏｉｓｅ（ｎｏｉｓｅＶａｌ）を出力し、その後に、ステップＳＴ１３４で、動作を終了する。
また、画像信号処理装置１００Ａのノイズ除去回路１２７（機能ブロック７）は、その制御Ｉ／Ｆ１２０ｄのＲＯＭ１２０ｄ−２に、図５に示す、共通コマンドＤＲＣｖｏｌ（ｒｅｓｏｌｕｔｉｏｎＶａｌ，ｎｏｉｓｅＶａｌ）とノイズ抑圧度を示す値（ノイズ抑圧値）の代入を意味する機能ブロック内コマンドｎｏｉｓｅＳｕｐｐｒｅｓｓ（ｎｏｉｓｅＶａｌ）との対応の代わりに、図２０に示すように、入力ノイズレベルを意味する共通コマンドＩｎｐｕｔＮｏｉｓｅ（０〜９）のそれぞれとノイズ抑圧値の代入を意味する機能ブロック内コマンドｎｏｉｓｅＳｕｐｐｒｅｓｓ（０〜９）とを対応して記憶している。
この場合、ノイズ除去回路１２７の制御Ｉ／Ｆ１２０ｄのインタプリタ１２０ｄ−３では、制御ポート１２０ｄ−１で共通コマンドＩｎｐｕｔＮｏｉｓｅ（０〜９）が受信されるとき、ＲＯＭ１２０ｄ−２に記憶されている対応関係に基づいて、この共通コマンドＩｎｐｕｔＮｏｉｓｅ（０〜９）が、機能ブロック内コマンドｎｏｉｓｅＳｕｐｐｒｅｓｓ（０〜９）に変換される。これにより、ノイズ除去回路１２７は、ノイズレベルｘに対応した抑圧度でノイズ抑圧を行う状態となる。
また、画像信号処理装置１００Ａの子画面ＯＳＤ回路１２８（機能ブロック８）は、その制御Ｉ／Ｆ１２０ｄのＲＯＭ１２０ｄ−２に、図５に示す共通コマンドと機能ブロック内コマンドとの対応を記憶していると共に、図２０に示すように、共通コマンドＩｎｐｕｔＮｏｉｓｅ（０〜９）のそれぞれと入力ノイズレベル表示を意味する機能ブロック内コマンドｗｒｉｔｅＩｎｐｕｔＮｏｉｓｅ（（０〜９）とを対応して記憶している。
子画面ＯＳＤ回路１２８の制御Ｉ／Ｆ１２０ｄのインタプリタ１２０ｄ−３では、制御ポート１２０ｄ−１で共通コマンドＩｎｐｕｔＮｏｉｓｅ（０〜９）が受信されるとき、ＲＯＭ１２０ｄ−２に記憶されている対応関係に基づいて、この共通コマンドＩｎｐｕｔＮｏｉｓｅ（０〜９）が機能ブロック内コマンドｗｒｉｔｅＩｎｐｕｔＮｏｉｓｅ（０〜９）に変換される。これにより、子画面ＯＳＤ回路１２８は、ノイズレベル０〜９を表示するための表示信号を生成し、この表示信号が合成された出力画像信号を出力する状態となる。
なお、画像信号処理装置１００Ａのシステム制御ブロック１１０は、入力セレクタ１２２Ａから制御バス１１１に共通コマンドＩｎｐｕｔＮｏｉｓｅ（０〜９）が送出された場合、この共通コマンドＩｎｐｕｔＮｏｉｓｅ（０〜９）を受信し、上述したｎｏｉｓｅＶａｌ＝ａｘ＋ｂの式に基づいて、ノイズ軸のボリウム値ｎｏｉｓｅＶａｌを演算し、このボリウム値ｎｏｉｓｅＶａｌを、ユーザがノイズ軸のボリウム値を変更する操作を行う際の初期値として保存しておく。
図１６に示す画像信号処理装置１００Ａのその他は、図１に示す画像信号処理装置１００と同様に構成される。
次に、この画像信号処理装置１００Ａの動作を説明する。この画像信号処理装置１００Ａの動作は、入力セレクタ１２２Ａから発行される共通コマンドＩｎｐｕｔＮｏｉｓｅ（０〜９）に係る動作を除き、図１に示す画像信号処理装置１００の動作と同様である。ここでは、第１の構成（基本構成）およびノイズ除去回路１２７が処理系に挿入される第４の構成を用いて、動作を説明する。
図２３は、基本構成（第１の構成）の接続状態を示している。この場合、システム制御ブロック１１０は、電源投入時に、入力セレクタ１２２Ａ、信号ルータ１２３、子画面ＯＳＤ回路１２８の他、Ｕ／Ｖチューナ１２１、ＤＲＣ回路１２４から共通コマンドを取得し、またこれら入力セレクタ１２２Ａ、信号ルータ１２３、子画面ＯＳＤ回路１２８、Ｕ／Ｖチューナ１２１およびＤＲＣ回路１２４から基板ＩＤを取得し、第１の構成（基本構成）にあることを認識する。
そして、システム制御ブロック１１０は、この第１の構成を意味する共通コマンドＩｎｉｔｉａｌｉｚｅＣｏｎｎｅｃｔ（１）を、制御バス１１１に送出する。これにより、信号ルータ１２３は、第１の入力端子が第１の出力端子に接続され、第２の入力端子が第４の出力端子に接続された第１の状態となる。また、子画面ＯＳＤ回路１２８は、第１の構成（基本構成）である旨を表示するための表示信号を生成し、この表示信号が合成された出力画像信号を出力する状態となる。
なお、電源投入時に、入力セレクタ１２２Ａは、ラストメモリ領域に記憶されているノイズレベルｘ′を用いて、共通コマンドＩｎｐｕｔＮｏｉｓｅ（ｘ′）を、制御バス１１１に送出する（図１９参照）。しかし、この第１の構成では、この共通コマンドＩｎｐｕｔＮｏｉｓｅ（ｘ′）は信号ルータ１２３の動作には何等影響を与えない（図２１参照）。
また、システム制御ブロック１１０は、信号ルータ１２３に係る共通コマンドを除く、全種類の共通コマンドの初期値（図５参照）を制御バス１１１に送出する。また、入力セレクタ１２２Ａは、上述したように電源投入時に共通コマンドＩｎｐｕｔＮｏｉｓｅ（ｘ′）を制御バス１１１に送出する。
これにより、入力セレクタ１２２Ａ、子画面ＯＳＤ回路１２８、Ｕ／Ｖチューナ１２１およびＤＲＣ回路１２４は、初期状態となり、画像信号処理装置１００Ａとしての動作が開始される。なおこの場合、ＤＲＣ回路１２４のノイズ軸のボリウム値ｎｏｉｓｅＶａｌに関しては、例えば共通コマンドＩｎｐｕｔＮｏｉｓｅ（ｘ′）に対応するものが優先される。
Ｕ／Ｖチューナ１２１では、Ｕ／Ｖ用アンテナで受信された放送信号に対して、システム制御ブロック１１０から送られてくる共通コマンドｃｈ（１）〜ｃｈ（１２）のいずれかに基づいて選局処理が施され、所定のチャネルの画像信号が得られる。
このＵ／Ｖチューナ１２１で得られる画像信号（入力１）は入力セレクタ１２２Ａに入力される。また、この入力セレクタ１２２Ａには、コネクタ１０２ａ（図１６参照）に供給された外部ビデオ入力としての画像信号（入力３）も入力される。この入力セレクタ１２２Ａでは、システム制御ブロック１１０から送られてくる共通コマンドｉｎ（１）または共通コマンドｉｎ（３）に基づいて、入力１または入力３が選択される。
この入力セレクタ１２２Ａで選択された画像信号は、信号ルータ１２３の第１の入力端子、第１の出力端子を介して、ＤＲＣ回路１２４に入力される。このＤＲＣ回路１２４では、入力された画像信号に対して、システム制御ブロック１１０から送られてくる、共通コマンドＤＲＣｖｏｌ（ｒｅｓｏｌｕｔｉｏｎＶａｌ，ｎｏｉｓｅＶａｌ）、ＤＲＣｚｏｏｍＥｘｅｃ（ｏｎ／ｏｆｆ）、ＤＲＣｚｏｏｍ（ｒａｔｉｏＶａｌ，ｈｏｌｉｚｏｎｔａｌＶａｌ，ｖｅｒｔｉｃａｌＶａｌ）、および入力セレクタ１２２Ａから送られてくる共通コマンドＩｎｐｕｔＮｏｉｓｅ（ｘ′）に基づいて、ＤＲＣボリウム処理、ＤＲＣズーム処理が施される。
そして、ＤＲＣ回路１２４から出力される画像信号は、信号ルータ１２３の第２の入力端子、第４の出力端子を介して、子画面ＯＳＤ回路１２８の第１の入力端子に供給される。この子画面ＯＳＤ回路１２８の第２の入力端子には、入力セレクタ１２２Ａで選択された画像信号が供給される。
子画面ＯＳＤ回路１２８では、システム制御ブロック１１０から送られてくる、共通コマンドｃｈ（１）〜ｃｈ（１２）、ｉｎ（１），ｉｎ（２）、ＤＲＣｖｏｌＥｘｅｃ（ｏｎ／ｏｆｆ）、ＤＲＣｖｏｌ（ｒｅｓｏｌｕｔｉｏｎＶａｌ，ｎｏｉｓｅＶａｌ）、ＤＲＣｚｏｏｍＥｘｅｃ（ｏｎ／ｏｆｆ）、ＤＲＣｚｏｏｍ（ｒａｔｉｏＶａｌ，ｈｏｌｉｚｏｎｔａｌＶａｌ，ｖｅｒｔｉｃａｌＶａｌ）、および入力セレクタ１２２Ａから送られてくる共通コマンドＩｎｐｕｔＮｏｉｓｅ（ｘ′）に基づいて、出力画像信号を得る処理、その出力画像信号に種々の表示をする表示信号を合成する処理等が行われる。
この子画面ＯＳＤ回路１２８で得られる出力画像信号は、コネクタ１０３（図１６参照）に出力画像信号として出力される。この出力画像信号は、例えばＣＲＴ（Ｃａｔｈｏｄｅ−Ｒａｙ  Ｔｕｂｅ）で構成されるディスプレイに供給される。
また、電源投入後は、ユーザ操作があるとき、システム制御ブロック１１０からユーザ操作に対応した共通コマンドが制御バス１１１に送出される。これにより、Ｕ／Ｖチューナ１２１の選局チャネル、入力セレクタ１２２Ａで選択される入力、ＤＲＣ回路１２４のＤＲＣボリウム処理、ＤＲＣズーム処理の処理内容などが変更される。
また、電源投入後は、入力セレクタ１２２Ａのノイズ検出部１２０ｆで検出されるノイズレベルｘが以前に検出されたノイズレベルｘ′から変化したとき、入力セレクタ１２２Ａから共通コマンドＩｎｐｕｔＮｏｉｓｅ（ｘ）が発行され、制御バス１１１に送出される。これにより、ＤＲＣ回路１２４におけるノイズ軸のボリウム値ｎｏｉｓｅＶａｌがノイズレベルｘに対応した値に変更されると共に、子画面ＯＳＤ回路１２８による入力ノイズレベルの表示値も変更される。
図２４、図２５は、第４の構成の接続状態を示している。この場合、システム制御ブロック１１０は、電源投入時に、入力セレクタ１２２Ａ、信号ルータ１２３、子画面ＯＳＤ回路１２８の他、Ｕ／Ｖチューナ１２１、ＤＲＣ回路１２４およびノイズ除去回路１２７から共通コマンドを取得し、また入力セレクタ１２２Ａ、信号ルータ１２３、子画面ＯＳＤ回路１２８、Ｕ／Ｖチューナ１２１、ＤＲＣ回路１２４、パネル用処理回路１２５およびノイズ除去回路１２７から基板ＩＤを取得し、第４の構成にあることを認識する。
そして、システム制御ブロック１１０は、この第４の構成を意味する共通コマンドＩｎｉｔｉａｌｉｚｅＣｏｎｎｅｃｔ（４）を、制御バス１１１に送出する。これにより、子画面ＯＳＤ回路１２８は、第４の構成である旨を表示するための表示信号を生成し、この表示信号が合成された出力画像信号を出力する状態となる。
また、電源投入時に、入力セレクタ１２２Ａは、ラストメモリ領域に記憶されているノイズレベルｘ′を用いて、共通コマンドＩｎｐｕｔＮｏｉｓｅ（ｘ′）を、制御バス１１１に送出する（図１９参照）。そのため、この信号ルータ１２３は、ノイズレベルｘ′に応じて、第３の状態または第４の状態となる（図２１参照）
すなわち、ノイズレベルｘ′が所定レベルｃより大きいときは、第１の入力端子が第３の出力端子に接続され、第４の入力端子が第１の出力端子に接続され、第２の入力端子が第２の出力端子に接続され、第３の入力端子が第４の出力端子に接続される第３の状態となる（図２４参照）。これにより、ＤＲＣ回路１２４、パネル用処理回路１２５およびノイズ除去回路１２７が処理系に挿入される。この場合、ノイズ除去回路１２７のノイズ抑圧値は、ノイズレベルｘ′に対応したものとされる。
また、ノイズレベルｘ′が所定レベルｃ以下であるときは、第１の入力端子が第１の出力端子に接続され、第２の入力端子が第２の出力端子に接続され、第３の入力端子が第４の出力端子に接続される第４の状態となる（図２５参照）。これにより、ＤＲＣ回路１２４およびパネル用処理回路１２５が処理系に挿入され、ノイズ除去回路１２７は処理系に挿入されない。このようにノイズレベルｘ′が小さいときノイズ除去回路１２７を処理系に挿入しないことで、処理系にノイズ除去回路１２７を挿入することによる、解像度低下などを抑制できる。
また、システム制御ブロック１１０は、信号ルータ１２３に係る共通コマンドを除く、全種類の共通コマンドの初期値（図５参照）を制御バス１１１に送出する。また、入力セレクタ１２２Ａは、上述したように電源投入時に共通コマンドＩｎｐｕｔＮｏｉｓｅ（ｘ′）を制御バス１１１に送出する。これにより、入力セレクタ１２２Ａ、子画面ＯＳＤ回路１２８、Ｕ／Ｖチューナ１２１、ＤＲＣ回路１２４およびパネル用処理回路１２５は、初期状態となり、画像信号処理装置１００Ａとしての動作が開始される。なおこの場合、ＤＲＣ回路１２４のノイズ軸のボリウム値ｎｏｉｓｅＶａｌに関しては、例えば共通コマンドＩｎｐｕｔＮｏｉｓｅ（ｘ′）に対応するものが優先される。
Ｕ／Ｖチューナ１２１では、Ｕ／Ｖ用アンテナで受信された放送信号に対して、システム制御ブロック１１０から送られてくる共通コマンドｃｈ（１）〜ｃｈ（１２）のいずれかに基づいて選局処理が施され、所定のチャネルの画像信号が得られる。
このＵ／Ｖチューナ１２１で得られる画像信号（入力１）は入力セレクタ１２２Ａに入力される。また、この入力セレクタ１２２Ａには、コネクタ１０２ａ（図１６参照）に供給された外部ビデオ入力としての画像信号（入力３）も入力される。この入力セレクタ１２２では、システム制御ブロック１１０から送られてくる共通コマンドｉｎ（１）または共通コマンドｉｎ（３）に基づいて、入力１または入力３が選択される。
ノイズレベルｘ′が所定レベルｃより大きい場合、図２４に示すように、入力セレクタ１２２Ａで選択された画像信号は、信号ルータ１２３の第１の入力端子、第３の出力端子を介してノイズ除去回路１２７に供給される。このノイズ除去回路１２７では、入力された画像信号に対して、ノイズレベルｘ′に対応したノイズ抑圧値によりノイズを抑圧する処理が行われる。このノイズ除去回路１２７から出力される画像信号は、信号ルータ１２３の第４の入力端子、第１の出力端子を介して、ＤＲＣ回路１２４に入力される。
一方、ノイズレベルｘ′が所定レベルｃ以下の場合、図２５に示すように、入力セレクタ１２２Ａで選択された画像信号は、信号ルータ１２３の第１の入力端子、第１の出力端子を介して、ＤＲＣ回路１２４に入力される。
このＤＲＣ回路１２４では、入力された画像信号に対して、システム制御ブロック１１０から送られてくる、共通コマンドＤＲＣｖｏｌ（ｒｅｓｏｌｕｔｉｏｎＶａｌ，ｎｏｉｓｅＶａｌ）、ＤＲＣｚｏｏｍＥｘｅｃ（ｏｎ／ｏｆｆ）、ＤＲＣｚｏｏｍ（ｒａｔｉｏＶａｌ，ｈｏｌｉｚｏｎｔａｌＶａｌ，ｖｅｒｔｉｃａｌＶａｌ）、および入力セレクタ１２２Ａから送られてくる共通コマンドＩｎｐｕｔＮｏｉｓｅ（ｘ′）に基づいて、ＤＲＣボリウム処理、ＤＲＣズーム処理が施される。
そして、ＤＲＣ回路１２４から出力される画像信号は、信号ルータ１２３の第２の入力端子、第２の出力端子を介して、パネル用処理回路１２５に供給される。このパネル用処理回路１２５では、入力画像信号に対して、ＬＣＤ、ＰＤＰ等のフラットパネルディスプレイに当該画像信号による画像を表示する際に必要となる処理、例えば輝度調整、色調整、水平、垂直の画素数変換、インタレース方式からプログレッシブ方式への方式変換等の処理が行われる。
そして、このパネル用処理回路１２５から出力される画像信号は、信号ルータ１２３の第３の入力端子、第４の出力端子を介して、子画面ＯＳＤ回路１２８の第１の入力端子に供給される。この子画面ＯＳＤ回路１２８の第２の入力端子には、入力セレクタ１２２Ａで選択された画像信号が供給される。この子画面ＯＳＤ回路１２８では、システム制御ブロック１１０から送られてくる、共通コマンドｃｈ（１）〜ｃｈ（１２）、ｉｎ（１），ｉｎ（２）、ＤＲＣｖｏｌＥｘｅｃ（ｏｎ／ｏｆｆ）、ＤＲＣｖｏｌ（ｒｅｓｏｌｕｔｉｏｎＶａｌ，ｎｏｉｓｅＶａｌ）、ＤＲＣｚｏｏｍＥｘｅｃ（ｏｎ／ｏｆｆ）、ＤＲＣｚｏｏｍ（ｒａｔｉｏＶａｌ，ｈｏｌｉｚｏｎｔａｌＶａｌ，ｖｅｒｔｉｃａｌＶａｌ）、および入力セレクタ１２２Ａから送られてくる共通コマンド共通コマンドＩｎｐｕｔＮｏｉｓｅ（ｘ′）に基づいて、出力画像信号を得る処理、その出力画像信号に種々の表示をする表示信号を合成する処理等が行われる。
この子画面ＯＳＤ回路１２８で得られる出力画像信号は、コネクタ１０３（図１６参照）に出力画像信号として出力される。この出力画像信号は、パネル用処理回路１２５がＬＣＤ用のものであるときはＬＣＤで構成されるディスプレイに供給され、パネル用処理回路１２５がＰＤＰ用のものであるときはＰＤＰで構成されるディスプレイに供給される。
また、電源投入後は、ユーザ操作があるとき、システム制御ブロック１１０からユーザ操作に対応した共通コマンドが制御バス１１１に送出される。これにより、Ｕ／Ｖチューナ１２１の選局チャネル、入力セレクタ１２２Ａで選択される入力、ＤＲＣ回路１２４のＤＲＣボリウム処理、ＤＲＣズーム処理の処理内容が変更される。
また、電源投入後は、入力セレクタ１２２Ａのノイズ検出部１２０ｆで検出されるノイズレベルｘが以前に検出されたノイズレベルｘ′から変化したとき、入力セレクタ１２２Ａから共通コマンドＩｎｐｕｔＮｏｉｓｅ（ｘ′）が発行され、制御バス１１１に送出される。これにより、ＤＲＣ回路１２４におけるノイズ軸のボリウム値ｎｏｉｓｅＶａｌがノイズレベルｘに対応した値に変更されると共に、子画面ＯＳＤ回路１２８による入力ノイズレベルの表示値も変更される。また、ノイズ除去回路１２７のノイズ抑圧値がノイズレベルｘに対応した値に変更されると共に、信号ルータ１２３の状態がノイズレベルｘが所定レベルｃより大きいか否かによって第３の状態（図２４参照）または第４の状態（図２５参照）とされる。
上述した第２の実施の形態においては、各機能ブロック１２０（Ｕ／Ｖチューナ１２１、入力セレクタ１２２Ａ、信号ルータ１２３、ＤＲＣ回路１２４、ノイズ除去回路１２７、子画面ＯＳＤ回路１２８）では、システム制御ブロック１１０および入力セレクタ１２２Ａから送られてくる共通コマンドが自己の機能ブロックに係る共通コマンドであるとき、それが機能部１２０ｅを制御するための機能ブロック内コマンドに変換されるものである。したがって、この第２の実施の形態においては、上述した第１の実施の形態と同様に、各機能ブロック１２０は、共通コマンドに応じて適応的に動作するものであり、機能ブロック１２０のバージョンアップによる機能のアップグレードを、共通コマンドを変化させることなく容易に行うことができる。
また、この第２の実施の形態においては、機能ブロック１２０としての入力セレクタ１２２Ａが、画像信号から検出したノイズレベルｘを含む共通コマンドＩｎｐｕｔＮｏｉｓｅ（ｘ）を制御バス１１１に送出するものであり、この共通コマンドＩｎｐｕｔＮｏｉｓｅ（ｘ）に含まれるノイズレベルｘの情報を、他の複数の機能ブロック、つまり信号ルータ１２３、ＤＲＣ回路１２４およびノイズ除去回路１２７で容易に利用できる。
なお、この第２の実施の形態においては、入力セレクタ１２２Ａで画像信号のノイズのレベルｘを検出し、当該入力セレクタ１２２Ａからノイズレベルｘを含む共通コマンドＩｎｐｕｔＮｏｉｓｅ（ｘ）を発行するものを示したが、ノイズレベルｘの代わりにその他の情報を検出し、それを含む共通コマンドＩｎｐｕｔＮｏｉｓｅ（ｘ）を発行し、ＤＲＣ回路１２４等の他の機能ブロックでその情報を用いることも考えられる。他の情報としては、画像信号の動き量の情報、画像信号が特有のノイズを持つフィルムソースに基づくものであるか否かの情報などが考えられる。
なお、この第２の実施の形態のように、システム制御ブロックおよび機能ブロックから共通コマンドが発行されるものにあっては、上述した第１の実施の形態のように、共通コマンドが発行するブロックが、所定時間おきのタイミングで、あるいは共通コマンドを受信する機能ブロックは共通コマンドを受けて正常動作したことを示すコマンドを共通コマンドを発行したブロックに返すものとし、そのようなコマンドが返されなかった場合に、再度全部の種類または一部の種類の共通コマンドを、制御バス１１１に送出する。これにより、複数の機能ブロックの連係ずれを防止できる。
次に、この発明の第３実施の形態について説明する。図２６は、第３の実施の形態としての画像信号処理装置１００Ｂの構成を示している。この画像信号処理装置１００Ｂは、制御バス１１１としてＣＡＮバスを用いたものである。この図２６において、図１と対応する部分には同一符号を付し、その詳細説明を適宜省略する。
この画像信号処理装置１００Ｂにおいて、筐体１０１には、アップグレードデータメモリスロット１０５が設けられている。このスロット１０５は、アップグレードデータが記憶されたメモリカード（図示せず）を挿入するためのスロットである。ここで、アップグレードデータとは、機能ブロックの追加またはバージョンアップがあったときに必要となるデータ、例えばユーザ操作信号と共通コマンドとの対応関係を示すデータ、共通コマンドと機能ブロック内コマンドとの対応関係を示すデータなどである。この画像信号処理装置１００Ｂのその他は、図１に示す画像信号処理装置１００と同様に構成されている。
図２７は、システム制御ブロック１１０の構成を示している。このシステム制御ブロック１１０は、ＣＡＮバスインタフェース（ＣＡＮバスＩ／Ｆ）１１０Ａと、制御部１１０Ｂと、システム制御プログラムメモリ１１０Ｃとを有している。ＣＡＮバスＩ／Ｆ１１０Ａは、ＣＡＮバス（制御バス１１１）との間のインタフェースを行う。また、このＣＡＮバスＩ／Ｆ１１０Ａは、ＣＡＮバスで送られてくる通信データ（共通コマンド、ラストメモリデータなど）をハードウェア的に選択して受信用メッセージバッファに格納すると共に、送信用メッセージバッファに格納されている通信データ（アップグレードデータ、共通コマンドなど）をＣＡＮバス（制御バス１１１）に送出する。
制御部１１０Ｂは、図示せずもマイクロコンピュータ（マイコン）を備えて構成されており、リモコン１１２または操作部１１３からのユーザ操作信号、ＣＡＮバスＩ／Ｆ１１０Ａの受信用メッセージバッファに格納されている通信データ（ラストメモリデータ、共通コマンドなど）を受け付けながら、システム全体の制御を行う。システム制御プログラムメモリ１１０Ｃは、制御部１１０Ｂの動作に係る制御プログラム等を記憶する。なお、このシステム制御プログラムメモリ１１０Ｃには、上述した、ユーザ操作信号と共通コマンドとの対応関係を示すデータなども記憶される。
このシステム制御ブロック１１０の動作を説明する。例えば、制御部１１０Ｂがユーザ操作信号を受け付けた場合の動作を説明する。この場合、制御部１１０Ｂは、当該ユーザ操作信号に基づき、必要に応じて、システム制御プログラムメモリ１１０Ｃから適切な制御プログラムを読み出し、当該ユーザ操作信号に対応した共通コマンド（グローバルコマンド）を生成し、その共通コマンドをＣＡＮバスＩ／Ｆ１１０Ａの送信用メッセージバッファに格納する。そして、ＣＡＮバスＩ／Ｆ１１０Ａは、送信用メッセージバッファに格納された共通コマンドをＣＡＮバス（制御バス１１１）に送出する。
ここで、通信データのフォーマットについて説明する。通信データは、図２８Ａに示すように識別子（ＩＤ：ｉｄｅｎｔｉｆｉｅｒ）およびペイロード部で構成され、あるいは識別子（ＩＤ）のみで構成される。ペイロード部には、コマンドのパラメータあるいはデータが配置される。通信データが共通コマンドである場合、図２８Ｂに示すように、識別子（ＩＤ）はシステムアプリケーション番号および共通コマンド通し番号からなっている。例えば、識別子が１２ビットで構成されるとき、システムアプリケーション番号は４ビットで表され、共通コマンド通し番号は８ビットで表される。
図２９および図３０は、共通コマンドと機能ブロック内コマンドの対応を示している。図２９は、図２６に示すＤＲＣ回路（機能ブロック４）１２４がズーム機能を備えていない場合を示し、図３０は、このＤＲＣ回路１２４がズーム機能を備えている場合を示している。ＤＲＣ回路１２４がズーム機能を備えたものにバージョンアップされるとき、ＤＲＣｚｏｏｍＥｘｅｃ（ｏｎ／ｏｆｆ）およびＤＲＣｚｏｏｍ（ｒａｔｉｏＶａｌ，ｈｏｌｉｚｏｎｔａｌＶａｌ，ｖｅｒｔｉｃａｌＶａｌ）の共通コマンドが新たに加わる。図２９、図３０における各共通コマンドの内容は、上述の図５に示すものと同様であり、ここではその説明を省略する。
例えば、共通コマンドｃｈ（１）〜ｃｈ（１２）の識別子は「０ｘＣ０１〜０ｘＣ０Ｃ」とされ、共通コマンドｉｎ（１）〜ｉｎ（３）の識別子は「０ｘＡ０１」とされ、ＤＲＣｖｏｌＥｘｅｃ（ｏｎ／ｏｆｆ）の識別子は「０ｘ５０１」とされ、ＤＲＣｖｏｌ（ｒｅｓｏｌｕｔｉｏｎＶａｌ，ｎｏｉｓｅＶａｌ）の識別子は「０ｘ５０２」とされ、ＤＲＣｚｏｏｍＥｘｅｃ（ｏｎ／ｏｆｆ）の識別子は「０ｘ５０３」とされ、ＤＲＣｚｏｏｍ（ｒａｔｉｏＶａｌ，ｈｏｌｉｚｏｎｔａｌＶａｌ，ｖｅｒｔｉｃａｌＶａｌ）の識別子は「０ｘ５０４」とされ、さらに共通コマンドＩｎｉｔｉａｌｉｚｅＣｏｎｎｅｃｔ（１／２／３／４／５）の識別子は「０ｘ００１」とされている。共通コマンドｃｈ（１）〜ｃｈ（１２）については、「０ｘＣ０１〜０ｘＣ０Ｃ」の識別子のみでその内容が分かるのでペイロード部は不要であるが、その他の共通コマンドについては、識別子のみではその内容が分からないので、ペイロード部にパラメータが配置される。
また例えば、スロット１０５（図２６参照）に、アップグレードデータが記憶されているメモリカードが挿入された場合の動作を説明する。制御部１１０Ｂは、このメモリカードからアップグレードデータを読み込む。そして、制御部１１０Ｂは、このアップグレードデータをシステム制御プログラムメモリ１１０Ｃに書き込む。また、制御部１１０Ｂは、各機能ブロックで必要とするアップグレードデータを、所定の識別子（ＩＤ）を付加して、ＣＡＮバスＩ／Ｆ１１０Ａの送信メッセージバッファに格納する。そして、ＣＡＮバスＩ／Ｆ１１０Ａは、送信用メッセージバッファに格納されたアップグレードデータをＣＡＮバス（制御バス１１１）に送出する。
スロット１０５へのメモリカードの挿入は、例えば、ＤＲＣ回路１２４がズーム機能を持つものにアップグレードされた場合に行われる。この場合、共通コマンドＤＲＣｚｏｏｍＥｘｅｃ（ｏｎ／ｏｆｆ）、ＤＲＣｚｏｏｍ（ｒａｔｉｏＶａｌ，ｈｏｌｉｚｏｎｔａｌＶａｌ，ｖｅｒｔｉｃａｌＶａｌ）に係るアップグレードデータがメモリカードで供給される。この場合、アップグレードされたＤＲＣ回路１２４自体は予め共通コマンドＤＲＣｚｏｏｍＥｘｅｃ（ｏｎ／ｏｆｆ）、ＤＲＣｚｏｏｍ（ｒａｔｉｏＶａｌ，ｈｏｌｉｚｏｎｔａｌＶａｌ，ｖｅｒｔｉｃａｌＶａｌ）と機能ブロック内コマンドとの対応関係を示すデータを持っているが、子画面ＯＳＤ回路（機能ブロック８）１２８は、その対応関係を示すデータを持っていない。そこでこの場合には、子画面ＯＳＤ回路１２８に向けてアップグレードデータが送信される。
また例えば、ＣＡＮバス（制御バス１１１）を介して各機能ブロックからラストメモリデータが送られてくる場合の動作を説明する。この場合、ＣＡＮバスＩ／Ｆ１１０Ａの受信メッセージバッファにラストメモリデータが格納される。そして、制御部１１０Ｂは、受信メッセージバッファからラストメモリデータを読み込み、システム制御プログラムメモリ１１０Ｃの所定領域（ラストメモリ）に書き込む。
図３１は、図２６に示す機能ブロック１〜８の基本となる機能ブロック１２０Ａを示している。この図３１において、図２と対応する部分には同一符号を付し、適宜、その詳細説明を省略する。
この機能ブロック１２０Ａは、制御用コネクタ１２０ａ、入力用コネクタ１２０ｂおよび出力用コネクタ１２０ｃを有している。また、機能ブロック１２０Ａは、制御インタフェース（制御Ｉ／Ｆ）１２０ｄおよび機能部１２０ｅを有している。入力用コネクタ１２０ｂには機能部１２０ｅで処理すべき信号が入力され、この信号は入力用コネクタ１２０ｂを介して機能部１２０ｅに入力される。出力用コネクタ１２０ｃには機能部１２０ｅで処理されて出力された信号が出力される。
制御用コネクタ１２０ａは、ＣＡＮバス（制御バス１１１）に接続される。制御Ｉ／Ｆ１２０ｄは制御用コネクタ１２０ａに接続されている。制御Ｉ／Ｆ１２０ｄは、ＣＡＮバス（制御バス１１１）を介して送られてくる共通コマンドに基づいて機能部１２０ｅの機能を制御する。
制御Ｉ／Ｆ１２０ｄは、ＣＡＮバスインタフェース（ＣＡＮバスＩ／Ｆ）１２０ｄ１と、制御部１２０ｄ２と、基板内制御プログラムメモリ１２０ｄ３とを有している。ＣＡＮバスＩ／Ｆ１２０ｄ１は、ＣＡＮバス（制御バス１１１）との間のインタフェースを行う。このＣＡＮバスＩ／Ｆ１２０ｄ１は、ＣＡＮバスで送られてくる通信データ（共通コマンド、アップグレードデータなど）をハードウェア的に選択して受信用メッセージバッファに格納すると共に、送信用メッセージバッファに格納されている通信データ（ラストメモリデータ、共通コマンドなど）をＣＡＮバスに送出する。
図３２は、ＣＡＮバスＩ／Ｆ１２０ｄ１の構成を概略的に示している。このＣＡＮバスＩ／Ｆ１２０ｄ１は、受信バッファ１３１と、比較・転送部１３２と、レジスタ１３３と、受信用メッセージバッファ１３４とを有している。受信バッファ１３１は、ＣＡＮバス（制御バス１１１）を介して送られてくる通信データ（共通コマンド、アップグレードデータなど）を一時的に取り込むためのものである。レジスタ１３３は、自己の機能ブロックで受信すべき通信データ（共通コマンド、アップグレードデータなど）の識別子（ＩＤ）を設定するためのものである。このレジスタ１３３への識別子の設定は、制御部１２０ｄ２により行われる。共通コマンドの場合、例えば、識別子（ＩＤ）のうち、レジスタ１３３には、システムアプリケーション番号の部分だけ設定してもよい（図２８Ａ，Ｂ参照）。
受信用メッセージバッファ１３４は、自己の機能ブロックで受信すべき通信データ（共通コマンド、アップグレードデータなど）を格納し、制御部１２０ｄ２に受け渡すためのものである。この受信用メッセージバッファ１３４は、複数のメッセージバッファから構成されており、複数の通信データを並行して格納できるようになっている。比較・転送部１３２は、受信バッファ１３１に一時的に取り込まれた通信データの識別子がレジスタ１３３に設定されているか否かをハードウェア的に比較判定し、設定されている場合にはその通信データを受信バッファ１３１から受信用メッセージバッファ１３４に転送して格納する。
また、ＣＡＮバスＩ／Ｆ１２０ｄ１は、送信用メッセージバッファ１３５と、送信コントローラ１３６とを有している。送信用メッセージバッファ１３５は、システム制御ブロック１１０および他の機能ブロックに送るべき、制御部１２０ｄ２からの通信データ（ラストメモリデータ、共通コマンドなど）を格納し、後述する送信コントローラ１３６に受け渡すためのものである。この送信用メッセージバッファ１３５は、複数のメッセージバッファから構成されており、複数の通信データを並行して格納できるようになっている。送信コントローラ１３６は、送信用メッセージバッファ１３５に格納されている通信データを所定のタイミングでＣＡＮバス（制御バス１１１）に送出する。
なお、図３２は、機能ブロック１２０Ａの制御Ｉ／Ｆ１２０ｄが有するＣＡＮバスＩ／Ｆ１２０ｄ１を示しているが、説明は省略するも、上述したシステム制御ブロック１１０が有するＣＡＮバスＩ／Ｆ１１０Ａも同様に構成されている。
図３１に戻って、制御部１２０ｄ２は、図示せずもマイクロコンピュータ（マイコン）を備えて構成されており、ＣＡＮバスＩ／Ｆ１２０ｄ１の受信用メッセージバッファに格納されている通信データ（共通コマンド、アップグレードデータなど）に基づいて制御動作をする。また、この制御部１２０ｄ２は、システム制御ブロック１１０および他の機能ブロックに送るべき通信データ（ラストメモリデータ、共通コマンドなど）を生成し、ＣＡＮバスＩ／Ｆ１２０ｄ１の送信用メッセージバッファ１３５に格納する。また、この制御部１２０ｄ２は、ＣＡＮバスＩ／Ｆ１２０ｄ１のレジスタ１３３に、自己の機能ブロックで受信すべき通信データ（共通コマンド、アップグレードデータなど）の識別子（ＩＤ）を設定する。基板内制御プログラムメモリ１２０ｄ３は、制御部１２０ｄ２の動作に係る制御プログラム等を記憶する。なお、この基板内制御プログラムメモリ１２０ｄ３には、上述した、共通コマンドと機能ブロック内コマンドとの対応関係を示すデータも記憶される。
図３１に示す機能ブロックの動作を説明する。例えば、ＣＡＮバス（制御バス１１１）を介して共通コマンドが送られてくる場合の動作を説明する。この場合、この共通コマンドはＣＡＮバスＩ／Ｆ１２０ｄ１の受信バッファ１３１に一時的に取り込まれる。そして、ＣＡＮバスＩ／Ｆ１２０ｄ１の比較・転送部１３２により、受信バッファ１３１に取り込まれた共通コマンドの識別子がレジスタ１３３に設定されているか否かがハードウェア的に比較判定され、設定されているとき、当該受信バッファ１３１に取り込まれた共通コマンドは受信用メッセージバッファ１３４に転送されて格納される。
制御部１２０ｄ２は、ＣＡＮバスＩ／Ｆ１２０ｄ１の受信用メッセージバッファ１３４に格納された共通コマンドを読み込み、この共通コマンドに基づいて、必要に応じて、プログラムメモリ１２０ｄ３から適切な制御プログラムを読み出すと共に、その制御プログラムに基づいて機能部１２０ｅに機能ブロック内コマンドを送る。機能部１２０ｅは、この機能ブロック内コマンドに基づいて、機能、例えば信号経路または信号処理を変化させる。
また例えば、ＣＡＮバス（制御バス１１１）を介してアップグレードデータが送られてくる場合の動作を説明する。この場合、このアップグレードデータはＣＡＮバスＩ／Ｆ１２０ｄ１の受信バッファ１３１に一時的に取り込まれる。そして、ＣＡＮバスＩ／Ｆ１２０ｄ１の比較・転送部１３２により、受信バッファ１３１に取り込まれたアップグレードデータの識別子がレジスタ１３３に設定されているか否かがハードウェア的に比較判定され、設定されているとき、当該受信バッファ１３１に取り込まれたアップグレードデータは受信用メッセージバッファ１３４に転送されて格納される。
制御部１２０ｄ２は、ＣＡＮバスＩ／Ｆ１２０ｄ１の受信用メッセージバッファ１３４に格納されたアップグレードデータを読み込み、このアップグレードデータを基板内制御プログラムメモリ１２０ｄ３に書き込む。なお、制御部１２０ｄ２は、例えばアップグレードデータの受信などにより、受信すべき共通コマンドが変化するときは、その都度、受信すべき共通コマンドの識別子（ＩＤ）を、ＣＡＮバスＩ／Ｆ１２０ｄ１のレジスタ１３３に設定する。
また例えば、制御部１２０ｄ２で生成された通信データ（ラストメモリデータ、共通コマンドなど）をシステム制御ブロック１１０および他の機能ブロックに送信する場合の動作を説明する。この場合、制御部１２０ｄ２は、通信データを、ＣＡＮバスＩ／Ｆ１２０ｄ１の送信用メッセージバッファ１３５に格納する。そして、ＣＡＮバスＩ／Ｆ１２０ｄ１の送信コントローラ１３６は、送信用メッセージバッファ１３５に格納された通信データを所定のタイミングでＣＡＮバス（制御バス１１１）に送出する。
図２６に示す画像信号処理装置１００Ｂにおける、システム制御ブロック１１０および各機能ブロックの制御Ｉ／Ｆ１２０ｄの起動時の動作を、図３３Ａ，Ｂのフローチャートを参照して説明する。
図３３Ａはシステム制御ブロック１１０の動作を示している。ステップＳＴ５１で、電源オンとなると、ステップＳＴ５２で、制御部１１０Ｂは、アップグレードデータがあるか否かを判定する。メモリスロット１０５にアップグレードデータが記憶されたメモリカードが挿入されていてアップグレードデータがあるときは、ステップＳＴ５３に進む。
このステップＳＴ５３では、制御部１１０Ｂは、メモリカードに記憶されているアップグレードデータのうち、機能ブロック側で必要とするアップグレードデータを識別子（ＩＤ）を付加した状態でＣＡＮバスＩ／Ｆ１１０Ａの送信用メッセージバッファに格納し、ＣＡＮバス（制御バス１１１）に送出する。そして、ステップＳＴ５４で、制御部１１０Ｂは、メモリカードに記憶されているアップグレードデータのうち、自己のブロックで必要とするアップグレードデータを読み込み、それをシステム制御プログラムメモリ１１０Ｃに書き込み、その後にステップＳＴ５５に進む。
ステップＳＴ５５では、制御部１１０Ｂは、システム制御プログラムメモリ１１０Ｃの所定領域（ラストメモリ）に記憶されているラストメモリデータに基づいて、前回のシステム終了時のシステム状態にするための共通コマンド群を生成し、それをＣＡＮバスＩ／Ｆ１１０Ａの送信用メッセージバッファに格納し、ＣＡＮバス（制御バス１１１）に送出する。そして、ステップＳＴ５６で、制御部１１０Ｂは、起動時の初期設定を終了する。
図３３Ｂは、各機能ブロックの制御Ｉ／Ｆ１２０ｄの動作を示している。ステップＳＴ１１で、電源がオンとなると、ステップＳＴ２で、制御部１２０ｄ２は、ＣＡＮバスＩ／Ｆ１２０ｄ１のレジスタ１３３に、自己の機能ブロックで起動時に受信すべきアップグレードデータの識別子（ＩＤ）および共通コマンドの識別子（ＩＤ）を設定する。
そして、ステップＳＴ１３で、制御部１２０ｄ２は、アップグレードデータを受信したか否かを判定する。アップグレードデータを受信したときは、ステップＳＴ１４で、制御部１２０ｄ２は、受信したアップグレードデータ、つまりＣＡＮバスＩ／Ｆ１２０ｄ１の受信用メッセージバッファ１３４に格納されたアップグレードデータを読み込み、それを基板内制御プログラムメモリ１２０ｄ３に書き込む。その後、ステップＳＴ１５に進む。ステップＳＴ１３でアップグレードデータの受信がないときは、直ちにステップＳＴ１５に進む。
このステップＳＴ１５では、制御部１２０ｄ２は、システム制御ブロック１１０から送られてくる、前回のシステム状態にするための共通コマンドを受信し、それに基づき、必要に応じて、プログラムメモリ１２０ｄ３から適切な制御プログラムを読み出すと共に、その制御プログラムに基づいて機能部１２０ｅに機能ブロック内コマンドを送る。これにより、機能部１２０ｅを、前回のシステム終了時の状態に遷移させる。そして、ステップＳＴ１６で、制御部１２０ｄ２は、起動時の初期設定を終了する。
なお、図１に示す画像信号処理装置１００では、起動時には、各機能ブロックから基板ＩＤを取得して基板構成を認識し、その後に認識した構成に基づいて機能ブロック間接続を意味する共通コマンドＩｎｉｔｉａｌｉｚｅＣｏｎｎｅｃｔを制御バス１１１に送出し、機能ブロック間接続を行うものであった（図６のＳＴ２，ＳＴ３参照）。しかし、図２６に示す画像信号処理装置１００Ｂでは、システム制御ブロック１１０は、前回のシステム終了時の機能ブロック間接続に対応した共通コマンドＩｎｉｔｉａｌｉｚｅＣｏｎｎｅｃｔを、ＣＡＮバス（制御バス１１１）に送出して機能ブロック間接続を行う。
次に、図２６に示す画像信号処理装置１００Ｂにおける、各機能ブロックの制御Ｉ／Ｆ１２０ｄの通常動作時の動作を、図３４のフローチャートを参照して説明する。
ステップＳＴ２１で、起動時の初期設定が終了すると、ステップＳＴ２２で、制御部１２０ｄ２は、通常動作時に受信すべき共通コマンドの識別子（ＩＤ）をＣＡＮバスＩ／Ｆ１２０ｄ１のレジスタ１３３に設定する。例えば、Ｕ／Ｖチューナ１２１ではレジスタに「０ｘＣ」を設定し、入力セレクタ１２２ではレジスタに「０ｘＡ」を設定し、信号ルータ１２３ではレジスタに「０ｘ０」を設定し、ＤＲＣ回路１２４ではレジスタに「０ｘ５」を設定し、ノイズ除去回路１２７ではレジスタに「０ｘ５０２」を設定し、子画面ＯＳＤ回路１２８ではレジスタに「０ｘＣ」、「０ｘＡ」、「０ｘ５」および「０ｘ０」を設定する（図２９、図３０参照）。
そして、ステップＳＴ２３で、制御部１２０ｄ２は、共通コマンドを受信したか否かを判定する。共通コマンドを受信したときは、ステップＳＴ２４で、制御部１２０ｄ２は、受信した共通コマンド、つまりＣＡＮバスＩ／Ｆ１２０ｄ１の受信用メッセージバッファ１３４に格納された共通コマンドを読み込み、それがシステム終了共通コマンドであるか否かを判定する。
システム終了共通コマンドであるときは、ステップＳＴ２５に進み、制御部１２０ｄ２は、システム終了処理に移行する。一方、システム終了共通コマンドでないときは、制御部１２０ｄ２は、ステップＳＴ２６で、当該共通コマンドに基づいて、必要に応じて、基板内制御プログラムメモリ１２０ｄ３から適切な制御プログラムを読み出すと共に、その制御プログラムに基づいて機能部１２０ｅに機能ブロック内コマンドを送り、機能部１２０ｅの機能、例えば信号経路または信号処理を変化させる。その後に、ステップＳＴ２３に戻る。
次に、図２６に示す画像信号処理装置１００Ｂにおける、システム制御ブロック１１０および各機能ブロックの制御Ｉ／Ｆ１２０ｄのシステム終了時の動作を、図３５Ａ，Ｂのフローチャートを参照して説明する。
図３５Ａは、システム制御ブロック１１０の動作を示している。ステップＳＴ３１で、ユーザによる電源オフ操作があると、ステップＳＴ３２で、制御部１１０Ｂは、システム終了コマンドをＣＡＮバスＩ／Ｆ１１０Ａの送信用メッセージバッファに格納し、ＣＡＮバス（制御バス１１１）に送出する。
そして、ステップＳＴ３３で、制御部１１０Ｂは、ＣＡＮバスＩ／Ｆ１１０Ａのレジスタに、各機能ブロックから送られてくるラストメモリデータの識別子（ＩＤ）を設定し、その受信待ちをする。そして、ステップＳＴ３４で、制御部１１０Ｂは、受信した各機能ブロックのラストメモリデータ、つまりＣＡＮバスＩ／Ｆ１１０Ａの受信用メッセージバッファに格納されたラストメモリデータを読み込み、それをシステム制御制御プログラムメモリ１１０Ｃ内の所定領域（ラストメモリ）に保存する。その後に、ステップＳＴ３５で、制御部１１０Ｂは、システムの電源をオフとする。
図３５Ｂは、各機能ブロックの制御Ｉ／Ｆ１２０ｄの動作を示している。ステップＳＴ４１で、制御部１２０ｄ２は、システム終了共通コマンドの受信を受けてシステム終了の処理を開始し（図３４のステップＳＴ２５に対応）、ステップＳＴ４２で、制御部１２０ｄ２は、基板内制御プログラムメモリ１２０ｄ３からラストメモリデータ送信プログラムを読み込み、それを起動させる。
そして、ステップＳＴ４３で、制御部１２０ｄ２は、機能部１２０ｅの現状の信号経路、信号処理を示すパラメータを、ラストメモリデータとして、識別子（ＩＤ）を付加した状態でＣＡＮバスＩ／Ｆ１２０ｄ１の送信用メッセージバッファに格納し、ＣＡＮバス（制御バス１１１）に送出する。その後に、ステップＳＴ４４で、制御部１２０ｄ２は、システムの電源をオフとする。
上述した第３の実施の形態においては、各機能ブロック１２０Ａ（Ｕ／Ｖチューナ１２１、入力セレクタ１２２、信号ルータ１２３、ＤＲＣ回路１２４、ノイズ除去回路１２７、子画面ＯＳＤ回路１２８）では、システム制御ブロック１１０から送られてくる共通コマンドが自己の機能ブロックに係る共通コマンドであるとき、それが機能部１２０ｅを制御するための機能ブロック内コマンドに変換され、各機能ブロック１２０は、システム制御ブロック１１０から送られてくる共通コマンドに応じて適応的に動作するものであり、上述した第１の実施の形態と同様の効果を得ることができる。
また、この第３の実施の形態においては、各機能ブロックでは、ＣＡＮバスインタフェース１２０ｄ１で、ＣＡＮバス（制御バス１１１）を介して受信された通信データ（共通コマンド、アップグレードデータなど）が自己の機能ブロックに係るものであるか否かがハードウェア的に比較判定され、自己の機能ブロックに係るものであるときは、それが受信用メッセージバッファ１３４に格納される。そのため、機能ブロック内の制御部１２０ｄ２（制御マイコン）では受信された通信データの取捨選択を行う必要がなく、当該制御部１２０ｄ２の負荷を大幅に軽減できる。
また、ＣＡＮバスは自動車分野で広く用いられているため、ノイズ対する対策が十分に講じられており、近年登場したプラズマディスプレイなど、ノイズの多い機器内においても、共通コマンドのように受信完了を送信側に通知できないシステムを安定して運用できる制御バスを実現できる。
図２６に示す画像信号処理装置１００Ｂでは、バスインタフェースとしてＣＡＮバスＩ／Ｆを用いたものであるが、このバスインタフェースとしては受信データを格納するためのメッセージバッファと、バスを介して受信された受信データを選択的にメッセージバッファに格納するメッセージ格納制御部とを持ち、受信データをハードウェア的に取捨選択できるものであれば、ＣＡＮバスＩ／Ｆ以外のバスインタフェースであってもよい。
なお、上述実施の形態においては、Ｕ／Ｖチューナ１２１（機能ブロック１）、入力セレクタ１２２，１２２Ａ（機能ブロック２）、信号ルータ１２３（機能ブロック３）、ＤＲＣ回路１２４（機能ブロック４）、パネル用処理回路１２５（機能ブロック５）、デジタル地上波チューナ１２６（機能ブロック６）、ノイズ除去回路１２７（機能ブロック７）、子画面ＯＳＤ回路１２８（機能ブロック８）等からなる画像信号処理装置１００，１００Ａ，１００Ｂを示したものであるが、機能ブロックの個数および種類はこれに限定されない。スロット数も５個に限定されず、例えば全ての機能ブロックがスロットに挿入される構成としてもよい。
また、上述実施の形態においては、この発明を画像信号処理装置１００，１００Ａ，１００Ｂに適応したものであるが、この発明は、画像信号だけでなく、音声信号等のその他の情報信号を処理する装置にも同様に適用できる。
また、上述実施の形態において、機能ブロック１２０は基板を単位としているが、これに限定されるものではない。機能ブロック１２０としては、ＬＳＩ（Ｌａｒｇｅ  Ｓｃａｌｅ  Ｉｎｔｅｇｒａｔｅｄ  ｃｉｒｃｕｉｔ）のチップを単位とすることもでき、またこれら基板、チップからなる装置を単位とすることもできる。
【産業上の利用可能性】  この発明は、情報信号を複数の機能ブロックで処理するものにあって、機能ブロックのバージョンアップによる機能のアップグレードを容易に行い得るものであり、例えば複数の機能ブロックを用いて画像信号にノイズ除去、高画質化等の一連の処理を行う画像信号処理装置等に適用できる。
【図１】
2005094066.tif 000002
【図２】
2005094066.tif 000003
【図３】
2005094066.tif 000004
【図４】
2005094066.tif 000005
【図５】
2005094066.tif 000006
【図６】
2005094066.tif 000007
【図７】
2005094066.tif 000008
【図８】
2005094066.tif 000009
【図９】
2005094066.tif 000010
【図１０】
2005094066.tif 000011
【図１１】
2005094066.tif 000012
【図１２】
2005094066.tif 000013
【図１３】
2005094066.tif 000014
【図１４Ａ】
2005094066.tif 000015
【図１４Ｂ】
2005094066.tif 000016
【図１５】
2005094066.tif 000017
【図１６】
2005094066.tif 000018
【図１７】
2005094066.tif 000019
【図１８】
2005094066.tif 000020
【図１９】
2005094066.tif 000021
【図２０】
2005094066.tif 000022
【図２１】
2005094066.tif 000023
【図２２】
2005094066.tif 000024
【図２３】
2005094066.tif 000025
【図２４】
2005094066.tif 000026
【図２５】
2005094066.tif 000027
【図２６】
2005094066.tif 000028
【図２７】
2005094066.tif 000029
【図２８Ａ】
2005094066.tif 000030
【図２８Ｂ】
2005094066.tif 000031
【図２９】
2005094066.tif 000032
【図３０】
2005094066.tif 000033
【図３１】
2005094066.tif 000034
【図３２】
2005094066.tif 000035
【図３３Ａ】
2005094066.tif 000036
【図３３Ｂ】
2005094066.tif 000037
【図３４】
2005094066.tif 000038
【図３５Ａ】
2005094066.tif 000039
【図３５Ｂ】
2005094066.tif 000040
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
情報信号を処理するための複数の機能ブロックと、
上記複数の機能ブロックの動作を制御する制御ブロックとを備え、
上記制御ブロック、または上記制御ブロックおよび上記複数の機能ブロックのうち所定のブロックは共通コマンドを発行し、
上記複数の機能ブロックのそれぞれは、上記発行された共通コマンドに応じて適応的に動作する
ことを特徴とする情報信号処理装置。
【請求項２】
上記機能ブロックは、上記共通コマンドにより、信号経路または信号処理を変化させる
ことを特徴とする請求項１に記載の情報信号処理装置。
【請求項３】
上記制御ブロックは、
上記共通コマンドを取得するコマンド取得手段を有する
ことを特徴とする請求項１に記載の情報信号処理装置。
【請求項４】
上記コマンド取得手段は、
上記複数の機能ブロックから上記共通コマンドを取得する
ことを特徴とする請求項３に記載の情報信号処理装置。
【請求項５】
上記コマンド取得手段は、
装置の外部から上記共通コマンドを取得する
ことを特徴とする請求項３に記載の情報信号処理装置。
【請求項６】
上記制御ブロックは、
ユーザの操作に対応した第１の共通コマンドを有し、
上記第１の共通コマンドに対応した上記ユーザの操作があるとき、該第１の共通コマンドを上記複数の機能ブロックに送る
ことを特徴とする請求項１に記載の情報信号処理装置。
【請求項７】
上記制御ブロックは、
ユーザの操作に対応していない第２の共通コマンドを有し、
ユーザの操作に関連させることなく、上記第２の共通コマンドを上記複数の機能ブロックに送る
ことを特徴とする請求項１に記載の情報信号処理装置。
【請求項８】
上記共通コマンドを発行するブロックは、
所定時間おきのタイミングで、上記複数の機能ブロックに、全部の種類または一部の種類の共通コマンドの最新の値を送る
ことを特徴とする請求項１に記載の情報信号処理装置。
【請求項９】
上記共通コマンドを発行するブロックは、
上記発行された共通コマンドを受けて動作すべき機能ブロックから正常動作をしたことを示すコマンドが送信されてこないとき、
上記複数の機能ブロックに、全部の種類または一部の種類の共通コマンドの最新の値を送る
ことを特徴とする請求項１に記載の情報信号処理装置。
【請求項１０】
上記機能ブロックは、
制御部および該制御部によって制御される機能部を備え、
上記制御部は、
自己の機能ブロックに係る共通コマンドと上記機能部を制御するための機能ブロック内コマンドとの対応関係を記憶する記憶手段と、
上記制御ブロックから送られてくる共通コマンドを受信する受信手段と、
上記受信手段で受信された共通コマンドが自己の機能ブロックに係る共通コマンドであるとき、該共通コマンドを、上記記憶手段に記憶されている上記対応関係に基づいて、上記機能ブロック内コマンドに変換する変換手段とを有する
ことを特徴とする請求項１に記載の情報信号処理装置。
【請求項１１】
上記所定のブロックは、上記情報信号の処理結果を含む上記共通コマンドを発行する
ことを特徴とする請求項１に記載の情報信号処理装置。
【請求項１２】
上記制御ブロックと上記複数の機能ブロックとは、制御バスを介して接続される
ことを特徴とする請求項１に記載の情報信号処理装置。
【請求項１３】
上記複数の機能ブロックはそれぞれ基板であり、
該複数の機能ブロックの一部または全部はそれぞれ筐体に設けられたスロットに挿入されることで上記制御バスに接続される
ことを特徴とする請求項１２に記載の情報信号処理装置。
【請求項１４】
情報信号を処理するための複数の機能ブロックのそれぞれに、制御ブロック、または上記制御ブロックおよび上記複数の機能ブロックのうち所定のブロックから共通コマンドを送り、
上記複数の機能ブロックを、上記共通コマンドに応じて、適応的に動作させる
ことを特徴とする機能ブロック制御方法。
【請求項１５】
制御部および該制御部によって制御される機能部を備え、
上記制御部は、
自己の機能ブロックに係る共通コマンドと上記機能部を制御するための機能ブロック内コマンドとの対応関係を記憶する記憶手段と、
制御ブロックから送られてくる共通コマンドを受信する受信手段と、
上記受信手段で受信された共通コマンドが自己の機能ブロックに係る共通コマンドであるとき、該共通コマンドを、上記記憶手段に記憶されている上記対応関係に基づいて、上記機能ブロック内コマンドに変換する変換手段とを有する
ことを特徴とする機能ブロック。
【請求項１６】
上記制御ブロックおよび上記複数の機能ブロックのそれぞれはバスインタフェースを有し、
上記制御ブロックおよび上記複数の機能ブロックのそれぞれは上記バスインタフェースを用いたバスにより接続され、
上記バスインタフェースは、
受信データを格納するためのメッセージバッファと、
上記バスを介して受信された受信データを選択的に上記メッセージバッファに格納するメッセージ格納制御部とを備える
ことを特徴とする請求項１に記載の情報信号処理装置。
【請求項１７】
上記制御ブロックは、上記複数の機能ブロックに、少なくとも識別子を有してなる共通コマンドを送信し、
上記複数の機能ブロックの上記メッセージ格納制御部は、予め設定された所定の共通コマンドの識別子と、上記バスを介して受信された共通コマンドの識別子とが一致するとき、該受信された共通コマンドを上記メッセージバッファに格納する
ことを特徴とする請求項１６に記載の情報信号処理装置。
【請求項１８】
上記バスはＣＡＮバスである
ことを特徴とする請求項１６に記載の情報信号処理装置。
【手続補正２】
【補正対象書類名】明細書
【補正対象項目名】全文
【補正方法】変更
【補正の内容】
【書類名】明細書
【発明の名称】  情報信号処理装置、機能ブロック制御方法および機能ブロック
【技術分野】
【０００１】
この発明は、例えば複数の機能ブロックを用いて画像信号を処理する画像信号処理装置等に適用して好適な情報信号処理装置、機能ブロック制御方法および機能ブロックに関する。
【０００２】
詳しくは、この発明は、情報信号を処理するための複数の機能ブロックのそれぞれに、制御ブロックまたは所定の機能ブロックから共通コマンドを送り、この複数の機能ブロックを、共通コマンドに応じて適応的に動作させることによって、機能ブロックのバージョンアップによる機能のアップグレードを、共通コマンドを変化させることなく容易に行い得るようにした情報信号処理装置等に係るものである。
【背景技術】
【０００３】
従来、画像信号にノイズ除去、高画質化等の一連の処理を行って出力する画像信号処理装置において、これら一連の処理を複数の機能ブロック、例えば基板、チップ、装置等を用いて実現することが考えられている。この場合、機能ブロックの追加を行うことで、機能のアップグレードを図ることができる。機能ブロックを追加する場合に、各機能ブロックを制御するための制御ブロックは、追加された機能ブロックを制御するための制御情報を取得することが必要となる。
【０００４】
例えば、特開平１１−５３２８９号公報には、パーソナルコンピュータ等の情報処理装置に周辺装置を接続するとき、この周辺装置の記憶装置に格納されているドライバソフトを情報処理装置の記憶装置に自動的にインストールし、情報処理装置で周辺装置の制御を可能とする技術が記載されている。
【０００５】
ところで、制御ブロックが、機能ブロックを制御する際に、機能ブロックの動作を直接制御する機能ブロック内コマンドを送信するものとすると、ある機能ブロックをバージョンアップされた機能ブロックに交換して機能のアップグレードを図る場合にも、制御ブロックは、上述したように機能ブロックを追加する場合と同様に、そのバージョンアップ後の機能ブロックの制御情報を取得することが必要となる。
【発明の開示】
この発明の目的は、機能ブロックのバージョンアップによる機能のアップグレードを容易に行い得るようにすることにある。
【０００６】
この発明に係る情報信号処理装置は、情報信号を処理するための複数の機能ブロックと、この複数の機能ブロックの動作を制御する制御ブロックとを備え、制御ブロック、または制御ブロックおよび複数の機能ブロックのうち所定のブロックは共通コマンドを発行し、複数の機能ブロックのそれぞれは、発行された共通コマンドに応じて適応的に動作するものである。
【０００７】
また、この発明に係る機能ブロック制御方法は、情報信号を処理するための複数の機能ブロックのそれぞれに、制御ブロック、または制御ブロックおよび複数の機能ブロックのうち所定のブロックから共通コマンドを送り、この複数の機能ブロックを、共通コマンドに応じて、適応的に動作させるものである。
【０００８】
また、この発明に係る機能ブロックは、制御部およびこの制御部によって制御される機能部を備え、制御部は、自己の機能ブロックに係る共通コマンドと機能部を制御するための機能ブロック内コマンドとの対応関係を記憶する記憶手段と、制御ブロックから送られてくる共通コマンドを受信する受信手段と、この受信手段で受信された共通コマンドが自己の機能ブロックに係る共通コマンドであるとき、この共通コマンドを、記憶手段に記憶されている対応関係に基づいて、機能ブロック内コマンドに変換する変換手段とを有するものである。
【０００９】
この発明において、制御ブロックは、複数の機能ブロックの動作を制御する。例えば、制御ブロックと複数の機能ブロックとは、制御バスを介して接続されている。また例えば、複数の機能ブロックはそれぞれ基板であり、この複数の機能ブロックの一部または全部は、それぞれ筐体に設けられたスロットに挿入されることで、制御バスに接続される。
【００１０】
制御ブロック、または制御ブロックおよび複数の機能ブロックのうち所定のブロックからは共通コマンドが発行される。例えば、共通コマンドを発行する機能ブロックからは、情報信号の処理結果を含む共通コマンドが発行される。この共通コマンドは、複数の機能ブロックに、例えば上述した制御バスを介して送られる。複数の機能ブロックのそれぞれは、共通コマンドに応じて、適応的に動作する。この場合、機能ブロックでは、共通コマンドにより、信号経路または信号処理が変化する。
【００１１】
機能ブロックは、例えば、制御部およびこの制御部によって制御される機能部を備えている。制御部は、自己の機能ブロックに係る共通コマンドと機能部を制御するための機能ブロック内コマンドとの対応関係を記憶する記憶手段と、制御ブロックから送られてくる共通コマンドを受信する受信手段と、この受信手段で受信された共通コマンドが自己の機能ブロックに係る共通コマンドであるとき、この共通コマンドを、記憶手段に記憶されている対応関係に基づいて、機能ブロック内コマンドに変換する変換手段とを有している。これにより、機能ブロックは、共通コマンドに応じて、適応的に動作する。
【００１２】
例えば、制御ブロックは、共通コマンドを、複数の機能ブロックから取得する。また例えば、制御ブロックは、リムーバブルな記憶媒体をもって、あるいはインターネット等の所定のネットを介して、さらにはデジタル放送等の放送信号から、共通コマンドを取得する。これにより、新たな機能ブロックが追加され、当該新たな機能ブロックに対応した共通コマンドが新たに必要となる場合であっても、容易に対処できる。
【００１３】
例えば、制御ブロックは、ユーザの操作に対応した第１の共通コマンドを有している場合、第１の共通コマンドに対応したユーザの操作があるとき、第１の共通コマンドを複数の機能ブロックに送る。これにより、複数の機能ブロックは、ユーザの操作に対応して動作する。また例えば、制御ブロックは、ユーザの操作に対応していない第２の共通コマンドを有している場合、ユーザの操作に関連させることなく、第２の共通コマンドを複数の機能ブロックに送る。これにより、複数の機能ブロックは、ユーザの操作に関連せずに、第２の共通コマンドに対応した動作をする。
【００１４】
例えば、共通コマンドを発行するブロック（制御ブロックまたは機能ブロック）は、所定時間おきのタイミングで、複数の機能ブロックに、全部の種類または一部の種類の共通コマンドの最新の値を送る。これにより、ある機能ブロックで自己の機能ブロックに係る共通コマンドを何らかの原因で受信できなかった場合であっても、所定時間後にその共通コマンドの受信が可能となり、例えば２個の機能ブロックが連係して動作する場合に、片方の機能ブロックが共通コマンドを受信できなかったことによる連係のずれを、修正できる。
【００１５】
なおこの場合、共通コマンドを受信する機能ブロックが共通コマンドを受けて正常動作したことを示すコマンドを共通コマンドの送信側のブロック（制御ブロックまたは機能ブロック）に返すようにし、受信側の機能ブロックから送信側のブロックにそのようなコマンドが返されなかった場合に、送信側のブロックは再度全部の種類または一部の種類の共通コマンドの最新の値を送るようにしてもよい。
【００１６】
上述したように、複数の機能ブロックは、制御ブロック、または制御ブロックおよび所定の機能ブロックから発行される共通コマンドに応じて、適応的に動作する。したがって、この発明によれば、所定の機能ブロックをバージョンアップして機能のアップグレードを図る場合に、共通コマンドを変化させる必要はなく、容易に行うことができる。
【００１７】
つまりこの場合、この所定の機能ブロックの記憶手段に記憶されている共通コマンドと機能ブロック内コマンドとの対応関係がバージョンアップに対応したものとなっており、バージョンアップされた機能部を制御するための機能ブロック内コマンドが得られるようになっていればよい。
【００１８】
また、所定の機能ブロックが情報信号の処理結果を含む共通コマンドを発行することで、他の複数の機能ブロックは、この共通コマンドに含まれる処理結果を容易に利用できる。
【００１９】
例えば、制御ブロックおよび複数の機能ブロックのそれぞれはバスインタフェースを有し、制御ブロックおよび複数の機能ブロックのそれぞれはバスインタフェースを用いたバスにより接続される。そして、バスインタフェースは、受信データを格納するためのメッセージバッファと、バスを介して受信された受信データを選択的にメッセージバッファに格納するメッセージ格納制御部とを備える。例えば、バスはＣＡＮ（Controller Area Network）バスである。
【００２０】
例えば、制御ブロックから複数の機能ブロックには、少なくとも識別子を有してなる共通コマンドが送信される。複数の機能ブロックのメッセージ格納制御部は、予め設定された所定の共通コマンドの識別子（識別子の全体ではなく一部の場合も含む）と、バスを介して受信された共通コマンドの識別子とが一致するとき、受信された共通コマンドをメッセージバッファに格納する。
【００２１】
この場合、複数の機能ブロックでは、バスインタフェースで、バスを介して受信された共通コマンドが自己の機能ブロックに係る共通コマンドであるとき、当該共通コマンドをメッセージバッファに格納することがハードウェア的に行われる。そのため、機能ブロック内の制御マイコン（ＣＰＵ）では受信された共通コマンドの取捨選択を行う必要がなく、当該制御マイコンの負荷を大幅に軽減できる。
【発明を実施するための最良の形態】
【００２２】
この発明の第１の実施の形態について説明する。図１は、第１の実施の形態としての画像信号処理装置１００の構成を示している。
【００２３】
この処理装置１００は、筐体１０１を有している。筐体１０１には、コネクタ１０２ａ〜１０２ｃ，１０３が設けられている。コネクタ１０２ａは、外部ビデオ入力用のコネクタであって、図示しないＶＣＲ（Video Cassette Recorder）、ＤＶＤ（Digital Versatile Disc）プレーヤ等で再生された、外部ビデオ入力としての画像信号を入力するためのコネクタである。コネクタ１０２ｂは、デジタル地上波アンテナ線用のコネクタであって、図示しないデジタル地上波用アンテナで受信された放送信号を入力するためのコネクタである。コネクタ１０２ｃは、Ｕ／Ｖ（ＵＨＦ／ＶＨＦ）アンテナ線用のコネクタであって、図示しないＵ／Ｖ用アンテナで受信された放送信号を入力するためのコネクタである。コネクタ１０３は、ディスプレイに供給する画像信号を出力するためのコネクタである。
【００２４】
また、筐体１０１には、機能ブロックとしての基板を挿入するための複数個のスロット、本実施の形態においては、５個のスロット１０４ａ〜１０４ｅが設けられている。スロット１０４ａには、機能ブロック１としてのＵ／Ｖチューナの基板１２１（以下、単に、「Ｕ／Ｖチューナ１２１」とする）が挿入される。スロット１０４ｂには、機能ブロック６としてのデジタル地上波チューナの基板１２６（以下、単に、「デジタル地上波チューナ１２６」とする）が挿入される。
【００２５】
スロット１０４ｃには、機能ブロック４としての高画質化処理を行うＤＲＣ（Digital Reality Creation）回路の基板１２４（以下、単に、「ＤＲＣ回路１２４」とする）が挿入される。スロット１０４ｄには、機能ブロック５としてのＬＣＤ（Liquid Crystal Display）やＰＤＰ（Plasma Display Panel）等のパネル用処理回路の基板１２５（以下、単に、「パネル用処理回路１２５」とする）が挿入される。スロット１０４ｅには、機能ブロック７としてのノイズ除去回路の基板１２７（以下、単に、「ノイズ除去回路１２７」とする）が挿入される。
【００２６】
また、筐体１０１の内部には、例えばマイクロコンピュータを備え、装置全体の動作を制御するシステム制御ブロック１１０と、機能ブロック２としての入力セレクタの基板１２２（以下、単に、「入力セレクタ１２２」とする）と、機能ブロック３としての信号ルータ（マトリクススイッチ）の基板１２３（以下、単に、「信号ルータ１２３」とする）と、機能ブロック８としてのＯＳＤ（子画面）回路の基板１２８（以下、単に、「ＯＳＤ回路１２８」という）とを有している。
【００２７】
なお、上述のマイクロコンピュータの動作プログラムは、例えばＲＯＭ（Read Only Memory）等の記憶媒体によって提供される。この場合、当該記憶媒体を着脱自在とすることで、制御の変更に柔軟に対応可能となる。また、この記憶媒体を書き込み可能な不揮発性メモリとすることで、制御の変更に合わせて動作プログラムの内容を書き換えることができる。
【００２８】
ここで、機能ブロック１〜８の基本となる機能ブロック１２０について説明する。図２は、機能ブロック１２０の構成を示している。この機能ブロック１２０は、制御用コネクタ１２０ａ、入力用コネクタ１２０ｂおよび出力用コネクタ１２０ｃを有している。また、機能ブロック１２０は、制御部としての制御インタフェース（制御Ｉ／Ｆ）１２０ｄおよび機能部１２０ｅを有している。入力用コネクタ１２０ｂには機能部１２０ｅで処理すべき信号が入力され、この信号は入力用コネクタ１２０ｂを介して機能部１２０ｅに入力される。出力用コネクタ１２０ｃには機能部１２０ｅで処理されて出力された信号が出力される。
【００２９】
制御用コネクタ１２０ａは、後述する制御バス１１１に接続される。制御Ｉ／Ｆ１２０ｄは制御用コネクタ１２０ａに接続されている。制御Ｉ／Ｆ１２０ｄは、後述するように、自己の機能ブロックに係る共通コマンド（グローバルコマンド）と機能部１２０ｅを制御するための機能ブロック内コマンド（ローカルコマンド）との対応関係を記憶した記憶手段を有している。ここで、共通コマンドは、同報制御を行うためのコマンドであり、放送型コマンドと呼ぶこともある。「同報制御」とは、制御コマンドの送り手から出される１つのコマンドに関連する１または複数の受け手が反応して制御されること、を意味している。
【００３０】
制御Ｉ／Ｆ１２０ｄは、システム制御ブロック１１０から制御バス１１１を通じて送信されてくる共通コマンドが自己の機能ブロックに係る共通コマンドであるとき、上述した記憶手段に記憶されている対応関係に基づいて、機能部１２０ｅを制御する機能ブロック内コマンドに変換する。
【００３１】
図３は、制御Ｉ／Ｆ１２０ｄの構成を示している。この制御Ｉ／Ｆ１２０ｄは、制御ポート１２０ｄ-1、記憶手段としてのＲＯＭ１２０ｄ-2、および変換手段としてのインタプリタ１２０ｄ-3を有している。ＲＯＭ１２０ｄ-2には、自己の機能ブロックに係る共通コマンドと、機能部１２０ｅを制御するための機能ブロック内コマンドとの対応関係が予め記憶されている。制御ポート１２０ｄ-1は、システム制御ブロック１１０から制御バス１１１を通じて送られてくる共通コマンドを受信する。この意味で、制御ポート１２０ｄ-1は、共通コマンドの受信手段を構成している。
【００３２】
インタプリタ１２０ｄ-3は、制御ポート１２０ｄ-1で受信された共通コマンドが自己の機能ブロックに係る共通コマンドであるとき、この共通コマンドを、上述したようにＲＯＭ１２０ｄ-2に記憶されている対応関係に基づいて、機能ブロック内コマンドに変換し、この機能ブロック内コマンドを機能部１２０ｅに供給する。機能部１２０ｅは、この機能ブロック内コマンドに基づいて、機能、例えば信号経路または信号処理を変化させる。
【００３３】
この図３の制御インタフェース１２０ｄのＲＯＭ１２０ｄ-2およびインタプリタ１２０ｄ-3の部分は、受信された共通コマンドを機能ブロック内コマンドに変換する構造であり、ＣＰＵ（Central Processing Unit）とソフトウェア、あるいはハードウェアシーケンサによる変換テーブルでも実現できる。
【００３４】
なお、制御ポート１２０ｄ-1は、例えば電源投入時に、自己の機能ブロック１２０が処理装置１００を構成している場合、ＲＯＭ１２０ｄ-2に記憶されている共通コマンドを読み出し、制御バス１１１を通じてシステム制御ブロック１１０に送信する。これにより、システム制御ブロック１１０は、処理装置１００を構成する全ての機能ブロック１２０に係る共通コマンドを取得できる。ここで、自己の機能ブロック１２０が筐体１０１内にあるか、あるいは対応するスロットに挿入されているとき、当該自己の機能ブロック１２０は処理装置１００を構成しているものとする。
【００３５】
図４は、機能ブロック１２０の制御構造を示している。すなわち、システム制御ブロック１１０は、機能ブロック１２０に、制御バス１１１を介して、共通コマンドを送る。機能ブロック１２０の制御Ｉ／Ｆ１２０ｄは、送られてくる共通コマンドが自己の機能ブロックに係る共通コマンドであるときは、この共通コマンドを機能ブロック内コマンドに変換し、その機能ブロック内コマンドを機能部１２０ｅに供給する。
【００３６】
このように、機能ブロック１２０では、システム制御ブロック１１０から送られてくる共通コマンドが自己の機能ブロックに係る共通コマンドであるとき、それが機能部１２０ｅを制御するための機能ブロック内コマンドに変換されるものである。これにより、機能ブロック１２０を、システム制御ブロック１１０から送られてくる共通コマンドに応じて、適応的に動作させることができる。
【００３７】
上述した入力セレクタ１２２（機能ブロック２）、信号ルータ１２３（機能ブロック３）およびＯＳＤ回路１２８（機能ブロック８）の制御用コネクタ１２０ａは、それぞれ、制御バス１１１を介してシステム制御ブロック１１０に接続される。
【００３８】
入力セレクタ１２２（機能ブロック２）は、３個の入力からいずれか一個を選択して出力する。したがって、この入力セレクタ１２２は、入力用コネクタ１２０ｂに３個の入力端子を備えており、出力用コネクタ１２０ｃに１個の出力端子を備えている。
【００３９】
また、信号ルータ１２３（機能ブロック３）は、例えば４×４のマトリックススイッチを構成している。したがって、この信号ルータ１２３は、入力用コネクタ１２０ｂに４個の入力端子を備えており、出力用コネクタ１２０ｃに４個の出力端子を備えている。
【００４０】
また、ＯＳＤ回路１２８（機能ブロック８）は、入力セレクタ１２２および信号ルータ１２３からの画像信号を選択的に用いる。したがって、このＯＳＤ回路１２８は、入力用コネクタ１２０ｂに２個の入力端子を備えており、出力用コネクタ１２０ｃに１個の出力端子を備えている。
【００４１】
上述したスロット１０４ａ〜１０４ｅは、図示せずも、機能ブロック１２０（Ｕ／Ｖチューナ１２１、デジタル地上波チューナ１２６、ＤＲＣ回路１２４、パネル用処理回路１２５、ノイズ除去回路１２７）が挿入されるとき、その制御用コネクタ１２０ａ、入力用コネクタ１２０ｂおよび出力用コネクタ１２０ｃに、それぞれ接続される、制御用コネクタ、入力用コネクタおよび出力用コネクタを備えている。このスロット１０４ａ〜１０４ｅの制御用コネクタは、それぞれ制御バス１１１に接続される。これにより、スロット１０４ａ〜１０４ｅに挿入される機能ブロック１２０の制御用コネクタ１２０ａは、制御バス１１１を介してシステム制御ブロック１１０に接続される。
【００４２】
また、コネクタ１０２ａは入力セレクタ１２２（機能ブロック２）の入力用コネクタ１２０ｂの第３の入力端子に接続される。コネクタ１０２ｂはスロット１０４ｂの入力用コネクタに接続され、このスロット１０４ｂの出力用コネクタは入力セレクタ１２２の入力用コネクタ１２０ｂの第２の入力端子に接続される。コネクタ１０２ｃは、スロット１０４ａの入力用コネクタに接続され、このスロット１０４ａの出力用コネクタは入力セレクタ１２２の入力用コネクタ１２０ｂの第１の入力端子に接続される。また、入力セレクタ１２２の出力用コネクタ１２０ｃの１個の出力端子は、信号ルータ１２３（機能ブロック３）の入力用コネクタ１２０ｂの第１の入力端子、およびＯＳＤ回路１２８（機能ブロック８）の入力用コネクタ１２０ｂの第２の入力端子に接続される。
【００４３】
また、信号ルータ１２３の出力用コネクタ１２０ｃの第１〜第３の出力端子はそれぞれスロット１０４ｃ〜１０４ｅの入力用コネクタに接続され、これらスロット１０４ｃ〜１０４ｅの出力用コネクタはそれぞれ信号ルータ１２３の入力用コネクタ１２０ｂの第２〜第４の入力端子に接続される。
【００４４】
また、信号ルータ１２３の出力用コネクタ１２０ｃの第４の出力端子はＯＳＤ回路１２８の入力用コネクタ１２０ｂの第１の入力端子に接続され、このＯＳＤ回路１２８の出力用コネクタ１２０ｃの１個の出力端子はコネクタ１０３に接続される。
【００４５】
図２に示す機能ブロック１２０は、上述したように、機能ブロック１〜８の基本となるものである。個々の機能ブロック１〜８について、さらに、説明する。
【００４６】
Ｕ／Ｖチューナ１２１（機能ブロック１）において、機能部１２０ｅは、入力用コネクタ１２０ｂから入力された、Ｕ／Ｖ用アンテナで受信された放送信号に対して選局処理等を施し、所定のチャネルの画像信号を出力用コネクタ１２０ｃに出力する。
【００４７】
このＵ／Ｖチューナ１２１の制御Ｉ／Ｆ１２０ｄのＲＯＭ１２０ｄ-2には、図５に示すように、チャネル番号１〜１２を意味する共通コマンドch(1)〜ch(12)のそれぞれと、チャネル番号１〜１２のチャネルへのチャネル切替を意味する機能ブロック内コマンドch(1〜12)とが、対応して記憶されている。
【００４８】
共通コマンドch(1)〜ch(12)は、それぞれ、ユーザがリモコン送信機１１２、あるいは筐体１０１の操作部１１３を操作してチャネル番号１〜１２を選択する際に、システム制御ブロック１１０から発行されて、制御バス１１１に送出される。この場合、Ｕ／Ｖチューナ１２１の制御Ｉ／Ｆ１２０ｄのインタプリタ１２０ｄ-3では、制御ポート１２０ｄ-1でこれらの共通コマンドch(1)〜ch(12)が受信されるとき、ＲＯＭ１２０ｄ-2に記憶されている対応関係に基づいて、これらの共通コマンドch(1)〜ch(12)が、それぞれ、機能ブロック内コマンドch(1〜12)に変換される。これにより、Ｕ／Ｖチューナ１２１は、それぞれチャネル番号１〜１２のチャネルが選局された状態となる。
【００４９】
なお、システム制御ブロック１１０は、共通コマンドch(1)〜ch(12)のいずれかを制御バス１１１に送出する場合、内蔵されている不揮発性メモリ（図示せず）における、チャネル番号用のラストメモリ領域に記憶された共通コマンドを、その送出共通コマンドで更新する。これにより、電源投入時には、このチャネル番号用のラストメモリ領域に記憶されている共通コマンドが、初期値として、システム制御ブロック１１０から制御バス１１１に送出され、Ｕ／Ｖチューナ１２１では電源オフ時に選局されていたチャネルが自動的に選局される。
【００５０】
入力セレクタ１２２（機能ブロック２）において、機能部１２０ｅは、入力用コネクタ１２０ｂの３個の入力端子にそれぞれ入力される第１〜第３の画像信号のうち、いずれかの画像信号を選択的に出力用コネクタ１２０ｃの１個の出力端子に出力する。この場合、第１の入力端子には、Ｕ／Ｖチューナ１２１（機能ブロック１）から出力される画像信号（入力１）が入力される。第２の入力端子には、デジタル地上波チューナ１２６（機能ブロック６）から出力される画像信号（入力２）が入力される。第３の入力端子には、コネクタ１０２ａに入力される外部ビデオ入力としての画像信号（入力３）が入力される。出力端子に出力される画像信号は、信号ルータ１２３（機能ブロック３）に供給されると共に、ＯＳＤ回路１２８に供給される。
【００５１】
この入力セレクタ１２２の制御Ｉ／Ｆ１２０ｄのＲＯＭ１２０ｄ-2には、図５に示すように、入力１〜３を意味する共通コマンドin(1)〜in(3)のそれぞれと、入力１〜３への入力切替を意味する機能ブロック内コマンドin(1〜3)とが、対応して記憶されている。ここで、入力１は、第１の入力端子に入力されている、Ｕ／Ｖチューナ１２１から出力された画像信号である。入力２は、第２の入力端子に入力されている、デジタル地上波チューナ１２６から出力された画像信号である。入力３は、第３の入力端子に入力されている、外部ビデオ入力としての画像信号である。
【００５２】
共通コマンドin(1)〜in(3)は、それぞれ、ユーザがリモコン送信機１１２、あるいは筐体１０１の操作部１１３を操作して入力１〜３を選択する際に、システム制御ブロック１１０から、制御バス１１１に送出される。入力セレクタ１２２の制御Ｉ／Ｆ１２０ｄのインタプリタ１２０ｄ-3では、制御ポート１２０ｄ-1でこれらの共通コマンドin(1)〜in(3)が受信されるとき、ＲＯＭ１２０ｄ-2に記憶されている対応関係に基づいて、これらの共通コマンドin(1)〜in(3)が、それぞれ、機能ブロック内コマンドin(1〜3)に変換される。これにより、入力セレクタ１２２は、それぞれ入力１〜３が選択された状態となる。
【００５３】
なお、システム制御ブロック１１０は、共通コマンドin(1)〜in(3)のいずれかを制御バス１１１に送出する場合、内蔵されている不揮発性メモリ（図示せず）における入力セレクト用のラストメモリ領域に記憶された共通コマンドを、その送出共通コマンドで更新する。これにより、電源投入時には、この入力セレクト用のラストメモリ領域に記憶されている共通コマンドが、初期値として、システム制御ブロック１１０から制御バス１１１に送出され、入力セレクタ１２２では電源オフ時に選択されていた入力が自動的に選択される。
【００５４】
信号ルータ１２３（機能ブロック３）おいて、機能部１２０ｅは、入力用コネクタ１２０ｂの４個の入力端子にそれぞれ入力される第１〜第４の画像信号を、出力用コネクタ１２０ｃの第１〜第４の出力端子に選択的に出力する。
【００５５】
この場合、第１の入力端子には、入力セレクタ１２２（機能ブロック２）から出力される画像信号（入力１＝i1）が入力される。第２の入力端子には、ＤＲＣ回路１２４（機能ブロック４）から出力される画像信号（入力２＝i2）が入力される。第３の入力端子には、パネル用処理回路１２５（機能ブロック５）から出力される画像信号（入力３＝i3）が入力される。第４の入力端子には、ノイズ除去回路１２７（機能ブロック７）から出力される画像信号（入力４＝i4）が入力される。
【００５６】
また、第１の出力端子に出力される画像信号（出力１＝o1）はＤＲＣ回路１２４（機能ブロック４）に供給される。第２の出力端子に出力される画像信号（出力２＝o2）はパネル用処理回路１２５（機能ブロック５）に供給される。第３の出力端子に出力される画像信号（出力３＝o3）はノイズ除去回路１２７に供給される。第４の出力端子に出力される画像信号(出力４＝o4)はＯＳＤ回路１２８に供給される。
【００５７】
この信号ルータ１２３（機能ブロック３）の制御Ｉ／Ｆ１２０ｄのＲＯＭ１２０ｄ-2には、図５に示すように、機能ブロック間接続１〜５を意味する共通コマンドInitializeConnect(1/2/3/4/5)のそれぞれと、処理基板間の接続切替を意味する機能ブロック内コマンドroute(1/2/3)とが、対応して記憶されている。
【００５８】
ここで、共通コマンドInitializeConnect(1)は、スロット１０４ａにＵ／Ｖチューナ１１２（機能ブロック１）が挿入され、スロット１０４ｃにＤＲＣ回路１２４（機能ブロック４）が挿入された、第１の構成（基本構成）を意味している。この共通コマンドInitializeConnect(1)には、機能ブロック内コマンドroute(1)が対応するようにされている。このコマンドroute(1)は、第１の入力端子が第１の出力端子に接続され、第２の入力端子が第４の出力端子に接続される第１の状態に、機能部１２０ｅを制御するためのものである。
【００５９】
また、共通コマンドInitializeConnect(2)は、上述した第１の構成に、さらにスロット１０４ｂにデジタル地上波チューナ１２６（機能ブロック６）が挿入された、第２の構成を意味している。この共通コマンドInitializeConnect(2)にも、機能ブロック内コマンドroute(1)が対応するようにされている。
【００６０】
また、共通コマンドInitializeConnect(3)は、上述した第１の構成に、さらにスロット１０４ｄにパネル用処理回路１２５（機能ブロック５）が挿入された、第３の構成を意味している。この共通コマンドInitializeConnect(3)には、機能ブロック内コマンドroute(2)が対応するようにされている。このコマンドroute(2)は、第１の入力端子が第１の出力端子に接続され、第２の入力端子が第２の出力端子に接続され、第３の入力端子が第４の出力端子に接続される第２の状態に、機能部１２０ｅを制御するためのものである。
【００６１】
また、共通コマンドInitializeConnect(4)は、上述した第１の構成に、さらにスロット１０４ｄにパネル用処理回路１２５（機能ブロック５）が挿入され、スロット１０４ｅにノイズ除去回路１２７（機能ブロック７）が挿入された、第４の構成を意味している。この共通コマンドInitializeConnect(4)には、機能ブロック内コマンドroute(3)が対応するようにされている。このコマンドroute(3)は、第１の入力端子が第3の出力端子に接続され、第４の入力端子が第１の出力端子に接続され、第２の入力端子が第２の出力端子に接続され、第３の入力端子が第４の出力端子に接続される第３の状態に、機能部１２０ｅを制御するためのものである。
【００６２】
また、共通コマンドInitializeConnect(5)は、上述した第１の構成に、さらにスロット１０４ｂにデジタル地上波チューナ１２６（機能ブロック６）が挿入され、スロット１０４ｄにパネル用処理回路１２５（機能ブロック５）が挿入され、スロット１０４ｅにノイズ除去回路１２７（機能ブロック７）が挿入された、第５の構成を意味している。この共通コマンドInitializeConnect(5)にも、機能ブロック内コマンドroute(3)が対応するようにされている。
【００６３】
画像信号処理装置１００は、上述した第１〜第５の構成のいずれかで使用されるものとする。システム制御ブロック１１０は、電源投入時に、後述するように、処理装置１００を構成する各機能ブロックから制御バス１１１を通じて当該機能ブロックに係る共通コマンドを取得する際に、処理装置１００を構成する各機能ブロックから制御バス１１１を通じて基板ＩＤを取得し、上述した第１〜第５の構成のいずれにあるかも認識する。
【００６４】
共通コマンドInitializeConnect(1/2/3/4/5)は、それぞれ、システム制御ブロック１１０が、第１〜第５の構成にあることを認識した際に、当該システム制御ブロック１１０から、制御バス１１１に送出される。信号ルータ１２３の制御Ｉ／Ｆ１２０ｄのインタプリタ１２０ｄ-3では、制御ポート１２０ｄ-1でこれらの共通コマンドInitializeConnect(1/2/3/4/5)が受信されるとき、ＲＯＭ１２０ｄ-2に記憶されている対応関係に基づいて、これらの共通コマンドInitializeConnect(1/2/3/4/5)が、それぞれ、機能ブロック内コマンドroute(1/2/3)に変換される。これにより、信号ルータ１２３の機能部１２０ｅは第１〜第３の状態となる。
【００６５】
ＤＲＣ回路１２４（機能ブロック４）において、機能部１２０ｅは、入力用コネクタ１２０ｂからの入力画像信号であるＳＤ（Standard Definition）信号をＨＤ（High Definition Television）信号に変換し、このＨＤ信号を出力画像信号として出力用コネクタ１２０ｃに出力する、ＤＲＣ処理（高画質化処理）を行う。
【００６６】
このＤＲＣ回路１２４の機能部１２０ｅでは、ＨＤ信号における注目位置の画素データを得る際に、例えば、ＳＤ信号からＨＤ信号における注目位置の周辺に位置する複数の画素データを抽出し、この複数の画素データに基づいてＨＤ信号における注目位置の画素データの属するクラスを検出し、このクラスに対応した推定式の係数データを用い、当該推定式に基づいてＨＤ信号における注目位置の画素データを求めることが行われる（特開２００１−２３８１８５号参照）。ユーザは、ＨＤ信号の解像度、ノイズ除去度を、自由に調整できる。この場合、推定式の係数データとして、ユーザによって操作される解像度軸、ノイズ軸のボリウム値に応じたものが使用される。
【００６７】
また、ＤＲＣ回路１２４の機能部１２０ｅでは、画像の拡大率を連続的に変化させた画像を得るズーム機能を備えている。この場合、入力画像信号の画素データより出力画像信号の画素データを得る際に、入力画像信号の画素に対する出力画像信号の画素の各位相に対応した推定式の係数データをメモリに格納しておき、この係数データを用い、推定式に基づいて出力画像信号の画素データを求めるようにされる。
【００６８】
なお、位相情報に基づいて係数種データより推定式で用いられる係数データを生成する構成とすることで、種々の拡大率への変換を行うために大量の係数データを格納しておくメモリを不要とできる（特開２００２−１９６７３７号公報、特願２００２−３６２６６６号参照）。ユーザは、ズーム率（画像の拡大率）およびズーム中心位置（水平方向のｘ座標および垂直方向のｙ座標）を自由に調整できる。
【００６９】
ＤＲＣ回路１２４の制御Ｉ／Ｆ１２０ｄのＲＯＭ１２０ｄ-2には、図５に示すように、ＤＲＣの解像度軸、ノイズ軸の調整を意味する共通コマンドDRCvol(resolutionVal,noiseVal)と、ＤＲＣ（解像度軸、ノイズ軸）ボリウム値の代入を意味する機能ブロック内コマンドvolume(resolutionVal,noiseVal)とが、対応して記憶されている。
【００７０】
共通コマンドDRCvol(resolutionVal,noiseVal)は、ユーザがリモコン送信機１１２、あるいは筐体１０１の操作部１１３を操作して、解像度軸、ノイズ軸のボリウム値が変更される際に、システム制御ブロック１１０から、制御バス１１１に送出される。ここで、「resolutionVal」は解像度軸のボリウム値を示し、「noiseVal」はノイズ軸のボリウム値を示している。
【００７１】
この場合、ＤＲＣ回路１２４の制御Ｉ／Ｆ１２０ｄのインタプリタ１２０ｄ-3では、制御ポート１２０ｄ-1で共通コマンドDRCvol(resolutionVal,noiseVal)が受信されるとき、ＲＯＭ１２０ｄ-2に記憶されている対応関係に基づいて、この共通コマンドDRCvol(resolutionVal,noiseVal)が、機能ブロック内コマンドvolume(resolutionVal,noiseVal)に変換される。これにより、ＤＲＣ回路１２４は、ユーザの操作による解像度軸、ノイズ軸のボリウム値に応じた解像度、ノイズ除去度が選択された状態となる。
【００７２】
なお、システム制御ブロック１１０は、共通コマンドDRCvol(resolutionVal,noiseVal)を制御バス１１１に送出する場合、内蔵されている不揮発性メモリ（図示せず）における、ボリウム値用のラストメモリ領域に記憶された共通コマンドを、その送出共通コマンドで更新する。これにより、電源投入時には、ボリウム値用のラストメモリ領域に記憶されている共通コマンドが、初期値として、システム制御ブロック１１０から制御バス１１１に送出され、ＤＲＣ回路１２４では電源オフ時に選択されていた解像度、ノイズ除去度が自動的に選択される。
【００７３】
また、ＤＲＣ回路１２４の制御Ｉ／Ｆ１２０ｄのＲＯＭ１２０ｄ-2には、図５に示すように、ＤＲＣのズーム処理の切替を意味する共通コマンドDRCzoomExec(on／off)と、ＤＲＣズーム初期値の代入を意味する機能ブロック内コマンドzoom(InitRatio/1,InitHol/0,InitVer/0)とが、対応して記憶されている。
【００７４】
共通コマンドDRCzoomExec(on／off)は、ユーザがリモコン送信機１１２、あるいは筐体１０１の操作部１１３を操作して、ＤＲＣズーム処理のオンオフを切り替える際に、システム制御ブロック１１０から、制御バス１１１に送出される。
【００７５】
DRCzoomExec(on)はＤＲＣズーム処理をオフからオンに切り替えることを意味しており、この共通コマンドDRCzoomExec(on)には、機能ブロック内コマンドzoom(InitRatio,InitHol,InitVer)が対応するようにされている。このコマンドzoom(InitRatio,InitHol,InitVer)は、ズーム率、ズーム中心位置が初期値であるＤＲＣズーム処理を実行するように、機能部１２０ｅを制御するためのものである。
【００７６】
DRCzoomExec(off)はＤＲＣズーム処理をオンからオフに切り替えることを意味しており、この共通コマンドDRCzoomExec(off)には、機能ブロック内コマンドzoom(1,0,0)が対応するようにされている。このコマンドzoom(1,0,0)は、ズーム率が１で、ズーム中心位置が（０，０）であるＤＲＣズーム処理を実行するように、機能部１２０ｅを制御するためのものである。
【００７７】
この場合、ＤＲＣ回路１２４の制御Ｉ／Ｆ１２０ｄのインタプリタ１２０ｄ-3では、制御ポート１２０ｄ-1で共通コマンドDRCzoomExec(on／off)が受信されるとき、ＲＯＭ１２０ｄ-2に記憶されている対応関係に基づいて、この共通コマンドDRCzoomExec(on／off)が、機能ブロック内コマンドzoom(InitRatio/1,InitHol/0,InitVer/0)に変換される。これにより、ＤＲＣ回路１２４は、ＤＲＣズーム処理のオンまたはオフが選択された状態となる。
【００７８】
なお、電源投入時には、共通コマンドDRCzoomExec(off)が、システム制御ブロック１１０から制御バス１１１に送出される。これにより、電源投入時には、ＤＲＣ回路１２４では、ＤＲＣズーム処理のオフが自動的に選択される。
【００７９】
また、ＤＲＣ回路１２４の制御Ｉ／Ｆ１２０ｄのＲＯＭ１２０ｄ-2には、図５に示すように、ＤＲＣのズーム率、ズーム中心位置の調整を意味する共通コマンドDRCzoom(ratioVal,horizontalVal,verticalVal)と、ＤＲＣズーム率、ズーム中心位置の代入を意味する機能ブロック内コマンドzoom(ratioVal,horizontalVal,verticalVal)とが、対応して記憶されている。
【００８０】
共通コマンドDRCzoom(ratioVal,horizontalVal,verticalVal)は、ユーザがリモコン送信機１１２、あるいは筐体１０１の操作部１１３を操作して、ズーム率、ズーム中心位置が変更される際に、システム制御ブロック１１０から、制御バス１１１に送出される。ここで、「ratioVal」はズーム率を示し、「horizontalVal」はズーム中心位置を示す水平方向のｘ座標、「verticalVal」はズーム中心位置を示す垂直方向のｙ座標を示している。
【００８１】
この場合、ＤＲＣ回路１２４の制御Ｉ／Ｆ１２０ｄのインタプリタ１２０ｄ-3では、制御ポート１２０ｄ-1で共通コマンドDRCzoom(ratioVal,horizontalVal,verticalVal)が受信されるとき、ＲＯＭ１２０ｄ-2に記憶されている対応関係に基づいて、この共通コマンドDRCzoom(ratioVal,horizontalVal,verticalVal)が、機能ブロック内コマンドzoom(ratioVal,horizontalVal,verticalVal)に変換される。これにより、ＤＲＣ回路１２４は、ユーザの操作によるズーム率、ズーム中心位置が選択された状態となる。
【００８２】
なお、電源投入時には、共通コマンドDRCzoom(InitRatio,InitHol,InitVer)が、システム制御ブロック１１０から制御バス１１１に送出される。ここで、「InitRatio」はズーム率の初期値、「InitHol」はズーム中心位置を示す水平方向のｘ座標の初期値、「InitVer」はズーム中心位置を示す水平方向のｙ座標の初期値を示している。これにより、電源投入時には、ＤＲＣ回路１２４では、ズーム率、ズーム中心位置として初期値が自動的に選択される。
【００８３】
パネル用処理回路１２５（機能ブロック５）において、機能部１２０ｅは、入力用コネクタ１２０ｂから入力された画像信号に対して、ＬＣＤ（Liquid Crystal Display）、ＰＤＰ（Plasma Display Panel）等のフラットパネルディスプレイに当該画像信号による画像を表示する際に必要となる処理、例えば輝度調整、色調整、水平、垂直の画素数変換、インタレース方式からプログレッシブ方式への方式変換等の処理を行い、処理後の画像信号を出力用コネクタ１２０ｃに出力する。
【００８４】
このパネル用処理回路１２５は、電源投入時に、信号ルータ１２３（機能ブロック３）によって他の機能ブロックと接続された後は、単に固定された処理を実行する。このパネル用処理回路１２５にも制御Ｉ／Ｆ１２０ｄが存在するのは、システム制御ブロック１１０から、イニシャライズ用にローカルコマンドを送られる場合を考慮しているからである。
【００８５】
デジタル地上波チューナ１２６（機能ブロック６）において、機能部１２０ｅは、入力用コネクタ１２０ｂから入力された、デジタル地上波用アンテナで受信された放送信号に対して選局処理等を施し、所定のチャネルの画像信号を出力用コネクタ１２０ｃに出力する。
【００８６】
このデジタル地上波チューナ１２６は、独自の操作ユーザインタフェースを持っている。したがって、システム制御ブロック１１０は、このデジタル地上波チューナ１２６に係る共通コマンドを制御バス１１１に送出することはない。つまり、システム制御ブロック１１０は、このデジタル地上波チューナ１２６に関しては、当該デジタル地上波チューナ１２６のローカルなコマンドを制御バス１１１に送出する。
【００８７】
ノイズ除去回路１２７（機能ブロック７）において、機能部１２０ｅは、入力用コネクタ１２０ｂから入力された画像信号に対して、ノイズ抑圧処理を行い、処理後の画像信号を出力用コネクタ１２０ｃに出力する。このノイズ除去回路１２７では、ノイズ抑圧度を調整できる。
【００８８】
このノイズ除去回路１２７の制御Ｉ／Ｆ１２０ｄのＲＯＭ１２０ｄ-2には、図５に示すように、ＤＲＣの解像度軸、ノイズ軸の調整を意味する、上述した共通コマンドDRCvol(resolutionVal,noiseVal)と、ノイズ抑圧度を示す値（ノイズ抑圧値）の代入を意味する機能ブロック内コマンドnoiseSuppress(noiseVal)とが、対応して記憶されている。ここで、「noiseVal」は、上述したようにノイズ軸のボリウム値を示している。
【００８９】
この場合、ノイズ除去回路１２７の制御Ｉ／Ｆ１２０ｄのインタプリタ１２０ｄ-3では、制御ポート１２０ｄ-1で共通コマンドDRCvol(resolutionVal,noiseVal)が受信されるとき、ＲＯＭ１２０ｄ-2に記憶されている対応関係に基づいて、この共通コマンドDRCvol(resolutionVal,noiseVal)が、機能ブロック内コマンドnoiseSuppress(noiseVal)に変換される。これにより、ノイズ除去回路１２７は、ノイズ軸のボリウム値「noiseVal」に対応した抑圧度でノイズ抑圧を行う状態となる。
【００９０】
ＯＳＤ回路１２８（機能ブロック８）において、機能部１２０ｅは、入力用コネクタ１２０ｂの第２の入力端子に入力された、入力セレクタ１２２からの画像信号に基づいて子画面用の画像信号を生成する機能、画面上に文字、図形等を表示するための表示信号を生成する機能、入力セレクタ１２２からの画像信号または入力用コネクタ１２０ｂの第１の入力端子に入力された、信号ルータ１２３からの画像信号を選択し、その選択された画像信号に、上述した子画面用の画像信号や表示信号を合成して出力画像信号を取得し、その出力画像信号を出力用コネクタ１２０ｃに出力する機能等を持っている。
【００９１】
このＯＳＤ回路１２８の制御Ｉ／Ｆ１２０ｄのＲＯＭ１２０ｄ-2には、図５に示すように、上述したチャネル番号１〜１２を意味する共通コマンドch(1)〜ch(12)のそれぞれと、チャネル番号１〜１２のチャネル表示を意味する機能ブロック内コマンドwriteInputUVch(1〜12)とが、対応して記憶されている。
【００９２】
ＯＳＤ回路１２８の制御Ｉ／Ｆ１２０ｄのインタプリタ１２０ｄ-3では、制御ポート１２０ｄ-1でこれらの共通コマンドch(1)〜ch(12)が受信されるとき、ＲＯＭ１２０ｄ-2に記憶されている対応関係に基づいて、これらの共通コマンドch(1)〜ch(12)が、それぞれ、機能ブロック内コマンドwriteInputUVch(1〜12)に変換される。これにより、ＯＳＤ回路１２８は、それぞれチャネル番号１〜１２のチャネルを表示するための表示信号を生成し、この表示信号が合成された出力画像信号を出力する状態となる。
【００９３】
また、ＯＳＤ回路１２８の制御Ｉ／Ｆ１２０ｄのＲＯＭ１２０ｄ-2には、図５に示すように、上述した入力１〜３を意味する共通コマンドin(1)〜in(3)のそれぞれと、入力１〜３の入力表示を意味する機能ブロック内コマンドwriteInput(1〜3)とが、対応して記憶されている。
【００９４】
ＯＳＤ回路１２８の制御Ｉ／Ｆ１２０ｄのインタプリタ１２０ｄ-3では、制御ポート１２０ｄ-1でこれらの共通コマンドin(1)〜in(3)が受信されるとき、ＲＯＭ１２０ｄ-2に記憶されている対応関係に基づいて、これらの共通コマンドin(1)〜in(3)が、それぞれ、機能ブロック内コマンドwriteInput(1〜3)に変換される。これにより、ＯＳＤ回路１２８は、それぞれ入力１〜３を表示するための表示信号を生成し、この表示信号が合成された出力画像信号を出力する状態となる。
【００９５】
また、ＯＳＤ回路１２８の制御Ｉ／Ｆ１２０ｄのＲＯＭ１２０ｄ-2には、図５に示すように、上述した機能ブロック間接続１〜５を意味する共通コマンドInitializeConnect(1/2/3/4/5)のそれぞれと、接続状況表示を意味する機能ブロック内コマンドwriteRoute(1/2/3/4/5)とが、対応して記憶されている。この機能ブロック内コマンドwriteRoute(1/2/3/4/5)は、それぞれ、処理装置１００が上述した第１〜第５の構成である旨を表示する状態に、機能部１２０ｅを制御するためのものである。
【００９６】
ＯＳＤ回路１２８の制御Ｉ／Ｆ１２０ｄのインタプリタ１２０ｄ-3では、制御ポート１２０ｄ-1で共通コマンドInitializeConnect(1/2/3/4/5)が受信されるとき、ＲＯＭ１２０ｄ-2に記憶されている対応関係に基づいて、この共通コマンドInitializeConnect(1/2/3/4/5)が、それぞれ、機能ブロック内コマンドwriteRoute(1/2/3/4/5)に変換される。これにより、ＯＳＤ回路１２８は、それぞれ第１〜第５の構成である旨を表示するための表示信号を生成し、この表示信号が合成された出力画像信号を出力する状態となる。
【００９７】
また、このＯＳＤ回路１２８の制御Ｉ／Ｆ１２０ｄのＲＯＭ１２０ｄ-2には、図５に示すように、ＤＲＣボリウム処理の切替を意味する共通コマンドDRCvolExec(on／off)と、ＤＲＣボリウム処理表示を意味する機能ブロック内コマンドwriteProcessVol(on/off)、子画面入力源の切替を意味する機能ブロック内コマンドdisplayInput(in1/in2)および画像サイズを意味する機能ブロック内コマンドdisplaySize(in1,size1)/displaySize(in2,size1)とが、対応して記憶されている。
【００９８】
共通コマンドDRCvolExec(on／off)は、ユーザがリモコン送信機１１２、あるいは筐体１０１の操作部１１３を操作して、ＤＲＣボリウム処理のオンオフを切り替える際に、システム制御ブロック１１０から、制御バス１１１に送出される。
【００９９】
DRCvolExec(on)はＤＲＣボリウム処理をオフからオンに切り替えることを意味しており、この共通コマンドDRCvolExec(on)には、機能ブロック内コマンドwriteProcessVol(on)、displayInput(in1)、displaySize(in1,size1)が対応するようにされている。
【０１００】
コマンドwriteProcessVol(on)は、ＤＲＣボリウム処理がオンである旨を表示するための表示信号を生成し、この表示信号が合成された出力画像信号を出力するように、機能部１２０ｅを制御するためのものである。
【０１０１】
コマンドdisplayInput(in1)は、入力用コネクタ１２０ｂの第１の入力端子に入力された、信号ルータ１２３からの画像信号（ＤＲＣボリウム処理されている）を入力源として用いるように、機能部１２０ｅを制御するためのものである。コマンドdisplaySize(in1,size1)は、入力源の画像信号を縮小処理せずにそのまま出力画像信号として出力するように、機能部１２０ｅを制御するためのものである。
【０１０２】
DRCvolExec(off)はＤＲＣボリウム処理をオンからオフに切り替えることを意味しており、この共通コマンドDRCvolExec(off)には、機能ブロック内コマンドwriteProcessVol(off)、displayInput(in2)、displaySize(in2,size1)が対応するようにされている。コマンドwriteProcessVol(off)は、ＤＲＣボリウム処理がオフある旨を表示するための表示信号を生成し、この表示信号が合成された出力画像信号を出力するように、機能部１２０ｅを制御するためのものである。
【０１０３】
コマンドdisplayInput(in2)は、入力用コネクタ１２０ｂの第２の入力端子に入力された、入力セレクタ１２２からの画像信号（ＤＲＣボリウム処理されていない）を入力源として用いるように、機能部１２０ｅを制御するためのものである。コマンドdisplaySize(in2,size1)は、入力源の画像信号を縮小処理せずにそのまま出力画像信号として出力するように、機能部１２０ｅを制御するためのものである。
【０１０４】
この場合、ＯＳＤ回路１２８の制御Ｉ／Ｆ１２０ｄのインタプリタ１２０ｄ-3では、制御ポート１２０ｄ-1で共通コマンドDRCvolExec(on／off)が受信されるとき、ＲＯＭ１２０ｄ-2に記憶されている対応関係に基づいて、この共通コマンドDRCvolExec(on／off)が、機能ブロック内コマンドwriteProcessVol(on/off)、displayInput(in1/in2)、displaySize(in1,size1)/displaySize(in2,size1)に変換される。
【０１０５】
これにより、ＯＳＤ回路１２８は、ＤＲＣボリウム処理のオンまたはオフを表示し、またＤＲＣボリウム処理された画像信号またはＤＲＣボリウム処理されていない画像信号を出力し、さらに入力源としての画像信号を縮小処理せずにそのまま出力する状態となる。
【０１０６】
なお、電源投入時には、共通コマンドDRCvolExec(on)が、初期値として、システム制御ブロック１１０から制御バス１１１に送出される。これにより、電源投入時には、ＯＳＤ回路１２８は、ＤＲＣボリウム処理のオンを表示し、またＤＲＣボリウム処理された画像信号を出力し、さらに入力源としての画像信号を縮小処理せずにそのまま出力する状態となる。
【０１０７】
また、このＯＳＤ回路１２８の制御Ｉ／Ｆ１２０ｄのＲＯＭ１２０ｄ-2には、図５に示すように、上述したＤＲＣの解像度軸、ノイズ軸の調整を意味する共通コマンドDRCvol(resolutionVal,noiseVal)と、ＤＲＣボリウム値表示を意味する機能ブロック内コマンドwriteProcessDRCvol(resolutionVal,noiseVal)とが、対応して記憶されている。
【０１０８】
ＯＳＤ回路１２８の制御Ｉ／Ｆ１２０ｄのインタプリタ１２０ｄ-3では、制御ポート１２０ｄ-1で共通コマンドDRCvol(resolutionVal,noiseVal)が受信されるとき、ＲＯＭ１２０ｄ-2に記憶されている対応関係に基づいて、この共通コマンドDRCvol(resolutionVal,noiseVal)が、機能ブロック内コマンドwriteProcessDRCvol(resolutionVal,noiseVal)に変換される。これにより、ＯＳＤ回路１２８は、解像度軸のボリウム値「resolutionVal」、ノイズ軸のボリウム値「noiseVal」を表示するための表示信号を生成し、この表示信号が合成された出力画像信号を出力する状態となる。
【０１０９】
また、このＯＳＤ回路１２８の制御Ｉ／Ｆ１２０ｄのＲＯＭ１２０ｄ-2には、図５に示すように、上述したＤＲＣズーム処理の切替を意味する共通コマンドDRCzoomExec(on／off)と、ＤＲＣズーム処理表示を意味する機能ブロック内コマンドwriteProcessZoom(on/off)、子画面入力源の切替を意味する機能ブロック内コマンドdisplayInput(in1,in2/in1 or in2)、画像サイズを意味する機能ブロック内コマンドdisplaySize(in1,size1),displaySize(in2,size0.25)/displaySize(in1 or in2,size1)、ＤＲＣズーム率、子画面上のズーム枠表示を意味するwriteZoomFrame(InitRatio,InitHol,InitVer/off)およびズーム中心位置表示を意味する機能ブロック内コマンドwriteProcessDRCzoom(InitRatio,InitHol,InitVer/off)が、対応して記憶されている。
【０１１０】
DRCzoomExec(on)はＤＲＣズーム処理をオフからオンに切り替えることを意味しており、この共通コマンドDRCzoomExec(on)には、機能ブロック内コマンドwriteProcessZoom(on)、displayInput(in1,in2)、displaySize(in1,size1),displaySize(in2,size0.25)、writeZoomFrame(InitRatio,InitHol,InitVer)、writeProcessDRCzoom(InitRatio,InitHol,InitVer)が対応するようにされている。
【０１１１】
コマンドwriteProcessZoom(on)は、ＤＲＣズーム処理がオンである旨を表示するための表示信号を生成し、この表示信号を出力画像信号に合成するように、機能部１２０ｅを制御するためのものである。コマンドdisplayInput(in1,in2)、入力用コネクタ１２０ｂの第１の入力端子に入力された、信号ルータ１２３からの画像信号（ＤＲＣズーム処理されている）、および入力用コネクタ１２０ｂの第２の入力端子に入力された、入力セレクタ１２２からの画像信号（ＤＲＣボリウム処理されていない）を、入力源として用いるように、機能部１２０ｅを制御するためのものである。
【０１１２】
コマンドdisplaySize(in1,size1),displaySize(in2,size0.25)は、入力用コネクタ１２０ｂの第１の入力端子に入力された、信号ルータ１２３からの画像信号（ＤＲＣズーム処理されている）に、入力用コネクタ１２０ｂの第２の入力端子に入力された、入力セレクタ１２２からの画像信号（ＤＲＣボリウム処理されていない）に対して０．２５倍の縮小処理を施して得られた子画面用の画像信号を合成して出力画像信号を得るように、機能部１２０ｅを制御するためのものである。
【０１１３】
コマンドwriteZoomFrame(InitRatio,InitHol,InitVer)は、ズーム倍率の初期値「initRatio」、ズーム中心位置の初期値「initHol」，「initVer」に基づいて、ＤＲＣ回路１２４でズーム処理された部分に対応した四角形の枠を子画面上に表示するための表示信号を生成し、この表示信号を出力画像信号に合成するように、機能部１２０ｅを制御するためのものである。
【０１１４】
コマンドwriteProcessDRCzoom(InitRatio,InitHol,InitVer)は、ズーム倍率の初期値「initRatio」、ズーム中心位置の初期値「initHol」，「initVer」を示す表示信号を生成し、この表示信号を出力画像信号に合成するように、機能部１２０ｅを制御するためのものである。
【０１１５】
DRCzoomExec(off)はＤＲＣズーム処理をオンからオフに切り替えることを意味しており、この共通コマンドDRCzoomExec(off)には、機能ブロック内コマンドwriteProcessZoom(off)、displayInput(in1 or in2)、displaySize(in1 or in2,size1)、writeZoomFrame(off)、writeProcessDRCzoom(off)が対応するようにされている。
【０１１６】
コマンドwriteProcessZoom(off)は、ＤＲＣズーム処理がオフである旨を表示するための表示信号を生成し、この表示信号を出力画像信号に合成するように、機能部１２０ｅを制御するためのものである。コマンドdisplayInput(in1 or in2)は、ＤＲＣボリウム処理がオン状態にあるときは、入力用コネクタ１２０ｂの第１の入力端子に入力される、信号ルータ１２３からの画像信号を入力源として用い、ＤＲＣボリウム処理がオフ状態にあるときは、入力用コネクタ１２０ｂの第２の入力端子に入力される、入力セレクタ１２２からの画像信号を入力源として用いるように、機能部１２０ｅを制御するためのものである。
【０１１７】
コマンドdisplaySize(in1 or in2,size1)は、ＤＲＣボリウム処理がオン状態にあるときは、入力用コネクタ１２０ｂの第１の入力端子に入力される、信号ルータ１２３からの画像信号に縮小処理をせずにそのまま出力画像信号とし、ＤＲＣボリウム処理がオフ状態にあるときは、入力用コネクタ１２０ｂの第２の入力端子に入力される、入力セレクタ１２２からの画像信号に縮小処理をせずにそのまま出力画像信号とするように、機能部１２０ｅを制御するためのものである。
【０１１８】
コマンドwriteZoomFrame(off)は、ズーム処理された部分に対応した四角形の枠を子画面に表示するための表示信号を生成し、出力画像信号に合成することを行わないように、機能部１２０ｅを制御するためのものである。コマンドwriteProcessDRCzoom(off)は、ズーム倍率、ズーム中心位置を示す表示信号を生成し、出力画像信号に合成することを行わないように、機能部１２０ｅを制御するためのものである。
【０１１９】
ＯＳＤ回路１２８の制御Ｉ／Ｆ１２０ｄのインタプリタ１２０ｄ-3では、制御ポート１２０ｄ-1でDRCzoomExec(on/off)が受信されるとき、ＲＯＭ１２０ｄ-2に記憶されている対応関係に基づいて、この共通コマンドDRCzoomExec(on/off)が、機能ブロック内コマンドdisplayInput(in1,in2/in１or in2)、displaySize(in1,size1),displaySize(in2,size0.25)/displaySize(in1 or in2,size1)、writeZoomFrame(InitRatio,InitHol,InitVer/off)およびwriteProcessDRCzoom(InitRatio,InitHol,InitVer/off)に変換される。
【０１２０】
これにより、ＯＳＤ回路１２８は、ＤＲＣズーム処理のオンまたはオフを表示し、またＤＲＣズーム処理された画像信号またはＤＲＣズーム処理されていない画像信号を出力し、またＤＲＣズーム処理を行うときは、全体を表示する子画面を表示すると共に、その子画面上にズーム処理部分を示す四角形の枠を表示し、さらにズーム率、ズーム中心位置を表示する状態となる。
【０１２１】
また、このＯＳＤ回路１２８の制御Ｉ／Ｆ１２０ｄのＲＯＭ１２０ｄ-2には、図５に示すように、上述したＤＲＣのズーム率、ズーム中心位置の調整を意味する共通コマンドDRCzoom(ratioVal,horizontalVal,verticalVal)と、子画面上のズーム枠表示を意味する機能ブロック内コマンドwriteZoomFrame(ratioVal,horizontalVal,verticalVal)およびＤＲＣズーム率、ズーム中心位置表示を意味する機能ブロック内コマンドwriteProcessDRCzoom(ratioVal,horizontalVal,verticalVal)が、対応して記憶されている。
【０１２２】
コマンドwriteZoomFrame(ratioVal,horizontalVal,verticalVal)は、ズーム倍率「ratioVal」、ズーム中心位置「horizontalVal」，「verticalVal」に基づいて、ＤＲＣ回路１２４でズーム処理された部分に対応した四角形の枠を子画面上に表示するための表示信号を生成し、この表示信号を出力画像信号に合成するように、機能部１２０ｅを制御するためのものである。
【０１２３】
コマンドwriteProcessDRCzoom(ratioVal,horizontalVal,verticalVal)は、ズーム倍率「ratioVal」、ズーム中心位置「horizontalVal」，「verticalVal」を示す表示信号を生成し、この表示信号を出力画像信号に合成するように、機能部１２０ｅを制御するためのものである。
【０１２４】
ＯＳＤ回路１２８の制御Ｉ／Ｆ１２０ｄのインタプリタ１２０ｄ-3では、制御ポート１２０ｄ-1で共通コマンドDRCzoom(ratioVal,horizontalVal,verticalVal)が受信されるとき、ＲＯＭ１２０ｄ-2に記憶されている対応関係に基づいて、この共通コマンドDRCzoom(ratioVal,horizontalVal,verticalVal)が、機能ブロック内コマンドwriteZoomFrame(ratioVal,horizontalVal,verticalVal)およびwriteProcessDRCzoom(ratioVal,horizontalVal,verticalVal)に変換される。これにより、ＯＳＤ回路１２８は、ズーム率、ズーム中心位置を示す表示信号を生成すると共に、ズーム処理されている部分に対応した四角形の枠を子画面上に表示するための表示信号を生成し、これら表示信号が合成された出力画像信号を出力する状態となる。
【０１２５】
次に、図１に示す画像信号処理装置１００の動作を説明する。ここでは、図６のシステム制御ブロック１１０の制御動作を示すフローチャートを参照して説明する。
【０１２６】
システム制御ブロック１１０は、ステップＳＴ１で、電源の投入があると、制御動作を開始し、ステップＳＴ２で、機能ブロック２、機能ブロック３、機能ブロック８、そしてスロット１０４ａ〜１０４ｅに挿入されている他の機能ブロック１２０の制御Ｉ／Ｆ１２０ｄのＲＯＭ１２０ｄ-2に記憶されている共通コマンドを、制御バス１１１を通じて取得する。
【０１２７】
これにより、システム制御ブロック１１０は、処理装置１００を構成する全ての機能ブロック１２０に係る共通コマンドを持つことができる。このとき同時に、システム制御ブロック１１０は、処理装置１００を構成する各機能ブロック１２０から基板ＩＤを取得し、上述した第１〜第５の構成のいずれにあるかを認識する。
【０１２８】
次に、システム制御ブロック１１０は、ステップＳＴ３で、上述したステップＳＴ２で認識した構成に基づいて、機能ブロック間接続１〜５を意味する共通コマンドInitializeConnect(1/2/3/4/5)のいずれかを、制御バス１１１に送出する。この共通コマンドは信号ルータ１２３（機能ブロック３）およびＯＳＤ回路１２８（機能ブロック８）に係るものである（図５参照）。
【０１２９】
信号ルータ１２３における制御Ｉ／Ｆ１２０ｄのインタプリタ１２０ｄ-3では、制御ポート１２０ｄ-1で当該共通コマンドが受信されるとき、ＲＯＭ１２０ｄ-2に記憶されている対応関係に基づいて、当該共通コマンドが、処理基板間の接続切替を意味する機能ブロック内コマンドに変換される。これにより、信号ルータ１２３は、システム制御ブロック１１０がステップＳＴ２で認識した構成に対応した、接続状態となる。
【０１３０】
すなわち、システム制御ブロック１１０は、第１の構成、または第２の構成であると認識するとき、共通コマンドInitializeConnect(1/2)を制御バス１１１に送出する。これに応じて、信号ルータ１２３における制御Ｉ／Ｆ１２０ｄのインタプリタ１２０ｄ-3では、この共通コマンドInitializeConnect(1/2)が機能ブロック内コマンドroute(1)に変換される。これにより、信号ルータ１２３は、第１の入力端子が第１の出力端子に接続され、第２の入力端子が第４の出力端子に接続された第１の状態となる（図９、図１０参照）。
【０１３１】
また、システム制御ブロック１１０は、第３の構成であると認識するとき、共通コマンドInitializeConnect(3)を制御バス１１１に送出する。これに応じて、信号ルータ１２３における制御Ｉ／Ｆ１２０ｄのインタプリタ１２０ｄ-3では、この共通コマンドInitializeConnect(3)が機能ブロック内コマンドroute(2)に変換される。これにより、信号ルータ１２３は、第１の入力端子が第１の出力端子に接続され、第２の入力端子が第２の出力端子に接続され、第３の入力端子が第４の出力端子に接続される第２の状態となる（図１１参照）。
【０１３２】
また、システム制御ブロック１１０は、第４の構成、または第５の構成であると認識するとき、共通コマンドInitializeConnect(4/5)を制御バス１１１に送出する。これに応じて、信号ルータ１２３における制御Ｉ／Ｆ１２０ｄのインタプリタ１２０ｄ-3では、この共通コマンドInitializeConnect(4/5)が機能ブロック内コマンドroute(3)に変換される。これにより、信号ルータ１２３は、第１の入力端子が第3の出力端子に接続され、第４の入力端子が第１の出力端子に接続され、第２の入力端子が第２の出力端子に接続され、第３の入力端子が第４の出力端子に接続される第３の状態となる（図１２、図１３参照）。
【０１３３】
また、ＯＳＤ回路１２８における制御Ｉ／Ｆ１２０ｄのインタプリタ１２０ｄ-3では、制御ポート１２０ｄ-1で当該共通コマンドが受信されるとき、ＲＯＭ１２０ｄ-2に記憶されている対応関係に基づいて、当該共通コマンドが、接続状況表示を意味する機能ブロック内コマンドに変換される。これにより、ＯＳＤ回路１２８は、システム制御ブロック１１０がステップＳＴ２で認識した構成である旨を表示するための表示信号を生成し、この表示信号が合成された出力画像信号を出力する状態となる。
【０１３４】
次に、システム制御ブロック１１０は、ステップＳＴ４で、信号ルータ１２３（機能ブロック３）に係る共通コマンド（第７の種類）を除く、全種類の共通コマンドの初期値を制御バス１１１に送出する。この場合、以下のように、同一種類の制御に係る共通コマンドを同じ種類としている。
【０１３５】
すなわち、共通コマンドch(1)〜ch(12)はそれぞれチャネル番号１〜１２を意味するものであり、第１の種類の共通コマンドである。共通コマンドin(1)〜in(3)はそれぞれ入力１〜３を意味するものであり、第２の種類の共通コマンドである。共通コマンドDRCvolExec(on／off)はそれぞれＤＲＣボリウム処理の切替を意味するものであり、第３の種類の共通コマンドである。共通コマンドDRCvol(resolutionVal,noiseVal)はＤＲＣの解像度軸、ノイズ軸の調整を意味するものであり、第４の種類の共通コマンドである。
【０１３６】
共通コマンドDRCzoomExec(on／off)はそれぞれＤＲＣズーム処理の切替を意味するものであり、第５の種類の共通コマンドである。共通コマンドDRCzoom(ratioVal,horizontalVal,verticalVal)はＤＲＣのズーム率、ズーム中心位置の調整を意味するものであり、第６の種類の共通コマンドである。共通コマンドInitialize Connect(1/2/3/4/5)はそれぞれ機能ブロック間接続を意味するものであり、第７の種類の共通コマンドである。
【０１３７】
この場合、第１の種類の共通コマンドに関しては、システム制御ブロック１１０は、チャネル番号用のラストメモリ領域に記憶された共通コマンドを、初期値として、制御バス１１１に送出する。これにより、Ｕ／Ｖチューナ１２１は、電源オフ時に選局されていたチャネルを選局した状態となる。また、ＯＳＤ回路１２８は、その選局されたチャネルを表示するための表示信号を生成し、この表示信号が合成された出力画像信号を出力する状態となる。
【０１３８】
第２の種類の共通コマンドに関しては、システム制御ブロック１１０は、入力セレクト用のラストメモリ領域に記憶された共通コマンドを、初期値として、制御バス１１１に送出する。これにより、入力セレクタ１２２は、電源オフ時に選択されていた入力を選択した状態となる。また、ＯＳＤ回路１２８は、その選択された入力を表示するための表示信号を生成し、この表示信号が合成された出力画像信号を出力する状態となる。
【０１３９】
第３の種類の共通コマンドに関しては、システム制御ブロック１１０は、共通コマンドDRCvolExec(on)を、初期値として、制御バス１１１に送出する。これにより、ＯＳＤ回路１２８は、ＤＲＣボリウム処理がオンである旨を表示するための表示信号を生成し、この表示信号が合成された出力画像信号を出力する状態となる。また、ＯＳＤ回路１２８は、信号ルータ１２３から出力されるＤＲＣボリウム処理された画像信号を入力源として選択し、その画像信号を縮小処理せずにそのまま出力する状態となる。
【０１４０】
第４の種類の共通コマンドに関しては、システム制御ブロック１１０は、ボリウム値用のラストメモリ領域に記憶された共通コマンドを、初期値として、制御バス１１１に送出する。これにより、ＤＲＣ回路１２４は、電源オフ時における解像度軸のボリウム値、ノイズ軸のボリウム値によるＤＲＣボリウム処理を行う状態となる。また、ＯＳＤ回路１２８は、その解像度軸のボリウム値、ノイズ軸のボリウム値を表示するための表示信号を生成し、この表示信号が合成された出力画像信号を出力する状態となる。さらに、ノイズ除去回路１２７は、そのノイズ軸のボリウム値に対応した抑圧度でノイズ抑圧を行う状態となる。
【０１４１】
第５の種類の共通コマンドに関しては、システム制御ブロック１１０は、共通コマンドDRCzoomExec(off)を、初期値として、制御バス１１１に送出する。これにより、ＤＲＣ回路１２４は、ＤＲＣズーム処理を行わない状態となる。また、ＯＳＤ回路１２８は、ＤＲＣズーム処理がオフである旨を表示するための表示信号を生成し、この表示信号が合成された出力画像信号を出力する状態となる。また、ＯＳＤ回路１２８は、ＤＲＣボリウム処理がオン状態にあるときは、信号ルータ１２３から出力される画像信号を入力源として選択し、その画像信号を縮小処理せずにそのまま出力し、ＤＲＣボリウム処理がオフ状態にあるときは、入力セレクタ１２２から出力される画像信号を入力源として選択し、その画像信号を縮小処理せずにそのまま出力する状態となる。
【０１４２】
また、ＯＳＤ回路１２８は、ＤＲＣズーム処理された部分に対応した四角形の枠を子画面上に表示するための表示信号を生成し、出力画像信号に合成することを行わず、さらにズーム倍率、ズーム中心位置を示す表示信号を生成し、出力画像信号に合成することを行わない。
【０１４３】
第６の種類の共通コマンドに関しては、システム制御ブロック１１０は、共通コマンドDRCzoom(InitRatio,InitHol,InitVer)を、初期値として、制御バス１１１に送出する。これにより、ＤＲＣ回路１２４は、ＤＲＣズーム処理がオンとなるとき、ズーム率の初期値「InitRatio」、ズーム中心位置の初期値「InitHol」、「InitVer」に対応した、ＤＲＣズーム処理を行う状態となる。また、ＯＳＤ回路１２８は、ＤＲＣズーム処理がオンとなるとき、ズーム率の初期値「InitRatio」、ズーム中心位置の初期値「InitHol」、「InitVer」を表示するための表示信号を生成し、またＤＲＣズーム処理された部分に対応した四角形の枠を子画面上に表示するための表示信号を生成し、これらの表示信号が合成された出力画像信号を出力する状態となる。
【０１４４】
次に、システム制御ブロック１１０は、ステップＳＴ５で、タイマをスタートさせ、ステップＳＴ６で、リモコン送信機１１２、あるいは筐体１０１の操作部１１３によるユーザ操作があるか否かを判定する。そして、システム制御ブロック１１０は、ユーザ操作があるとき、ステップＳＴ７で、ユーザ操作に対応した共通コマンドを、制御バス１１１に送出する。
【０１４５】
ここで、ユーザがチャネル番号１〜１２を選択する操作を行った場合、システム制御ブロック１１０は、それぞれ共通コマンドch(1)〜ch(12)を、制御バス１１１に送出する。これにより、Ｕ／Ｖチューナ１２１は、選択されたチャネルを選局した状態となる。また、ＯＳＤ回路１２８は、その選局されたチャネルを表示するための表示信号を生成し、この表示信号が合成された出力画像信号を出力する状態となる。なお、システム制御ブロック１１０は、この送出共通コマンドで、チャネル番号用のラストメモリ領域に記憶されている共通コマンドを更新する。
【０１４６】
また、ユーザが入力１〜３を選択する操作を行った場合、システム制御ブロック１１０は、それぞれ共通コマンドin(1)〜in(3)を、制御バス１１１に送出する。これにより、入力セレクタ１２２は、選択された入力に切り替えられた状態となる。また、ＯＳＤ回路１２８は、その切り替えられた入力を表示するための表示信号を生成し、この表示信号が合成された出力画像信号を出力する状態となる。なお、システム制御ブロック１１０は、この送出共通コマンドで、入力セレクト用のラストメモリ領域に記憶されている共通コマンドを更新する。
【０１４７】
また、ユーザがＤＲＣボリウム処理をオフからオンに切り替える操作を行った場合、システム制御ブロック１１０は、共通コマンドDRCvolExec(on)を、制御バス１１１に送出する。これにより、ＯＳＤ回路１２８は、ＤＲＣボリウム処理のオンを表示するための表示信号を生成し、この表示信号が合成された出力画像信号を出力する状態となる。また、このＯＳＤ回路１２８は、信号ルータ１２３からのＤＲＣボリウム処理されている画像信号を入力源とし、この画像信号を縮小処理せずにそのまま出力画像信号として出力する状態となる。
【０１４８】
また、ユーザがＤＲＣボリウム処理をオンからオフに切り替える操作を行った場合、システム制御ブロック１１０は、共通コマンドDRCvolExec(off)を、制御バス１１１に送出する。これにより、ＯＳＤ回路１２８は、ＤＲＣボリウム処理のオフを表示するための表示信号を生成し、この表示信号が合成された出力画像信号を出力する状態となる。また、このＯＳＤ回路１２８は、入力セレクタ１２２からのＤＲＣボリウム処理されていない画像信号を入力源とし、この画像信号を縮小処理せずにそのまま出力画像信号として出力する状態となる。
【０１４９】
また、ユーザが解像度軸、ノイズ軸のボリウム値を変更する操作を行った場合、システム制御ブロック１１０は、共通コマンドDRCvol(resolutionVal,noiseVal)を、制御バス１１１に送出する。これにより、ＤＲＣ回路１２４は、ユーザの操作による解像度軸、ノイズ軸のボリウム値に応じた解像度、ノイズ除去度が選択された状態となる。また、ＯＳＤ回路１２８は、解像度軸のボリウム値「resolutionVal」、ノイズ軸のボリウム値「noiseVal」を表示するための表示信号を生成し、この表示信号が合成された出力画像信号を出力する状態となる。さらに、ノイズ除去回路１２７は、ノイズ軸のボリウム値「noiseVal」に対応した抑圧度でノイズ抑圧を行う状態となる。なお、システム制御ブロック１１０は、この送出共通コマンドで、ボリウム値用のラストメモリ領域に記憶されている共通コマンドを更新する。
【０１５０】
また、ユーザがＤＲＣズーム処理をオフからオンに切り替える操作を行った場合、システム制御ブロック１１０は、共通コマンドDRCzoomExec(on)を、制御バス１１１に送出する。これにより、ＤＲＣ回路１２４は、ズーム率、ズーム中心位置の初期値に対応したＤＲＣズーム処理を実行する状態となる。また、ＯＳＤ回路１２８は、ＤＲＣズーム処理がオンである旨を表示するための表示信号を生成し、この表示信号が合成された出力画像信号を出力する状態となる。また、ＯＳＤ回路１２８は、信号ルータ１２３からのＤＲＣズーム処理（ズーム率、ズーム中心位置は初期値）されている画像信号に、入力セレクタ１２２からの画像信号に対して０．２５倍の縮小処理を施して得られた子画面用の画像信号を合成した出力画像信号を出力する状態となる。また、ＯＳＤ回路１２８は、ＤＲＣ回路１２４でズーム処理された部分に対応した四角形の枠を子画面上に表示するための表示信号を生成し、この表示信号が合成された出力画像信号を出力する状態となる。さらにＯＳＤ回路１２８は、ズーム倍率、ズーム中心位置の初期値を示す表示信号を生成し、この表示信号が合成された出力画像信号を出力する状態となる。
【０１５１】
また、ユーザがＤＲＣズーム処理をオンからオフに切り替える操作を行った場合、システム制御ブロック１１０は、共通コマンドDRCzoomExec(off)を、制御バス１１１に送出する。これにより、ＤＲＣ回路１２４は、ズーム率が１で、ズーム中心位置が（０，０）であるＤＲＣズーム処理を実行する状態、従って実質的にはＤＲＣズーム処理を行わない状態となる。また、ＯＳＤ回路１２８は、ＤＲＣズーム処理がオフである旨を表示するための表示信号を生成し、この表示信号が合成された出力画像信号を出力する状態となる。また、このＯＳＤ回路１２８は、ＤＲＣボリウム処理がオンの状態にあるときは、信号ルータ１２３からの画像信号を縮小処理せずにそのまま出力画像信号として出力し、ＤＲＣボリウム処理がオフの状態にあるときは、入力セレクタ１２２からの画像信号を縮小処理せずにそのまま出力画像信号として出力する状態となる。
【０１５２】
また、ユーザがズーム率、ズーム中心位置を変更する操作を行った場合、システム制御ブロック１１０は、共通コマンドDRCzoom(ratioVal,horizontalVal,verticalVal)を、制御バス１１１に送出する。これにより、ＤＲＣ回路１２４は、変更後のズーム率、ズーム中心位置に対応したＤＲＣズーム処理を実行する状態となる。また、ＯＳＤ回路１２８は、ズーム率、ズーム中心位置を示す表示信号を生成すると共に、ズーム処理されている部分に対応した四角形の枠を子画面上に表示するための表示信号を生成し、これら表示信号が合成された出力画像信号を出力する状態となる。
【０１５３】
次に、システム制御ブロック１１０は、ステップＳＴ８で、ステップＳＴ５でスタートさせたタイマに基づいて、所定時間が経過したか否かを判定する。所定時間が経過していないとき、システム制御ブロック１１０は、ステップＳＴ６に戻り、上述したように、ユーザ操作があるときは、ステップＳＴ７に進んで、ユーザ操作に対応した共通コマンドを制御バス１１１に送出する。なお、ステップＳＴ６で、ユーザ操作がないと判定するとき、システム制御ブロック１１０は、直ちにステップＳＴ８に進み、上述したように所定時間が経過したか否かを判定する。
【０１５４】
ステップＳＴ８で所定時間が経過したとき、システム制御ブロック１１０は、ステップＳＴ９で、全種類の最新の共通コマンドを、制御バス１１１に送出する。ここで、最新の共通コマンドは、ステップＳＴ３、ステップＳＴ４で制御バス１１０に送出された共通コマンド、あるいはステップＳＴ７で制御バス１１１に送出された変更後の共通コマンドのいずれかである。すなわち、ある種類の共通コマンドに関しては、初期値から変更されていない場合はその初期値が最新の共通コマンドであり、初期値から変更されている場合はその変更後の値が最新の共通コマンドとなる。
【０１５５】
そして、システム制御ブロック１１０は、ステップＳＴ９で、全種類の最新の共通コマンドを制御バス１１１に送出した後、ステップＳＴ５に戻り、タイマを再度スタートさせて、上述したと同様の制御動作を行う。
【０１５６】
上述したように、システム制御ブロック１１０は、所定時間おきのタイミングで、全種類の最新の共通コマンドを、制御バス１１１に送出する。これにより、ある機能ブロックで自己の機能ブロックに係る共通コマンドを何らかの原因で受信できなかった場合であっても、当該機能ブロックは、所定時間後にその共通コマンドを受信することが可能となり、例えば２個の機能ブロックが連係して動作する場合に、片方の機能ブロックが共通コマンドを受信できなかったことによる連係のずれを、修正できる。
【０１５７】
例えば、図７は、ＤＲＣ回路１２４（機能ブロック４）およびＯＳＤ回路１２８（機能ブロック８）を示している。ＤＲＣ回路１２４の機能部１２０ｅには、ＤＲＣズーム処理を行うＤＲＣ部が存在する。ＯＳＤ回路１２８の機能部１２０ｅには、子画面用の画像信号を得る子画面部およびズーム処理部分に対応した四角形の枠を表示する表示信号を生成するＯＳＤ（On Screen Display）部が存在する。
【０１５８】
ＤＲＣズーム処理がオンの状態にあり、ユーザのズーム率、ズーム位置の変更操作に伴って、システム制御ブロック１１０から制御バス１１１に共通コマンドDRCzoom(ratioVal,horizontalVal,verticalVal)が送出される場合を考える。
【０１５９】
この場合、ＤＲＣ回路１２４の機能部１２０ｅには機能ブロック内コマンドzoom(ratioVal,horizontalVal,verticalVal)が供給される。そして、ＤＲＣ部では、ズーム率「ratioVal」、ズーム中心位置「horizontalVal」,「verticalVal」に対応したＤＲＣズーム処理が行われる。またこの場合、ＯＳＤ回路１２８の機能部１２０ｅには、機能ブロック内コマンドwriteZoomFrame(ratioVal,horizontalVal,verticalVal)が供給される。そして、ＯＳＤ部では、ズーム処理されている部分に対応した四角形の枠を子画面上に表示するための表示信号が生成される。
【０１６０】
そしてこの場合、ＯＳＤ回路１２８の機能部１２０ｅでは、信号ルータ１２３からのＤＲＣズーム処理されている画像信号に、入力セレクタ１２２からの画像信号に対して子画面部で縮小処理を施して得られた子画面用の画像信号が合成されて出力画像信号が得られ、またこの出力画像信号にＯＳＤ部で生成されたズーム処理された部分に対応した四角形の枠を子画面上に表示するための表示信号が合成される。
【０１６１】
これにより、ＯＳＤ回路１２８から出力される出力画像信号によれば、例えば、図８に示すように、ＤＲＣズーム処理されて得られた画像信号による画像ＩＭ１に、子画面用の画像信号による画像ＩＭ２が重畳されて表示され、さらにこの画像ＩＭ２上にズーム処理された部分に対応した四角形の枠ＦＬＭが表示される。
【０１６２】
上述したように、システム制御ブロック１１０から制御バス１１１に共通コマンドDRCzoom(ratioVal,horizontalVal,verticalVal)が送出され、この共通コマンドがＤＲＣ回路１２４およびＯＳＤ回路１２８の双方で受信されれば、画像ＩＭ１と画像ＩＭ２の枠内の部分とは内容的に完全に一致したものとなる。
【０１６３】
しかし、当該共通コマンドを、ＤＲＣ回路１２４およびＯＳＤ回路１２８の一方で受信できなかった場合には、画像ＩＭ１と画像ＩＭ２の枠内の部分とが内容的に一致しなくなり、連係のずれが発生する。この場合、所定時間後にシステム制御ブロック１１０が制御バス１１１に当該共通コマンドを送出することで、受信できなかった一方の機能ブロックが当該共通コマンドを受信可能となり、画像ＩＭ１と画像ＩＭ２の枠内の部分とを内容的に一致させることができる。
【０１６４】
このような連係のずれは、システム制御ブロック１１０が制御バス１１１にその他の種類の共通コマンドを送出する場合にも起こり得る。しかし、上述したように、システム制御ブロック１１０が、所定時間おきのタイミングで、全部の種類の最新の共通コマンドを、制御バス１１１に送出することで、この連係のずれを、修正できる。
【０１６５】
なお、上述では、全部の種類の最新の共通コマンドを制御バス１１１に送出するものを示したが、システム制御ブロック１１０は、所定時間おきのタイミングで、連係のずれが気になる一部の種類の最新の共通コマンドのみを、制御バス１１１に送出するようにしてもよい。
【０１６６】
また、上述では、システム制御ブロック１１０が、所定時間おきのタイミングで、全部の種類の最新の共通コマンドを、制御バス１１１に送出するものを示したが、例えば共通コマンドを受信する機能ブロックは共通コマンドを受けて正常動作したことを示すコマンドをシステム制御ブロック１１０に返すものとし、システム制御ブロック１１０はそのようなコマンドが返されなかった場合に、再度全部の種類または一部の種類の共通コマンドを、制御バス１１１に送出するようにしてもよい。
【０１６７】
また、上述したように、システム制御ブロック１１０は、電源投入時に、処理装置１００を構成する各機能ブロック１２０から共通コマンドを取得するようにしている。そのため、新たな機能ブロック１２０が追加され、当該新たな機能ブロック１２０に対応した共通コマンドが新たに必要となる場合であっても、容易に対処できる。
【０１６８】
次に、画像信号処理装置１００の、上述した第１〜第５の構成について説明する。この画像信号処理装置１００では、例えば、スロット１０４ａにＵ／Ｖチューナ１２１が挿入され、スロット１０４ｃにＤＲＣ回路１２４が挿入された状態が、基本構成とされる。この基本構成が第１の構成である。
【０１６９】
図９は、基本構成（第１の構成）の接続状態を示している。この場合、システム制御ブロック１１０は、電源投入時に、入力セレクタ１２２、信号ルータ１２３、ＯＳＤ回路１２８の他、Ｕ／Ｖチューナ１２１、ＤＲＣ回路１２４から共通コマンドを取得し、またこれら入力セレクタ１２２、信号ルータ１２３、ＯＳＤ回路１２８、Ｕ／Ｖチューナ１２１およびＤＲＣ回路１２４から基板ＩＤを取得し、第１の構成（基本構成）にあることを認識する。
【０１７０】
そして、システム制御ブロック１１０は、この第１の構成を意味する共通コマンドInitializeConnect(1)を、制御バス１１１に送出する。これにより、信号ルータ１２３は、第１の入力端子が第１の出力端子に接続され、第２の入力端子が第４の出力端子に接続された第１の状態となる。これにより、ＤＲＣ回路１２４が処理系に挿入される。また、ＯＳＤ回路１２８は、第１の構成である旨を表示するための表示信号を生成し、この表示信号が合成された出力画像信号を出力する状態となる。
【０１７１】
また、システム制御ブロック１１０は、信号ルータ１２３に係る共通コマンドを除く、全種類の共通コマンドの初期値（図５参照）を制御バス１１１に送出する。これにより、入力セレクタ１２２、ＯＳＤ回路１２８、Ｕ／Ｖチューナ１２１およびＤＲＣ回路１２４は、初期状態となり、画像信号処理装置１００としての動作が開始される。
【０１７２】
すなわち、Ｕ／Ｖチューナ１２１では、Ｕ／Ｖ用アンテナで受信された放送信号に対して、システム制御ブロック１１０から送られてくる共通コマンドch(1)〜ch(12)のいずれかに基づいて選局処理が施され、所定のチャネルの画像信号が得られる。
【０１７３】
このＵ／Ｖチューナ１２１で得られる画像信号（入力１）は入力セレクタ１２２に入力される。また、この入力セレクタ１２２には、コネクタ１０２ａ（図１参照）に供給された外部ビデオ入力としての画像信号（入力３）も入力される。この入力セレクタ１２２では、システム制御ブロック１１０から送られてくる共通コマンドin(1)または共通コマンドin(3)に基づいて、入力１または入力３が選択される。
【０１７４】
この入力セレクタ１２２で選択された画像信号は、信号ルータ１２３の第１の入力端子、第１の出力端子を介して、ＤＲＣ回路１２４に入力される。このＤＲＣ回路１２４では、入力された画像信号に対して、システム制御ブロック１１０から送られてくる、共通コマンドDRCvol(resolutionVal,noiseVal)、DRCzoomExec(on/off)、DRCzoom(ratioVal,horizontalVal,verticalVal)に基づいて、ＤＲＣボリウム処理、ＤＲＣズーム処理が施される。
【０１７５】
そして、ＤＲＣ回路１２４から出力される画像信号は、信号ルータ１２３の第２の入力端子、第４の出力端子を介して、ＯＳＤ回路１２８の第１の入力端子に供給される。このＯＳＤ回路１２８の第２の入力端子には、入力セレクタ１２２で選択された画像信号が供給される。
【０１７６】
ＯＳＤ回路１２８では、システム制御ブロック１１０から送られてくる、共通コマンドch(1)〜ch(12)、in(1),in(2)、DRCvolExec(on/off)、DRCvol(resolutionVal,noiseVal)、DRCzoomExec(on/off)、DRCzoom(ratioVal,horizontalVal,verticalVal)に基づいて、出力画像信号を得る処理、その出力画像信号に種々の表示をする表示信号を合成する処理等が行われる。
【０１７７】
このＯＳＤ回路１２８で得られる出力画像信号は、コネクタ１０３（図１参照）に出力画像信号として出力される。この出力画像信号は、例えばＣＲＴ（Cathode-Ray Tube）で構成されるディスプレイに供給される。
【０１７８】
また、電源投入後は、ユーザ操作があるとき、システム制御ブロック１１０からユーザ操作に対応した共通コマンドが制御バス１１１に送出される。これにより、Ｕ／Ｖチューナ１２１の選局チャネル、入力セレクタ１２２で選択される入力、ＤＲＣ回路１２４のＤＲＣボリウム処理、ＤＲＣズーム処理の処理内容などが変更される。
【０１７９】
次に、上述した基本構成（第１の構成）に、デジタル地上波チューナ１２６を追加した第２の構成について説明する。デジタル地上波チューナ１２６は、スロット１０４ｂに挿入される。
【０１８０】
図１０は、第２の構成の接続状態を示している。この場合、システム制御ブロック１１０は、電源投入時に、入力セレクタ１２２、信号ルータ１２３、ＯＳＤ回路１２８の他、Ｕ／Ｖチューナ１２１、ＤＲＣ回路１２４から共通コマンドを取得し、また入力セレクタ１２２、信号ルータ１２３、ＯＳＤ回路１２８、Ｕ／Ｖチューナ１２１、ＤＲＣ回路１２４およびデジタル地上波チューナ１２６から基板ＩＤを取得し、第２の構成にあることを認識する。
【０１８１】
そして、システム制御ブロック１１０は、この第２の構成を意味する共通コマンドInitializeConnect(2)を、制御バス１１１に送出する。これにより、信号ルータ１２３は、第１の入力端子が第１の出力端子に接続され、第２の入力端子が第４の出力端子に接続された第１の状態となる。また、ＯＳＤ回路１２８は、第２の構成である旨を表示するための表示信号を生成し、この表示信号が合成された出力画像信号を出力する状態となる。
【０１８２】
また、システム制御ブロック１１０は、信号ルータ１２３に係る共通コマンドを除く、全種類の共通コマンドの初期値を制御バス１１１に送出する。これにより、入力セレクタ１２２、ＯＳＤ回路１２８、Ｕ／Ｖチューナ１２１およびＤＲＣ回路１２４は、初期状態となり、画像信号処理装置１００としての動作が開始される。この場合の動作は、入力セレクタ１２２で、デジタル地上波チューナ１２６で得られる画像信号（入力２）の選択も可能となることを除き、上述した第１の構成の動作と同様である。
【０１８３】
すなわち、デジタル地上波チューナ１２６で得られる画像信号（入力２）は入力セレクタ１２２に入力される。この入力セレクタ１２２では、システム制御ブロック１１０から送られてくる共通コマンドin(1)〜in(3)に基づいて、入力１〜３のいずれかが選択される。以下の動作は、上述した第１の構成の動作と同じであり、その説明は省略する。
【０１８４】
次に、上述した基本構成（第１の構成）に、パネル用処理回路１２５を追加した第３の構成について説明する。パネル用処理回路１２５は、スロット１０４ｄに挿入される。図１１は、第３の構成の接続状態を示している。
【０１８５】
この場合、システム制御ブロック１１０は、電源投入時に、入力セレクタ１２２、信号ルータ１２３、ＯＳＤ回路１２８の他、Ｕ／Ｖチューナ１２１、ＤＲＣ回路１２４から共通コマンドを取得し、また入力セレクタ１２２、信号ルータ１２３、ＯＳＤ回路１２８、Ｕ／Ｖチューナ１２１、ＤＲＣ回路１２４およびパネル用処理回路１２５から基板ＩＤを取得し、第３の構成にあることを認識する。
【０１８６】
そして、システム制御ブロック１１０は、この第３の構成を意味する共通コマンドInitializeConnect(3)を、制御バス１１１に送出する。これにより、信号ルータ１２３は、第１の入力端子が第１の出力端子に接続され、第２の入力端子が第２の出力端子に接続され、第３の入力端子が第４の出力端子に接続される第２の状態となる。これにより、ＤＲＣ回路１２４およびパネル用処理回路１２５が処理系に挿入される。また、ＯＳＤ回路１２８は、第３の構成である旨を表示するための表示信号を生成し、この表示信号が合成された出力画像信号を出力する状態となる。
【０１８７】
また、システム制御ブロック１１０は、信号ルータ１２３に係る共通コマンドを除く、全種類の共通コマンドの初期値を制御バス１１１に送出する。これにより、入力セレクタ１２２、ＯＳＤ回路１２８、Ｕ／Ｖチューナ１２１およびＤＲＣ回路１２４は、初期状態となり、画像信号処理装置１００としての動作が開始される。
【０１８８】
すなわち、Ｕ／Ｖチューナ１２１では、Ｕ／Ｖ用アンテナで受信された放送信号に対して、システム制御ブロック１１０から送られてくる共通コマンドch(1)〜ch(12)のいずれかに基づいて選局処理が施され、所定のチャネルの画像信号が得られる。
【０１８９】
このＵ／Ｖチューナ１２１で得られる画像信号（入力１）は入力セレクタ１２２に入力される。また、この入力セレクタ１２２には、コネクタ１０２ａ（図１参照）に供給された外部ビデオ入力としての画像信号（入力３）も入力される。この入力セレクタ１２２では、システム制御ブロック１１０から送られてくる共通コマンドin(1)または共通コマンドin(3)に基づいて、入力１または入力３が選択される。
【０１９０】
この入力セレクタ１２２で選択された画像信号は、信号ルータ１２３の第１の入力端子、第１の出力端子を介して、ＤＲＣ回路１２４に入力される。このＤＲＣ回路１２４では、入力された画像信号に対して、システム制御ブロック１１０から送られてくる、共通コマンドDRCvol(resolutionVal,noiseVal)、DRCzoomExec(on/off)、DRCzoom(ratioVal,horizontalVal,verticalVal)に基づいて、ＤＲＣボリウム処理、ＤＲＣズーム処理が施される。
【０１９１】
そして、ＤＲＣ回路１２４から出力される画像信号は、信号ルータ１２３の第２の入力端子、第２の出力端子を介して、パネル用処理回路１２５に供給される。このパネル用処理回路１２５では、入力画像信号に対して、ＬＣＤ、ＰＤＰ等のフラットパネルディスプレイに当該画像信号による画像を表示する際に必要となる処理、例えば輝度調整、色調整、水平、垂直の画素数変換、インタレース方式からプログレッシブ方式への方式変換等の処理が行われる。
【０１９２】
そして、このパネル用処理回路１２５から出力される画像信号は、信号ルータ１２３の第３の入力端子、第４の出力端子を介して、ＯＳＤ回路１２８の第１の入力端子に供給される。このＯＳＤ回路１２８の第２の入力端子には、入力セレクタ１２２で選択された画像信号が供給される。このＯＳＤ回路１２８では、システム制御ブロック１１０から送られてくる、共通コマンドch(1)〜ch(12)、in(1),in(2)、DRCvolExec(on/off)、DRCvol(resolutionVal,noiseVal)、DRCzoomExec(on/off)、DRCzoom(ratioVal,horizontalVal,verticalVal)に基づいて、出力画像信号を得る処理、その出力画像信号に種々の表示をする表示信号を合成する処理等が行われる。
【０１９３】
このＯＳＤ回路１２８で得られる出力画像信号は、コネクタ１０３（図１参照）に出力画像信号として出力される。この出力画像信号は、パネル用処理回路１２５がＬＣＤ用のものであるときはＬＣＤで構成されるディスプレイに供給され、パネル用処理回路１２５がＰＤＰ用のものであるときはＰＤＰで構成されるディスプレイに供給される。
【０１９４】
また、電源投入後は、ユーザ操作があるとき、システム制御ブロック１１０からユーザ操作に対応した共通コマンドが制御バス１１１に送出される。これにより、Ｕ／Ｖチューナ１２１の選局チャネル、入力セレクタ１２２で選択される入力、ＤＲＣ回路１２４のＤＲＣボリウム処理、ＤＲＣズーム処理の処理内容などが変更される。
【０１９５】
次に、上述した基本構成（第１の構成）に、パネル用処理回路１２５およびノイズ除去回路１２７を追加した第４の構成について説明する。パネル用処理回路１２５はスロット１０４ｄに挿入され、ノイズ除去回路１２７はスロット１０４ｅに挿入される。図１２は、第４の構成の接続状態を示している。
【０１９６】
この場合、システム制御ブロック１１０は、電源投入時に、入力セレクタ１２２、信号ルータ１２３、ＯＳＤ回路１２８の他、Ｕ／Ｖチューナ１２１、ＤＲＣ回路１２４およびノイズ除去回路１２７から共通コマンドを取得し、また入力セレクタ１２２、信号ルータ１２３、ＯＳＤ回路１２８、Ｕ／Ｖチューナ１２１、ＤＲＣ回路１２４、パネル用処理回路１２５およびノイズ除去回路１２７から基板ＩＤを取得し、第４の構成にあることを認識する。
【０１９７】
そして、システム制御ブロック１１０は、この第４の構成を意味する共通コマンドInitializeConnect(4)を、制御バス１１１に送出する。これにより、信号ルータ１２３は、第１の入力端子が第３の出力端子に接続され、第４の入力端子が第１の出力端子に接続され、第２の入力端子が第２の出力端子に接続され、第３の入力端子が第４の出力端子に接続される第３の状態となる。これにより、ＤＲＣ回路１２４、パネル用処理回路１２５およびノイズ除去回路１２７が処理系に挿入される。また、ＯＳＤ回路１２８は、第４の構成である旨を表示するための表示信号を生成し、この表示信号が合成された出力画像信号を出力する状態となる。
【０１９８】
また、システム制御ブロック１１０は、信号ルータ１２３に係る共通コマンドを除く、全種類の共通コマンドの初期値を制御バス１１１に送出する。これにより、入力セレクタ１２２、ＯＳＤ回路１２８、Ｕ／Ｖチューナ１２１、ＤＲＣ回路１２４およびノイズ除去回路１２７は、初期状態となり、画像信号処理装置１００としての動作が開始される。
【０１９９】
すなわち、Ｕ／Ｖチューナ１２１では、Ｕ／Ｖ用アンテナで受信された放送信号に対して、システム制御ブロック１１０から送られてくる共通コマンドch(1)〜ch(12)のいずれかに基づいて選局処理が施され、所定のチャネルの画像信号が得られる。
【０２００】
このＵ／Ｖチューナ１２１で得られる画像信号（入力１）は入力セレクタ１２２に入力される。また、この入力セレクタ１２２には、コネクタ１０２ａ（図１参照）に供給された外部ビデオ入力としての画像信号（入力３）も入力される。この入力セレクタ１２２では、システム制御ブロック１１０から送られてくる共通コマンドin(1)または共通コマンドin(3)に基づいて、入力１または入力３が選択される。
【０２０１】
この入力セレクタ１２２で選択された画像信号は、信号ルータ１２３の第１の入力端子、第３の出力端子を介してノイズ除去回路１２７に供給される。このノイズ除去回路１２７では、入力された画像信号に対して、システム制御ブロック１１０から送られてくる、共通コマンドDRCvol(resolutionVal,noiseVal)に基づいて、ノイズを抑圧する処理が行われる。
【０２０２】
このノイズ除去回路１２７から出力される画像信号は、信号ルータ１２３の第４の入力端子、第１の出力端子を介して、ＤＲＣ回路１２４に入力される。このＤＲＣ回路１２４では、入力された画像信号に対して、システム制御ブロック１１０から送られてくる、共通コマンドDRCvol(resolutionVal,noiseVal)、DRCzoomExec(on/off)、DRCzoom(ratioVal,horizontalVal,verticalVal)に基づいて、ＤＲＣボリウム処理、ＤＲＣズーム処理が施される。
【０２０３】
そして、ＤＲＣ回路１２４から出力される画像信号は、信号ルータ１２３の第２の入力端子、第２の出力端子を介して、パネル用処理回路１２５に供給される。このパネル用処理回路１２５では、入力画像信号に対して、ＬＣＤ、ＰＤＰ等のフラットパネルディスプレイに当該画像信号による画像を表示する際に必要となる処理、例えば輝度調整、色調整、水平、垂直の画素数変換、インタレース方式からプログレッシブ方式への方式変換等の処理が行われる。
【０２０４】
そして、このパネル用処理回路１２５から出力される画像信号は、信号ルータ１２３の第３の入力端子、第４の出力端子を介して、ＯＳＤ回路１２８の第１の入力端子に供給される。このＯＳＤ回路１２８の第２の入力端子には、入力セレクタ１２２で選択された画像信号が供給される。このＯＳＤ回路１２８では、システム制御ブロック１１０から送られてくる、共通コマンドch(1)〜ch(12)、in(1),in(2)、DRCvolExec(on/off)、DRCvol(resolutionVal,noiseVal)、DRCzoomExec(on/off)、DRCzoom(ratioVal,horizontalVal,verticalVal)に基づいて、出力画像信号を得る処理、その出力画像信号に種々の表示をする表示信号を合成する処理等が行われる。
【０２０５】
このＯＳＤ回路１２８で得られる出力画像信号は、コネクタ１０３（図１参照）に出力画像信号として出力される。この出力画像信号は、パネル用処理回路１２５がＬＣＤ用のものであるときはＬＣＤで構成されるディスプレイに供給され、パネル用処理回路１２５がＰＤＰ用のものであるときはＰＤＰで構成されるディスプレイに供給される。
【０２０６】
また、電源投入後は、ユーザ操作があるとき、システム制御ブロック１１０からユーザ操作に対応した共通コマンドが制御バス１１１に送出される。これにより、Ｕ／Ｖチューナ１２１の選局チャネル、入力セレクタ１２２で選択される入力、ＤＲＣ回路１２４のＤＲＣボリウム処理、ＤＲＣズーム処理の処理内容などが変更される。
【０２０７】
次に、上述した基本構成（第１の構成）に、デジタル地上波チューナ１２６、パネル用処理回路１２５およびノイズ除去回路１２７を追加した第５の構成について説明する。図１３は、第５の構成の接続状態を示している。
【０２０８】
この場合、システム制御ブロック１１０は、電源投入時に、入力セレクタ１２２、信号ルータ１２３、ＯＳＤ回路１２８の他、Ｕ／Ｖチューナ１２１、ＤＲＣ回路１２４およびノイズ除去回路１２７から共通コマンドを取得し、また入力セレクタ１２２、信号ルータ１２３、ＯＳＤ回路１２８、Ｕ／Ｖチューナ１２１、ＤＲＣ回路１２４、パネル用処理回路１２５、ノイズ除去回路１２７およびデジタル地上波チューナ１２６から基板ＩＤを取得し、第５の構成にあることを認識する。
【０２０９】
そして、システム制御ブロック１１０は、この第５の構成を意味する共通コマンドInitializeConnect(5)を、制御バス１１１に送出する。これにより、信号ルータ１２３は、第１の入力端子が第３の出力端子に接続され、第４の入力端子が第１の出力端子に接続され、第２の入力端子が第２の出力端子に接続され、第３の入力端子が第４の出力端子に接続される第３の状態となる。また、ＯＳＤ回路１２８は、第５の構成である旨を表示するための表示信号を生成し、この表示信号が合成された出力画像信号を出力する状態となる。
【０２１０】
また、システム制御ブロック１１０は、信号ルータ１２３に係る共通コマンドを除く、全種類の共通コマンドの初期値を制御バス１１１に送出する。これにより、入力セレクタ１２２、ＯＳＤ回路１２８、Ｕ／Ｖチューナ１２１、ＤＲＣ回路１２４およびノイズ除去回路１２７は、初期状態となり、画像信号処理装置１００としての動作が開始される。この場合の動作は、入力セレクタ１２２で、デジタル地上波チューナ１２６で得られる画像信号（入力２）の選択も可能となることを除き、上述した第４の構成の動作と同様である。
【０２１１】
すなわち、デジタル地上波チューナ１２６で得られる画像信号（入力２）は入力セレクタ１２２に入力される。この入力セレクタ１２２では、システム制御ブロック１１０から送られてくる共通コマンドin(1)〜in(3)に基づいて、入力１〜３のいずれかが選択される。以下の動作は、上述した第１の構成の動作を同じであり、その説明は省略する。
【０２１２】
上述した第１の実施の形態においては、各機能ブロック１２０（Ｕ／Ｖチューナ１２１、入力セレクタ１２２、信号ルータ１２３、ＤＲＣ回路１２４、ノイズ除去回路１２７、ＯＳＤ回路１２８）では、システム制御ブロック１１０から送られてくる共通コマンドが自己の機能ブロックに係る共通コマンドであるとき、それが機能部１２０ｅを制御するための機能ブロック内コマンドに変換されるものである。したがって、第１の実施の形態においては、各機能ブロック１２０は、システム制御ブロック１１０から送られてくる共通コマンドに応じて適応的に動作するものであり、機能ブロック１２０のバージョンアップによる機能のアップグレードを、システム制御ブロック１１０からの共通コマンドを変化させることなく容易に行うことができる。
【０２１３】
すなわち、図１４Ａは、ＤＲＣ回路１２４のバージョンアップ前の構成を示している。このＤＲＣ回路１２４の機能部１２０ｅには、解像度軸およびノイズ軸のＤＲＣボリウム処理およびＤＲＣズーム処理を行う単一のＤＲＣ部が存在する。このＤＲＣ回路１２４における制御Ｉ／Ｆ１２０ｄのＲＯＭ１２０ｄ-2（図１４Ａには図示せず）には、例えば上述の図５に示すように、ＤＲＣの解像度軸、ノイズ軸の調整を意味するDRCvol(resolutionVal,noiseVal)とＤＲＣ（解像度軸、ノイズ軸）ボリウム値の代入を意味する機能ブロック内コマンドvolume(resolutionVal,noiseVal)、ＤＲＣのズーム処理の切替を意味する共通コマンドDRCzoomExec(on／off)とＤＲＣズーム初期値の代入を意味する機能ブロック内コマンドzoom(InitRatio/1,InitHol/0,InitVer/0)、またＤＲＣのズーム率、ズーム中心位置の調整を意味する共通コマンドDRCzoom(ratioVal,horizontalVal,verticalVal)とＤＲＣズーム率、ズーム中心位置の代入を意味する機能ブロック内コマンドzoom(ratioVal,horizontalVal,verticalVal)が、それぞれ、対応して記録されている。
【０２１４】
図１４Ｂは、ＤＲＣ回路１２４のバージョンアップ後の構成を示している。このＤＲＣ回路１２４の機能部１２０ｅには、ノイズ軸のＤＲＣボリウム処理を行うノイズ用ＤＲＣ部と、解像度軸のＤＲＣボリウム処理およびＤＲＣズーム処理を行う解像度用ＤＲＣ部とが存在する。この場合、ノイズ軸および解像度軸のＤＲＣボリウム処理が別個のＤＲＣ部で行われるものであり、処理性能を上げることができる。
【０２１５】
このＤＲＣ部における制御Ｉ／Ｆ１２０ｄのＲＯＭ１２０ｄ-2（図１４Ｂには図示せず）には、図１５に示すように、ＤＲＣの解像度軸、ノイズ軸の調整を意味するDRCvol(resolutionVal,noiseVal)と、ＤＲＣ（解像度軸）ボリウム値の代入を意味する機能ブロック内コマンドvolumeResolution(resolutionVal)およびＤＲＣ（ノイズ軸）ボリウム値の代入を意味する機能ブロック内コマンドvolumeNoise(noiseVal)とが、対応して記憶されている。また、このＲＯＭ１２０ｄ-2には、ＤＲＣのズーム処理の切替を意味する共通コマンドDRCzoomExec(on／off)とＤＲＣズーム初期値の代入を意味する機能ブロック内コマンドzoom(InitRatio/1,InitHol/0,InitVer/0)、ＤＲＣのズーム率、ズーム中心位置の調整を意味する共通コマンドDRCzoom(ratioVal,horizontalVal,verticalVal)とＤＲＣズーム率、ズーム中心位置の代入を意味する機能ブロック内コマンドzoom(ratioVal,horizontalVal,verticalVal)が、それぞれ、対応して記録されている。
【０２１６】
このように、ＤＲＣ回路１２４がバージョンアップ後の場合であっても、このＤＲＣ回路１２４に係る共通コマンドを変化させる必要ない。すなわち、ＲＯＭ１２０ｄ-2に記憶される、共通コマンドと機能ブロック内コマンドとの対応関係のみを変化させれば済む。したがってこの場合、ＤＲＣ回路１２４を図１４Ａの構成のものからバージョンアップした図１４Ｂの構成のものに交換して機能のアップグレードを図る場合、共通コマンドを変化させることなく容易に行うことができる。
【０２１７】
上述の第１の実施の形態においては、システム制御ブロック１１０は、電源投入時に、処理装置１００を構成する機能ブロック１２０から共通コマンドを取得するものである。しかし、システム制御ブロック１１０は、この共通コマンドを、ディスク、半導体メモリ等のリムーバブルな記憶媒体をもって、あるいはインターネット等の所定のネットを介して、さらにはデジタル放送等の放送信号から、取得することもできる。
【０２１８】
次に、この発明の第２の実施の形態について説明する。図１６は、第２の実施の形態としての画像信号処理装置１００Ａの構成を示している。この図１６において、図１と対応する部分には同一符号を付し、その詳細説明については適宜省略する。
【０２１９】
この画像信号処理装置１００Ａは、システム制御ブロック１１０から共通コマンドを発行する他に、所定の機能ブロック、ここでは入力セレクタ１２２Ａ（機能ブロック２）からも共通コマンドを発行する。この入力セレクタ１２２Ａは、図１の画像信号処理装置１００における入力セレクタ１２２に対応している。
【０２２０】
図１７は、入力セレクタ１２２Ａの構成を示している。この入力セレクタ１２２Ａは、図２に示す機能ブロック１２０としての基本的構成を有しており、機能部１２０ｅとして入力セレクタ部を備えている。そして、この入力セレクタ１２２Ａは、ノイズ検出部１２０ｆをさらに有している。
【０２２１】
このノイズ検出部１２０ｆは、入力セレクタ部から出力される画像信号に含まれるノイズのレベルｘを検出し、このノイズレベルｘを制御Ｉ／Ｆ１２０ｄに供給する。また、このノイズ検出部１２０ｆは、所定時間毎、例えば所定フレーム毎にノイズレベルｘの検出を行い、ノイズレベルｘとして０〜９のいずれかの値を出力する。ここで、ノイズレベルｘは、情報信号としての画像信号の処理結果を構成している。
【０２２２】
図１８は、入力セレクタ１２２Ａの制御Ｉ／Ｆ１２０ｄの構成を示している。この図１８において、図３と対応する部分には同一符号を付している。上述したノイズ検出部１２０ｆで検出されたノイズレベルｘは、制御ポート１２０ｄ-1に供給される。制御ポート１２０ｄ-1は、ノイズレベルｘが変化するとき、このノイズレベルｘを含む共通コマンドInputNoise(x)を発行し、それを制御用コネクタ１２０ａを介して制御バス１１１（図１６参照）に送出する。
【０２２３】
図１９のフローチャートは、この入力セレクタ１２２Ａの制御ポート１２０ｄ-1における共通コマンドInputNoise(x)の発行動作を示している。
【０２２４】
まず、ステップＳＴ１１１で、例えば電源投入に伴って動作を開始し、ステップＳＴ１１２で、制御ポート１２０ｄ-1に内蔵されている不揮発性メモリ（図示せず）のラストメモリ領域に記憶されているノイズレベルｘ′を用いて、このノイズレベルｘ′を含む共通コマンドInputNoise(x′)を発行する。
【０２２５】
次に、ステップＳＴ１１３で、ノイズレベルｘの検出が行われる毎に、このノイズレベルｘがラストメモリ領域に記憶されているノイズレベルｘ′と同じか否かを判定する。ｘ＝ｘ′であるときは、このステップＳＴ１１３の判定を繰り返す。一方、ｘ＝ｘ′でないときは、ステップＳＴ１１４で、検出されたノイズレベルｘを含む共通コマンドInputNoise(x)を発行する。
【０２２６】
次に、ステップＳＴ１１５で、ノイズレベルｘをノイズレベルｘ′として、不揮発性メモリのラストメモリ領域に記憶し、その後に、ステップＳＴ１１３の判定動作に戻る。
【０２２７】
入力セレクタ１２２Ａのその他は、図１の画像信号処理装置１００における入力セレクタ１２２と同様に構成され、同様の動作をする。
【０２２８】
また、画像信号処理装置１００Ａの信号ルータ１２３（機能ブロック３）は、その制御Ｉ／Ｆ１２０ｄのＲＯＭ１２０ｄ-2に、図５に示すように、機能ブロック間接続１〜５を意味する共通コマンドInitializeConnect(1/2/3/4/5)のそれぞれと、処理基板間の接続切替を意味する機能ブロック内コマンドroute(1/2/3)との対応関係を記憶していると共に、図２０に示すように、入力ノイズレベルを意味する共通コマンドInputNoise(0〜9)のそれぞれと、処理基板間の接続切替を意味する機能ブロック内コマンドroute(3/4)との対応関係を記憶している。
【０２２９】
共通コマンドInputNoise(0〜9)は、上述したように入力セレクタ１２２Ａから制御バス１１１に送出される。信号ルータ１２３の制御Ｉ／Ｆ１２０ｄのインタプリタ１２０ｄ-3では、制御ポート１２０ｄ-1で共通コマンドInputNoise(0〜9)が受信され、かつ画像信号処理装置１００Ａが第４の構成または第５の構成にあり、システム制御ブロック１１０で発行された共通コマンドInitializeConnect(4/5)が受信されたとき、ＲＯＭ１２０ｄ-2に記憶されている対応関係に基づいて、共通コマンドInputNoise(0〜9)が機能ブロック内コマンドroute(3/4)に変換される。この場合、ノイズレベルｘ（０〜９）が所定レベルｃより大きい場合にはroute(3)に変換され、ノイズレベルｘが所定レベルｃ以下であるときはroute(4)に変換される。
【０２３０】
ここで、第４の構成は、スロット１０４ａにＵ／Ｖチューナ１１２（機能ブロック１）が挿入され、スロット１０４ｃにＤＲＣ回路１２４（機能ブロック４）が挿入された第１の構成（基本構成）に、さらに、スロット１０４ｄにパネル用処理回路１２５（機能ブロック５）が挿入され、スロット１０４ｅにノイズ除去回路１２７（機能ブロック７）が挿入された構成である。また、第５の構成は、上述の第１の構成（基本構成）に、さらに、スロット１０４ｂにデジタル地上波チューナ１２６（機能ブロック６）挿入され、スロット１０４ｄにパネル用処理回路１２５（機能ブロック５）が挿入され、スロット１０４ｅにノイズ除去回路１２７（機能ブロック７）が挿入された構成である。
【０２３１】
また、コマンドroute(3)は、第１の入力端子が第3の出力端子に接続され、第４の入力端子が第１の出力端子に接続され、第２の入力端子が第２の出力端子に接続され、第３の入力端子が第４の出力端子に接続される第３の状態に、機能部１２０ｅを制御するためのものである。コマンドroute(4)は、第１の入力端子が第１の出力端子に接続され、第２の入力端子が第２の出力端子に接続され、第３の入力端子が第４の出力端子に接続される第４の状態に、機能部１２０ｅを制御するためのものである。
【０２３２】
このように、画像信号処理装置１００Ａが第４の構成または第５の構成にあるとき、信号ルータ１２３の制御Ｉ／Ｆ１２０ｄは、共通コマンドInitializeConnect(4/5)に対応して機能ブロック内コマンドroute(3)を必ず出力するものではなく、共通コマンドInputNoise(x)のノイズレベルｘに応じて機能ブロック内コマンドroute(3)あるいは機能ブロック内コマンドroute(4)を出力する。
【０２３３】
図２１のフローチャートは、信号ルータ１２３の制御Ｉ／Ｆ１２０ｄの、共通コマンドInputNoise(x)の受信時における動作を示している。
【０２３４】
ステップＳＴ１２１で、共通コマンドInputNoise(x）を受信すると、ステップＳＴ１２２で、システム制御ブロック１１０で発行された共通コマンドInitializeConnect(4/5)を受信したか否かを判定する。受信したときは、ステップＳＴ１２３で、ノイズレベルｘが所定レベルｃより大きいか否かを判定する。
【０２３５】
ｘ＞ｃであるときは、ステップＳＴ１２４で、機能ブロック内コマンドroute(3)を出力し、その後ステップＳＴ１２５で動作を終了する。一方、ｘ≦ｃであるときは、ステップＳＴ１２６で、機能ブロック内コマンドroute(4)を出力し、その後に動作を終了する。なお、ステップＳＴ１２２で、受信していないときは、直ちにステップＳＴ１２５に進み、動作を終了する。この場合、スロット１０４ｅにノイズ除去回路１２７が挿入されていない第１〜第３の構成にあり、ノイズ除去回路１２７を処理系に挿入するか否かの判定は不要だからである。
【０２３６】
また、画像信号処理装置１００ＡのＤＲＣ回路１２４（機能ブロック４）は、その制御Ｉ／Ｆ１２０ｄのＲＯＭ１２０ｄ-2に、図５に示すように、ＤＲＣの解像度軸、ノイズ軸の調整を意味する共通コマンドDRCvol(resolutionVal,noiseVal)とＤＲＣ（解像度軸、ノイズ軸）ボリウム値の代入を意味する機能ブロック内コマンドvolume(resolutionVal,noiseVal)とを対応して記憶し、ＤＲＣのズーム処理の切替を意味する共通コマンドDRCzoomExec(on／off)とＤＲＣズーム初期値の代入を意味する機能ブロック内コマンドzoom(InitRatio/1,InitHol/0,InitVer/0)とを対応して記憶し、ＤＲＣのズーム率、ズーム中心位置の調整を意味する共通コマンドDRCzoom(ratioVal,horizontalVal,verticalVal)とＤＲＣズーム率、ズーム中心位置の代入を意味する機能ブロック内コマンドzoom(ratioVal,horizontalVal,verticalVal)とを対応して記憶していると共に、図２０に示すように、入力ノイズレベルを意味する共通コマンドInputNoise(0〜9)のそれぞれとＤＲＣ（ノイズ軸）ボリウム値の代入を意味する機能ブロック内コマンドvolumeNoise(noiseVal)とを対応して記憶している。
【０２３７】
この場合、ＤＲＣ回路１２４の制御Ｉ／Ｆ１２０ｄのインタプリタ１２０ｄ-3では、制御ポート１２０ｄ-1で共通コマンドInputNoise(0〜9)が受信されるとき、ＲＯＭ１２０ｄ-2に記憶されている対応関係に基づいて、ノイズレベルｘ（０〜９）がノイズ軸のボリウム値noiseValに、例えばnoiseVal＝ａｘ＋ｂ（ａ，ｂは定数）の関係式を用いて変換され、機能ブロック内コマンドvolumeNoise(noiseVal)が得られる。これにより、ＤＲＣ回路１２４は、ノイズレベルｘに応じたノイズ除去度が選択された状態となる。
【０２３８】
図２２のフローチャートは、ＤＲＣ回路１２４の制御Ｉ／Ｆ１２０ｄの、共通コマンドInputNoise(x)受信時における動作を示している。
【０２３９】
ステップＳＴ１３１で、共通コマンドInputNoise(x）を受信すると、ステップＳＴ１３２で、ノイズレベルｘ（０〜９）を用い、noiseVal＝ａｘ＋ｂの式に基づいて、ノイズ軸のボリウム値noiseValを演算する。そして、ステップＳＴ１３３で、機能ブロック内コマンドvolumeNoise(noiseVal)を出力し、その後に、ステップＳＴ１３４で、動作を終了する。
【０２４０】
また、画像信号処理装置１００Ａのノイズ除去回路１２７（機能ブロック７）は、その制御Ｉ／Ｆ１２０ｄのＲＯＭ１２０ｄ-2に、図５に示す、共通コマンドDRCvol(resolutionVal,noiseVal)とノイズ抑圧度を示す値（ノイズ抑圧値）の代入を意味する機能ブロック内コマンドnoiseSuppress(noiseVal)との対応の代わりに、図２０に示すように、入力ノイズレベルを意味する共通コマンドInputNoise(0〜9)のそれぞれとノイズ抑圧値の代入を意味する機能ブロック内コマンドnoiseSuppress(0〜9)とを対応して記憶している。
【０２４１】
この場合、ノイズ除去回路１２７の制御Ｉ／Ｆ１２０ｄのインタプリタ１２０ｄ-3では、制御ポート１２０ｄ-1で共通コマンドInputNoise(0〜9)が受信されるとき、ＲＯＭ１２０ｄ-2に記憶されている対応関係に基づいて、この共通コマンドInputNoise(0〜9)が、機能ブロック内コマンドnoiseSuppress(0〜9)に変換される。これにより、ノイズ除去回路１２７は、ノイズレベルｘに対応した抑圧度でノイズ抑圧を行う状態となる。
【０２４２】
また、画像信号処理装置１００ＡのＯＳＤ回路１２８（機能ブロック８）は、その制御Ｉ／Ｆ１２０ｄのＲＯＭ１２０ｄ-2に、図５に示す共通コマンドと機能ブロック内コマンドとの対応を記憶していると共に、図２０に示すように、共通コマンドInputNoise(0〜9)のそれぞれと入力ノイズレベル表示を意味する機能ブロック内コマンドwriteInputNoise((0〜9)とを対応して記憶している。
【０２４３】
ＯＳＤ回路１２８の制御Ｉ／Ｆ１２０ｄのインタプリタ１２０ｄ-3では、制御ポート１２０ｄ-1で共通コマンドInputNoise(0〜9)が受信されるとき、ＲＯＭ１２０ｄ-2に記憶されている対応関係に基づいて、この共通コマンドInputNoise(0〜9)が機能ブロック内コマンドwriteInputNoise(0〜9)に変換される。これにより、ＯＳＤ回路１２８は、ノイズレベル０〜９を表示するための表示信号を生成し、この表示信号が合成された出力画像信号を出力する状態となる。
【０２４４】
なお、画像信号処理装置１００Ａのシステム制御ブロック１１０は、入力セレクタ１２２Ａから制御バス１１１に共通コマンドInputNoise(0〜9)が送出された場合、この共通コマンドInputNoise(0〜9)を受信し、上述したnoiseVal＝ａｘ＋ｂの式に基づいて、ノイズ軸のボリウム値noiseValを演算し、このボリウム値noiseValを、ユーザがノイズ軸のボリウム値を変更する操作を行う際の初期値として保存しておく。
【０２４５】
図１６に示す画像信号処理装置１００Ａのその他は、図１に示す画像信号処理装置１００と同様に構成される。
【０２４６】
次に、この画像信号処理装置１００Ａの動作を説明する。この画像信号処理装置１００Ａの動作は、入力セレクタ１２２Ａから発行される共通コマンドInputNoise(0〜9)に係る動作を除き、図１に示す画像信号処理装置１００の動作と同様である。ここでは、第１の構成（基本構成）およびノイズ除去回路１２７が処理系に挿入される第４の構成を用いて、動作を説明する。
【０２４７】
図２３は、基本構成（第１の構成）の接続状態を示している。この場合、システム制御ブロック１１０は、電源投入時に、入力セレクタ１２２Ａ、信号ルータ１２３、ＯＳＤ回路１２８の他、Ｕ／Ｖチューナ１２１、ＤＲＣ回路１２４から共通コマンドを取得し、またこれら入力セレクタ１２２Ａ、信号ルータ１２３、ＯＳＤ回路１２８、Ｕ／Ｖチューナ１２１およびＤＲＣ回路１２４から基板ＩＤを取得し、第１の構成（基本構成）にあることを認識する。
【０２４８】
そして、システム制御ブロック１１０は、この第１の構成を意味する共通コマンドInitializeConnect(1)を、制御バス１１１に送出する。これにより、信号ルータ１２３は、第１の入力端子が第１の出力端子に接続され、第２の入力端子が第４の出力端子に接続された第１の状態となる。また、ＯＳＤ回路１２８は、第１の構成（基本構成）である旨を表示するための表示信号を生成し、この表示信号が合成された出力画像信号を出力する状態となる。
【０２４９】
なお、電源投入時に、入力セレクタ１２２Ａは、ラストメモリ領域に記憶されているノイズレベルｘ′を用いて、共通コマンドInputNoise(x′)を、制御バス１１１に送出する（図１９参照）。しかし、この第１の構成では、この共通コマンドInputNoise(x′)は信号ルータ１２３の動作には何等影響を与えない（図２１参照）。
【０２５０】
また、システム制御ブロック１１０は、信号ルータ１２３に係る共通コマンドを除く、全種類の共通コマンドの初期値（図５参照）を制御バス１１１に送出する。また、入力セレクタ１２２Ａは、上述したように電源投入時に共通コマンドInputNoise(x′)を制御バス１１１に送出する。
【０２５１】
これにより、入力セレクタ１２２Ａ、ＯＳＤ回路１２８、Ｕ／Ｖチューナ１２１およびＤＲＣ回路１２４は、初期状態となり、画像信号処理装置１００Ａとしての動作が開始される。なおこの場合、ＤＲＣ回路１２４のノイズ軸のボリウム値noiseValに関しては、例えば共通コマンドInputNoise(x′)に対応するものが優先される。
【０２５２】
Ｕ／Ｖチューナ１２１では、Ｕ／Ｖ用アンテナで受信された放送信号に対して、システム制御ブロック１１０から送られてくる共通コマンドch(1)〜ch(12)のいずれかに基づいて選局処理が施され、所定のチャネルの画像信号が得られる。
【０２５３】
このＵ／Ｖチューナ１２１で得られる画像信号（入力１）は入力セレクタ１２２Ａに入力される。また、この入力セレクタ１２２Ａには、コネクタ１０２ａ（図１６参照）に供給された外部ビデオ入力としての画像信号（入力３）も入力される。この入力セレクタ１２２Ａでは、システム制御ブロック１１０から送られてくる共通コマンドin(1)または共通コマンドin(3)に基づいて、入力１または入力３が選択される。
【０２５４】
この入力セレクタ１２２Ａで選択された画像信号は、信号ルータ１２３の第１の入力端子、第１の出力端子を介して、ＤＲＣ回路１２４に入力される。このＤＲＣ回路１２４では、入力された画像信号に対して、システム制御ブロック１１０から送られてくる、共通コマンドDRCvol(resolutionVal,noiseVal)、DRCzoomExec(on/off)、DRCzoom(ratioVal,horizontalVal,verticalVal)、および入力セレクタ１２２Ａから送られてくる共通コマンドInputNoise(x′)に基づいて、ＤＲＣボリウム処理、ＤＲＣズーム処理が施される。
【０２５５】
そして、ＤＲＣ回路１２４から出力される画像信号は、信号ルータ１２３の第２の入力端子、第４の出力端子を介して、ＯＳＤ回路１２８の第１の入力端子に供給される。このＯＳＤ回路１２８の第２の入力端子には、入力セレクタ１２２Ａで選択された画像信号が供給される。
【０２５６】
ＯＳＤ回路１２８では、システム制御ブロック１１０から送られてくる、共通コマンドch(1)〜ch(12)、in(1),in(2)、DRCvolExec(on/off)、DRCvol(resolutionVal,noiseVal)、DRCzoomExec(on/off)、DRCzoom(ratioVal,horizontalVal,verticalVal)、および入力セレクタ１２２Ａから送られてくる共通コマンドInputNoise(x′)に基づいて、出力画像信号を得る処理、その出力画像信号に種々の表示をする表示信号を合成する処理等が行われる。
【０２５７】
このＯＳＤ回路１２８で得られる出力画像信号は、コネクタ１０３（図１６参照）に出力画像信号として出力される。この出力画像信号は、例えばＣＲＴ（Cathode-Ray Tube）で構成されるディスプレイに供給される。
【０２５８】
また、電源投入後は、ユーザ操作があるとき、システム制御ブロック１１０からユーザ操作に対応した共通コマンドが制御バス１１１に送出される。これにより、Ｕ／Ｖチューナ１２１の選局チャネル、入力セレクタ１２２Ａで選択される入力、ＤＲＣ回路１２４のＤＲＣボリウム処理、ＤＲＣズーム処理の処理内容などが変更される。
【０２５９】
また、電源投入後は、入力セレクタ１２２Ａのノイズ検出部１２０ｆで検出されるノイズレベルｘが以前に検出されたノイズレベルｘ′から変化したとき、入力セレクタ１２２Ａから共通コマンドInputNoise(x)が発行され、制御バス１１１に送出される。これにより、ＤＲＣ回路１２４におけるノイズ軸のボリウム値noiseValがノイズレベルｘに対応した値に変更されると共に、ＯＳＤ回路１２８による入力ノイズレベルの表示値も変更される。
【０２６０】
図２４、図２５は、第４の構成の接続状態を示している。この場合、システム制御ブロック１１０は、電源投入時に、入力セレクタ１２２Ａ、信号ルータ１２３、ＯＳＤ回路１２８の他、Ｕ／Ｖチューナ１２１、ＤＲＣ回路１２４およびノイズ除去回路１２７から共通コマンドを取得し、また入力セレクタ１２２Ａ、信号ルータ１２３、ＯＳＤ回路１２８、Ｕ／Ｖチューナ１２１、ＤＲＣ回路１２４、パネル用処理回路１２５およびノイズ除去回路１２７から基板ＩＤを取得し、第４の構成にあることを認識する。
【０２６１】
そして、システム制御ブロック１１０は、この第４の構成を意味する共通コマンドInitializeConnect(4)を、制御バス１１１に送出する。これにより、ＯＳＤ回路１２８は、第４の構成である旨を表示するための表示信号を生成し、この表示信号が合成された出力画像信号を出力する状態となる。
【０２６２】
また、電源投入時に、入力セレクタ１２２Ａは、ラストメモリ領域に記憶されているノイズレベルｘ′を用いて、共通コマンドInputNoise(x′)を、制御バス１１１に送出する（図１９参照）。そのため、この信号ルータ１２３は、ノイズレベルｘ′に応じて、第３の状態または第４の状態となる（図２１参照）
すなわち、ノイズレベルｘ′が所定レベルｃより大きいときは、第１の入力端子が第３の出力端子に接続され、第４の入力端子が第１の出力端子に接続され、第２の入力端子が第２の出力端子に接続され、第３の入力端子が第４の出力端子に接続される第３の状態となる（図２４参照）。これにより、ＤＲＣ回路１２４、パネル用処理回路１２５およびノイズ除去回路１２７が処理系に挿入される。この場合、ノイズ除去回路１２７のノイズ抑圧値は、ノイズレベルｘ′に対応したものとされる。
【０２６３】
また、ノイズレベルｘ′が所定レベルｃ以下であるときは、第１の入力端子が第１の出力端子に接続され、第２の入力端子が第２の出力端子に接続され、第３の入力端子が第４の出力端子に接続される第４の状態となる（図２５参照）。これにより、ＤＲＣ回路１２４およびパネル用処理回路１２５が処理系に挿入され、ノイズ除去回路１２７は処理系に挿入されない。このようにノイズレベルｘ′が小さいときノイズ除去回路１２７を処理系に挿入しないことで、処理系にノイズ除去回路１２７を挿入することによる、解像度低下などを抑制できる。
【０２６４】
また、システム制御ブロック１１０は、信号ルータ１２３に係る共通コマンドを除く、全種類の共通コマンドの初期値（図５参照）を制御バス１１１に送出する。また、入力セレクタ１２２Ａは、上述したように電源投入時に共通コマンドInputNoise(x′)を制御バス１１１に送出する。これにより、入力セレクタ１２２Ａ、ＯＳＤ回路１２８、Ｕ／Ｖチューナ１２１、ＤＲＣ回路１２４およびパネル用処理回路１２５は、初期状態となり、画像信号処理装置１００Ａとしての動作が開始される。なおこの場合、ＤＲＣ回路１２４のノイズ軸のボリウム値noiseValに関しては、例えば共通コマンドInputNoise(x′)に対応するものが優先される。
【０２６５】
Ｕ／Ｖチューナ１２１では、Ｕ／Ｖ用アンテナで受信された放送信号に対して、システム制御ブロック１１０から送られてくる共通コマンドch(1)〜ch(12)のいずれかに基づいて選局処理が施され、所定のチャネルの画像信号が得られる。
【０２６６】
このＵ／Ｖチューナ１２１で得られる画像信号（入力１）は入力セレクタ１２２Ａに入力される。また、この入力セレクタ１２２Ａには、コネクタ１０２ａ（図１６参照）に供給された外部ビデオ入力としての画像信号（入力３）も入力される。この入力セレクタ１２２では、システム制御ブロック１１０から送られてくる共通コマンドin(1)または共通コマンドin(3)に基づいて、入力１または入力３が選択される。
【０２６７】
ノイズレベルｘ′が所定レベルｃより大きい場合、図２４に示すように、入力セレクタ１２２Ａで選択された画像信号は、信号ルータ１２３の第１の入力端子、第３の出力端子を介してノイズ除去回路１２７に供給される。このノイズ除去回路１２７では、入力された画像信号に対して、ノイズレベルｘ′に対応したノイズ抑圧値によりノイズを抑圧する処理が行われる。このノイズ除去回路１２７から出力される画像信号は、信号ルータ１２３の第４の入力端子、第１の出力端子を介して、ＤＲＣ回路１２４に入力される。
【０２６８】
一方、ノイズレベルｘ′が所定レベルｃ以下の場合、図２５に示すように、入力セレクタ１２２Ａで選択された画像信号は、信号ルータ１２３の第１の入力端子、第１の出力端子を介して、ＤＲＣ回路１２４に入力される。
【０２６９】
このＤＲＣ回路１２４では、入力された画像信号に対して、システム制御ブロック１１０から送られてくる、共通コマンドDRCvol(resolutionVal,noiseVal)、DRCzoomExec(on/off)、DRCzoom(ratioVal,horizontalVal,verticalVal)、および入力セレクタ１２２Ａから送られてくる共通コマンドInputNoise(x′)に基づいて、ＤＲＣボリウム処理、ＤＲＣズーム処理が施される。
【０２７０】
そして、ＤＲＣ回路１２４から出力される画像信号は、信号ルータ１２３の第２の入力端子、第２の出力端子を介して、パネル用処理回路１２５に供給される。このパネル用処理回路１２５では、入力画像信号に対して、ＬＣＤ、ＰＤＰ等のフラットパネルディスプレイに当該画像信号による画像を表示する際に必要となる処理、例えば輝度調整、色調整、水平、垂直の画素数変換、インタレース方式からプログレッシブ方式への方式変換等の処理が行われる。
【０２７１】
そして、このパネル用処理回路１２５から出力される画像信号は、信号ルータ１２３の第３の入力端子、第４の出力端子を介して、ＯＳＤ回路１２８の第１の入力端子に供給される。このＯＳＤ回路１２８の第２の入力端子には、入力セレクタ１２２Ａで選択された画像信号が供給される。このＯＳＤ回路１２８では、システム制御ブロック１１０から送られてくる、共通コマンドch(1)〜ch(12)、in(1),in(2)、DRCvolExec(on/off)、DRCvol(resolutionVal,noiseVal)、DRCzoomExec(on/off)、DRCzoom(ratioVal,horizontalVal,verticalVal)、および入力セレクタ１２２Ａから送られてくる共通コマンド共通コマンドInputNoise(x′)に基づいて、出力画像信号を得る処理、その出力画像信号に種々の表示をする表示信号を合成する処理等が行われる。
【０２７２】
このＯＳＤ回路１２８で得られる出力画像信号は、コネクタ１０３（図１６参照）に出力画像信号として出力される。この出力画像信号は、パネル用処理回路１２５がＬＣＤ用のものであるときはＬＣＤで構成されるディスプレイに供給され、パネル用処理回路１２５がＰＤＰ用のものであるときはＰＤＰで構成されるディスプレイに供給される。
【０２７３】
また、電源投入後は、ユーザ操作があるとき、システム制御ブロック１１０からユーザ操作に対応した共通コマンドが制御バス１１１に送出される。これにより、Ｕ／Ｖチューナ１２１の選局チャネル、入力セレクタ１２２Ａで選択される入力、ＤＲＣ回路１２４のＤＲＣボリウム処理、ＤＲＣズーム処理の処理内容が変更される。
【０２７４】
また、電源投入後は、入力セレクタ１２２Ａのノイズ検出部１２０ｆで検出されるノイズレベルｘが以前に検出されたノイズレベルｘ′から変化したとき、入力セレクタ１２２Ａから共通コマンドInputNoise(x′)が発行され、制御バス１１１に送出される。これにより、ＤＲＣ回路１２４におけるノイズ軸のボリウム値noiseValがノイズレベルｘに対応した値に変更されると共に、ＯＳＤ回路１２８による入力ノイズレベルの表示値も変更される。また、ノイズ除去回路１２７のノイズ抑圧値がノイズレベルｘに対応した値に変更されると共に、信号ルータ１２３の状態がノイズレベルｘが所定レベルｃより大きいか否かによって第３の状態（図２４参照）または第４の状態（図２５参照）とされる。
【０２７５】
上述した第２の実施の形態においては、各機能ブロック１２０（Ｕ／Ｖチューナ１２１、入力セレクタ１２２Ａ、信号ルータ１２３、ＤＲＣ回路１２４、ノイズ除去回路１２７、ＯＳＤ回路１２８）では、システム制御ブロック１１０および入力セレクタ１２２Ａから送られてくる共通コマンドが自己の機能ブロックに係る共通コマンドであるとき、それが機能部１２０ｅを制御するための機能ブロック内コマンドに変換されるものである。したがって、この第２の実施の形態においては、上述した第１の実施の形態と同様に、各機能ブロック１２０は、共通コマンドに応じて適応的に動作するものであり、機能ブロック１２０のバージョンアップによる機能のアップグレードを、共通コマンドを変化させることなく容易に行うことができる。
【０２７６】
また、この第２の実施の形態においては、機能ブロック１２０としての入力セレクタ１２２Ａが、画像信号から検出したノイズレベルｘを含む共通コマンドInputNoise(x)を制御バス１１１に送出するものであり、この共通コマンドInputNoise(x)に含まれるノイズレベルｘの情報を、他の複数の機能ブロック、つまり信号ルータ１２３、ＤＲＣ回路１２４およびノイズ除去回路１２７で容易に利用できる。
【０２７７】
なお、この第２の実施の形態においては、入力セレクタ１２２Ａで画像信号のノイズのレベルｘを検出し、当該入力セレクタ１２２Ａからノイズレベルｘを含む共通コマンドInputNoise(x)を発行するものを示したが、ノイズレベルｘの代わりにその他の情報を検出し、それを含む共通コマンドInputNoise(x)を発行し、ＤＲＣ回路１２４等の他の機能ブロックでその情報を用いることも考えられる。他の情報としては、画像信号の動き量の情報、画像信号が特有のノイズを持つフィルムソースに基づくものであるか否かの情報などが考えられる。
【０２７８】
なお、この第２の実施の形態のように、システム制御ブロックおよび機能ブロックから共通コマンドが発行されるものにあっては、上述した第１の実施の形態のように、共通コマンドが発行するブロックが、所定時間おきのタイミングで、あるいは共通コマンドを受信する機能ブロックは共通コマンドを受けて正常動作したことを示すコマンドを共通コマンドを発行したブロックに返すものとし、そのようなコマンドが返されなかった場合に、再度全部の種類または一部の種類の共通コマンドを、制御バス１１１に送出する。これにより、複数の機能ブロックの連係ずれを防止できる。
【０２７９】
次に、この発明の第３実施の形態について説明する。図２６は、第３の実施の形態としての画像信号処理装置１００Ｂの構成を示している。この画像信号処理装置１００Ｂは、制御バス１１１としてＣＡＮバスを用いたものである。この図２６において、図１と対応する部分には同一符号を付し、その詳細説明を適宜省略する。
【０２８０】
この画像信号処理装置１００Ｂにおいて、筐体１０１には、アップグレードデータメモリスロット１０５が設けられている。このスロット１０５は、アップグレードデータが記憶されたメモリカード（図示せず）を挿入するためのスロットである。ここで、アップグレードデータとは、機能ブロックの追加またはバージョンアップがあったときに必要となるデータ、例えばユーザ操作信号と共通コマンドとの対応関係を示すデータ、共通コマンドと機能ブロック内コマンドとの対応関係を示すデータなどである。この画像信号処理装置１００Ｂのその他は、図１に示す画像信号処理装置１００と同様に構成されている。
【０２８１】
図２７は、システム制御ブロック１１０の構成を示している。このシステム制御ブロック１１０は、ＣＡＮバスインタフェース（ＣＡＮバスＩ／Ｆ）１１０Ａと、制御部１１０Ｂと、システム制御プログラムメモリ１１０Ｃとを有している。ＣＡＮバスＩ／Ｆ１１０Ａは、ＣＡＮバス（制御バス１１１）との間のインタフェースを行う。また、このＣＡＮバスＩ／Ｆ１１０Ａは、ＣＡＮバスで送られてくる通信データ（共通コマンド、ラストメモリデータなど）をハードウェア的に選択して受信用メッセージバッファに格納すると共に、送信用メッセージバッファに格納されている通信データ（アップグレードデータ、共通コマンドなど）をＣＡＮバス（制御バス１１１）に送出する。
【０２８２】
制御部１１０Ｂは、図示せずもマイクロコンピュータ（マイコン）を備えて構成されており、リモコン１１２または操作部１１３からのユーザ操作信号、ＣＡＮバスＩ／Ｆ１１０Ａの受信用メッセージバッファに格納されている通信データ（ラストメモリデータ、共通コマンドなど）を受け付けながら、システム全体の制御を行う。システム制御プログラムメモリ１１０Ｃは、制御部１１０Ｂの動作に係る制御プログラム等を記憶する。なお、このシステム制御プログラムメモリ１１０Ｃには、上述した、ユーザ操作信号と共通コマンドとの対応関係を示すデータなども記憶される。
【０２８３】
このシステム制御ブロック１１０の動作を説明する。例えば、制御部１１０Ｂがユーザ操作信号を受け付けた場合の動作を説明する。この場合、制御部１１０Ｂは、当該ユーザ操作信号に基づき、必要に応じて、システム制御プログラムメモリ１１０Ｃから適切な制御プログラムを読み出し、当該ユーザ操作信号に対応した共通コマンド（グローバルコマンド）を生成し、その共通コマンドをＣＡＮバスＩ／Ｆ１１０Ａの送信用メッセージバッファに格納する。そして、ＣＡＮバスＩ／Ｆ１１０Ａは、送信用メッセージバッファに格納された共通コマンドをＣＡＮバス（制御バス１１１）に送出する。
【０２８４】
ここで、通信データのフォーマットについて説明する。通信データは、図２８Ａに示すように識別子（ＩＤ:identifier）およびペイロード部で構成され、あるいは識別子（ＩＤ）のみで構成される。ペイロード部には、コマンドのパラメータあるいはデータが配置される。通信データが共通コマンドである場合、図２８Ｂに示すように、識別子（ＩＤ）はシステムアプリケーション番号および共通コマンド通し番号からなっている。例えば、識別子が１２ビットで構成されるとき、システムアプリケーション番号は４ビットで表され、共通コマンド通し番号は８ビットで表される。
【０２８５】
図２９および図３０は、共通コマンドと機能ブロック内コマンドの対応を示している。図２９は、図２６に示すＤＲＣ回路（機能ブロック４）１２４がズーム機能を備えていない場合を示し、図３０は、このＤＲＣ回路１２４がズーム機能を備えている場合を示している。ＤＲＣ回路１２４がズーム機能を備えたものにバージョンアップされるとき、DRCzoomExec(on/off)およびDRCzoom(ratioVal,horizontalVal,verticalVal)の共通コマンドが新たに加わる。図２９、図３０における各共通コマンドの内容は、上述の図５に示すものと同様であり、ここではその説明を省略する。
【０２８６】
例えば、共通コマンドch(1)〜ch(12)の識別子は「0xC01〜0xC0C」とされ、共通コマンドin(1)〜in(3)の識別子は「0xA01」とされ、DRCvolExec(on/off)の識別子は「0x501」とされ、DRCvol(resolutionVal,noiseVal)の識別子は「0x502」とされ、DRCzoomExec(on/off)の識別子は「0x503」とされ、DRCzoom(ratioVal,horizontalVal,verticalVal)の識別子は「0x504」とされ、さらに共通コマンドInitializeConnect(1/2/3/4/5)の識別子は「0x001」とされている。共通コマンドch(1)〜ch(12)については、「0xC01〜0xC0C」の識別子のみでその内容が分かるのでペイロード部は不要であるが、その他の共通コマンドについては、識別子のみではその内容が分からないので、ペイロード部にパラメータが配置される。
【０２８７】
また例えば、スロット１０５（図２６参照）に、アップグレードデータが記憶されているメモリカードが挿入された場合の動作を説明する。制御部１１０Ｂは、このメモリカードからアップグレードデータを読み込む。そして、制御部１１０Ｂは、このアップグレードデータをシステム制御プログラムメモリ１１０Ｃに書き込む。また、制御部１１０Ｂは、各機能ブロックで必要とするアップグレードデータを、所定の識別子（ＩＤ）を付加して、ＣＡＮバスＩ／Ｆ１１０Ａの送信メッセージバッファに格納する。そして、ＣＡＮバスＩ／Ｆ１１０Ａは、送信用メッセージバッファに格納されたアップグレードデータをＣＡＮバス（制御バス１１１）に送出する。
【０２８８】
スロット１０５へのメモリカードの挿入は、例えば、ＤＲＣ回路１２４がズーム機能を持つものにアップグレードされた場合に行われる。この場合、共通コマンドDRCzoomExec(on/off)、DRCzoom(ratioVal,horizontalVal,verticalVal)に係るアップグレードデータがメモリカードで供給される。この場合、アップグレードされたＤＲＣ回路１２４自体は予め共通コマンドDRCzoomExec(on/off)、DRCzoom(ratioVal,horizontalVal,verticalVal)と機能ブロック内コマンドとの対応関係を示すデータを持っているが、ＯＳＤ回路（機能ブロック８）１２８は、その対応関係を示すデータを持っていない。そこでこの場合には、ＯＳＤ回路１２８に向けてアップグレードデータが送信される。
【０２８９】
また例えば、ＣＡＮバス（制御バス１１１）を介して各機能ブロックからラストメモリデータが送られてくる場合の動作を説明する。この場合、ＣＡＮバスＩ／Ｆ１１０Ａの受信メッセージバッファにラストメモリデータが格納される。そして、制御部１１０Ｂは、受信メッセージバッファからラストメモリデータを読み込み、システム制御プログラムメモリ１１０Ｃの所定領域（ラストメモリ）に書き込む。
図３１は、図２６に示す機能ブロック１〜８の基本となる機能ブロック１２０Ａを示している。この図３１において、図２と対応する部分には同一符号を付し、適宜、その詳細説明を省略する。
【０２９０】
この機能ブロック１２０Ａは、制御用コネクタ１２０ａ、入力用コネクタ１２０ｂおよび出力用コネクタ１２０ｃを有している。また、機能ブロック１２０Ａは、制御インタフェース（制御Ｉ／Ｆ）１２０ｄおよび機能部１２０ｅを有している。入力用コネクタ１２０ｂには機能部１２０ｅで処理すべき信号が入力され、この信号は入力用コネクタ１２０ｂを介して機能部１２０ｅに入力される。出力用コネクタ１２０ｃには機能部１２０ｅで処理されて出力された信号が出力される。
【０２９１】
制御用コネクタ１２０ａは、ＣＡＮバス（制御バス１１１）に接続される。制御Ｉ／Ｆ１２０ｄは制御用コネクタ１２０ａに接続されている。制御Ｉ／Ｆ１２０ｄは、ＣＡＮバス（制御バス１１１）を介して送られてくる共通コマンドに基づいて機能部１２０ｅの機能を制御する。
【０２９２】
制御Ｉ／Ｆ１２０ｄは、ＣＡＮバスインタフェース（ＣＡＮバスＩ／Ｆ）１２０d1と、制御部１２０d2と、基板内制御プログラムメモリ１２０d3とを有している。ＣＡＮバスＩ／Ｆ１２０d1は、ＣＡＮバス（制御バス１１１）との間のインタフェースを行う。このＣＡＮバスＩ／Ｆ１２０d1は、ＣＡＮバスで送られてくる通信データ（共通コマンド、アップグレードデータなど）をハードウェア的に選択して受信用メッセージバッファに格納すると共に、送信用メッセージバッファに格納されている通信データ（ラストメモリデータ、共通コマンドなど）をＣＡＮバスに送出する。
【０２９３】
図３２は、ＣＡＮバスＩ／Ｆ１２０d1の構成を概略的に示している。このＣＡＮバスＩ／Ｆ１２０d1は、受信バッファ１３１と、比較・転送部１３２と、レジスタ１３３と、受信用メッセージバッファ１３４とを有している。受信バッファ１３１は、ＣＡＮバス（制御バス１１１）を介して送られてくる通信データ（共通コマンド、アップグレードデータなど）を一時的に取り込むためのものである。レジスタ１３３は、自己の機能ブロックで受信すべき通信データ（共通コマンド、アップグレードデータなど）の識別子（ＩＤ）を設定するためのものである。このレジスタ１３３への識別子の設定は、制御部１２０d2により行われる。共通コマンドの場合、例えば、識別子（ＩＤ）のうち、レジスタ１３３には、システムアプリケーション番号の部分だけ設定してもよい（図２８Ａ，Ｂ参照）。
【０２９４】
受信用メッセージバッファ１３４は、自己の機能ブロックで受信すべき通信データ（共通コマンド、アップグレードデータなど）を格納し、制御部１２０d2に受け渡すためのものである。この受信用メッセージバッファ１３４は、複数のメッセージバッファから構成されており、複数の通信データを並行して格納できるようになっている。比較・転送部１３２は、受信バッファ１３１に一時的に取り込まれた通信データの識別子がレジスタ１３３に設定されているか否かをハードウェア的に比較判定し、設定されている場合にはその通信データを受信バッファ１３１から受信用メッセージバッファ１３４に転送して格納する。
【０２９５】
また、ＣＡＮバスＩ／Ｆ１２０d1は、送信用メッセージバッファ１３５と、送信コントローラ１３６とを有している。送信用メッセージバッファ１３５は、システム制御ブロック１１０および他の機能ブロックに送るべき、制御部１２０d2からの通信データ（ラストメモリデータ、共通コマンドなど）を格納し、後述する送信コントローラ１３６に受け渡すためのものである。この送信用メッセージバッファ１３５は、複数のメッセージバッファから構成されており、複数の通信データを並行して格納できるようになっている。送信コントローラ１３６は、送信用メッセージバッファ１３５に格納されている通信データを所定のタイミングでＣＡＮバス（制御バス１１１）に送出する。
【０２９６】
なお、図３２は、機能ブロック１２０Ａの制御Ｉ／Ｆ１２０dが有するＣＡＮバスＩ／Ｆ１２０d1を示しているが、説明は省略するも、上述したシステム制御ブロック１１０が有するＣＡＮバスＩ／Ｆ１１０Ａも同様に構成されている。
【０２９７】
図３１に戻って、制御部１２０d2は、図示せずもマイクロコンピュータ（マイコン）を備えて構成されており、ＣＡＮバスＩ／Ｆ１２０d1の受信用メッセージバッファに格納されている通信データ（共通コマンド、アップグレードデータなど）に基づいて制御動作をする。また、この制御部１２０d2は、システム制御ブロック１１０および他の機能ブロックに送るべき通信データ（ラストメモリデータ、共通コマンドなど）を生成し、ＣＡＮバスＩ／Ｆ１２０d1の送信用メッセージバッファ１３５に格納する。また、この制御部１２０d2は、ＣＡＮバスＩ／Ｆ１２０d1のレジスタ１３３に、自己の機能ブロックで受信すべき通信データ（共通コマンド、アップグレードデータなど）の識別子（ＩＤ）を設定する。基板内制御プログラムメモリ１２０d3は、制御部１２０d2の動作に係る制御プログラム等を記憶する。なお、この基板内制御プログラムメモリ１２０d3には、上述した、共通コマンドと機能ブロック内コマンドとの対応関係を示すデータも記憶される。
【０２９８】
図３１に示す機能ブロックの動作を説明する。例えば、ＣＡＮバス（制御バス１１１）を介して共通コマンドが送られてくる場合の動作を説明する。この場合、この共通コマンドはＣＡＮバスＩ／Ｆ１２０d1の受信バッファ１３１に一時的に取り込まれる。そして、ＣＡＮバスＩ／Ｆ１２０d1の比較・転送部１３２により、受信バッファ１３１に取り込まれた共通コマンドの識別子がレジスタ１３３に設定されているか否かがハードウェア的に比較判定され、設定されているとき、当該受信バッファ１３１に取り込まれた共通コマンドは受信用メッセージバッファ１３４に転送されて格納される。
【０２９９】
制御部１２０d2は、ＣＡＮバスＩ／Ｆ１２０d1の受信用メッセージバッファ１３４に格納された共通コマンドを読み込み、この共通コマンドに基づいて、必要に応じて、プログラムメモリ１２０d3から適切な制御プログラムを読み出すと共に、その制御プログラムに基づいて機能部１２０eに機能ブロック内コマンドを送る。機能部１２０ｅは、この機能ブロック内コマンドに基づいて、機能、例えば信号経路または信号処理を変化させる。
【０３００】
また例えば、ＣＡＮバス（制御バス１１１）を介してアップグレードデータが送られてくる場合の動作を説明する。この場合、このアップグレードデータはＣＡＮバスＩ／Ｆ１２０d1の受信バッファ１３１に一時的に取り込まれる。そして、ＣＡＮバスＩ／Ｆ１２０d1の比較・転送部１３２により、受信バッファ１３１に取り込まれたアップグレードデータの識別子がレジスタ１３３に設定されているか否かがハードウェア的に比較判定され、設定されているとき、当該受信バッファ１３１に取り込まれたアップグレードデータは受信用メッセージバッファ１３４に転送されて格納される。
【０３０１】
制御部１２０d2は、ＣＡＮバスＩ／Ｆ１２０d1の受信用メッセージバッファ１３４に格納されたアップグレードデータを読み込み、このアップグレードデータを基板内制御プログラムメモリ１２０d3に書き込む。なお、制御部１２０d2は、例えばアップグレードデータの受信などにより、受信すべき共通コマンドが変化するときは、その都度、受信すべき共通コマンドの識別子（ＩＤ）を、ＣＡＮバスＩ／Ｆ１２０d1のレジスタ１３３に設定する。
【０３０２】
また例えば、制御部１２０d2で生成された通信データ（ラストメモリデータ、共通コマンドなど）をシステム制御ブロック１１０および他の機能ブロックに送信する場合の動作を説明する。この場合、制御部１２０d2は、通信データを、ＣＡＮバスＩ／Ｆ１２０d1の送信用メッセージバッファ１３５に格納する。そして、ＣＡＮバスＩ／Ｆ１２０d1の送信コントローラ１３６は、送信用メッセージバッファ１３５に格納された通信データを所定のタイミングでＣＡＮバス（制御バス１１１）に送出する。
【０３０３】
図２６に示す画像信号処理装置１００Ｂにおける、システム制御ブロック１１０および各機能ブロックの制御Ｉ／Ｆ１２０ｄの起動時の動作を、図３３Ａ，Ｂのフローチャートを参照して説明する。
【０３０４】
図３３Ａはシステム制御ブロック１１０の動作を示している。ステップＳＴ５１で、電源オンとなると、ステップＳＴ５２で、制御部１１０Ｂは、アップグレードデータがあるか否かを判定する。メモリスロット１０５にアップグレードデータが記憶されたメモリカードが挿入されていてアップグレードデータがあるときは、ステップＳＴ５３に進む。
【０３０５】
このステップＳＴ５３では、制御部１１０Ｂは、メモリカードに記憶されているアップグレードデータのうち、機能ブロック側で必要とするアップグレードデータを識別子（ＩＤ）を付加した状態でＣＡＮバスＩ／Ｆ１１０Ａの送信用メッセージバッファに格納し、ＣＡＮバス（制御バス１１１）に送出する。そして、ステップＳＴ５４で、制御部１１０Ｂは、メモリカードに記憶されているアップグレードデータのうち、自己のブロックで必要とするアップグレードデータを読み込み、それをシステム制御プログラムメモリ１１０Ｃに書き込み、その後にステップＳＴ５５に進む。
【０３０６】
ステップＳＴ５５では、制御部１１０Ｂは、システム制御プログラムメモリ１１０Ｃの所定領域（ラストメモリ）に記憶されているラストメモリデータに基づいて、前回のシステム終了時のシステム状態にするための共通コマンド群を生成し、それをＣＡＮバスＩ／Ｆ１１０Ａの送信用メッセージバッファに格納し、ＣＡＮバス（制御バス１１１）に送出する。そして、ステップＳＴ５６で、制御部１１０Ｂは、起動時の初期設定を終了する。
【０３０７】
図３３Ｂは、各機能ブロックの制御Ｉ／Ｆ１２０ｄの動作を示している。ステップＳＴ１１で、電源がオンとなると、ステップＳＴ１２で、制御部１２０d2は、ＣＡＮバスＩ／Ｆ１２０d1のレジスタ１３３に、自己の機能ブロックで起動時に受信すべきアップグレードデータの識別子（ＩＤ）および共通コマンドの識別子（ＩＤ）を設定する。
【０３０８】
そして、ステップＳＴ１３で、制御部１２０d2は、アップグレードデータを受信したか否かを判定する。アップグレードデータを受信したときは、ステップＳＴ１４で、制御部１２０d2は、受信したアップグレードデータ、つまりＣＡＮバスＩ／Ｆ１２０d1の受信用メッセージバッファ１３４に格納されたアップグレードデータを読み込み、それを基板内制御プログラムメモリ１２０d3に書き込む。その後、ステップＳＴ１５に進む。ステップＳＴ１３でアップグレードデータの受信がないときは、直ちにステップＳＴ１５に進む。
【０３０９】
このステップＳＴ１５では、制御部１２０d2は、システム制御ブロック１１０から送られてくる、前回のシステム状態にするための共通コマンドを受信し、それに基づき、必要に応じて、プログラムメモリ１２０d3から適切な制御プログラムを読み出すと共に、その制御プログラムに基づいて機能部１２０ｅに機能ブロック内コマンドを送る。これにより、機能部１２０ｅを、前回のシステム終了時の状態に遷移させる。そして、ステップＳＴ１６で、制御部１２０d2は、起動時の初期設定を終了する。
【０３１０】
なお、図１に示す画像信号処理装置１００では、起動時には、各機能ブロックから基板ＩＤを取得して基板構成を認識し、その後に認識した構成に基づいて機能ブロック間接続を意味する共通コマンドInitializeConnectを制御バス１１１に送出し、機能ブロック間接続を行うものであった（図６のＳＴ２，ＳＴ３参照）。しかし、図２６に示す画像信号処理装置１００Ｂでは、システム制御ブロック１１０は、前回のシステム終了時の機能ブロック間接続に対応した共通コマンドInitializeConnectを、ＣＡＮバス（制御バス１１１）に送出して機能ブロック間接続を行う。
【０３１１】
次に、図２６に示す画像信号処理装置１００Ｂにおける、各機能ブロックの制御Ｉ／Ｆ１２０ｄの通常動作時の動作を、図３４のフローチャートを参照して説明する。
【０３１２】
ステップＳＴ２１で、起動時の初期設定が終了すると、ステップＳＴ２２で、制御部１２０d2は、通常動作時に受信すべき共通コマンドの識別子（ＩＤ）をＣＡＮバスＩ／Ｆ１２０d1のレジスタ１３３に設定する。例えば、Ｕ／Ｖチューナ１２１ではレジスタに「0xC」を設定し、入力セレクタ１２２ではレジスタに「0xA」を設定し、信号ルータ１２３ではレジスタに「0x0」を設定し、ＤＲＣ回路１２４ではレジスタに「0x5」を設定し、ノイズ除去回路１２７ではレジスタに「0x502」を設定し、ＯＳＤ回路１２８ではレジスタに「0xC」、「0xA」、「0x5」および「0x0」を設定する（図２９、図３０参照）。
【０３１３】
そして、ステップＳＴ２３で、制御部１２０d2は、共通コマンドを受信したか否かを判定する。共通コマンドを受信したときは、ステップＳＴ２４で、制御部１２０d2は、受信した共通コマンド、つまりＣＡＮバスＩ／Ｆ１２０d1の受信用メッセージバッファ１３４に格納された共通コマンドを読み込み、それがシステム終了共通コマンドであるか否かを判定する。
【０３１４】
システム終了共通コマンドであるときは、ステップＳＴ２５に進み、制御部１２０d2は、システム終了処理に移行する。一方、システム終了共通コマンドでないときは、制御部１２０d2は、ステップＳＴ２６で、当該共通コマンドに基づいて、必要に応じて、基板内制御プログラムメモリ１２０d3から適切な制御プログラムを読み出すと共に、その制御プログラムに基づいて機能部１２０ｅに機能ブロック内コマンドを送り、機能部１２０ｅの機能、例えば信号経路または信号処理を変化させる。その後に、ステップＳＴ２３に戻る。
【０３１５】
次に、図２６に示す画像信号処理装置１００Ｂにおける、システム制御ブロック１１０および各機能ブロックの制御Ｉ／Ｆ１２０ｄのシステム終了時の動作を、図３５Ａ，Ｂのフローチャートを参照して説明する。
【０３１６】
図３５Ａは、システム制御ブロック１１０の動作を示している。ステップＳＴ３１で、ユーザによる電源オフ操作があると、ステップＳＴ３２で、制御部１１０Ｂは、システム終了コマンドをＣＡＮバスＩ／Ｆ１１０Ａの送信用メッセージバッファに格納し、ＣＡＮバス（制御バス１１１）に送出する。
【０３１７】
そして、ステップＳＴ３３で、制御部１１０Ｂは、ＣＡＮバスＩ／Ｆ１１０Ａのレジスタに、各機能ブロックから送られてくるラストメモリデータの識別子（ＩＤ）を設定し、その受信待ちをする。そして、ステップＳＴ３４で、制御部１１０Ｂは、受信した各機能ブロックのラストメモリデータ、つまりＣＡＮバスＩ／Ｆ１１０Ａの受信用メッセージバッファに格納されたラストメモリデータを読み込み、それをシステム制御プログラムメモリ１１０Ｃ内の所定領域（ラストメモリ）に保存する。その後に、ステップＳＴ３５で、制御部１１０Ｂは、システムの電源をオフとする。
【０３１８】
図３５Ｂは、各機能ブロックの制御Ｉ／Ｆ１２０ｄの動作を示している。ステップＳＴ４１で、制御部１２０d2は、システム終了共通コマンドの受信を受けてシステム終了の処理を開始し（図３４のステップＳＴ２５に対応）、ステップＳＴ４２で、制御部１２０d2は、基板内制御プログラムメモリ１２０d3からラストメモリデータ送信プログラムを読み込み、それを起動させる。
【０３１９】
そして、ステップＳＴ４３で、制御部１２０d2は、機能部１２０ｅの現状の信号経路、信号処理を示すパラメータを、ラストメモリデータとして、識別子（ＩＤ）を付加した状態でＣＡＮバスＩ／Ｆ１２０d1の送信用メッセージバッファに格納し、ＣＡＮバス（制御バス１１１）に送出する。その後に、ステップＳＴ４４で、制御部１２０d2は、システムの電源をオフとする。
【０３２０】
上述した第３の実施の形態においては、各機能ブロック１２０Ａ（Ｕ／Ｖチューナ１２１、入力セレクタ１２２、信号ルータ１２３、ＤＲＣ回路１２４、ノイズ除去回路１２７、ＯＳＤ回路１２８）では、システム制御ブロック１１０から送られてくる共通コマンドが自己の機能ブロックに係る共通コマンドであるとき、それが機能部１２０ｅを制御するための機能ブロック内コマンドに変換され、各機能ブロック１２０は、システム制御ブロック１１０から送られてくる共通コマンドに応じて適応的に動作するものであり、上述した第１の実施の形態と同様の効果を得ることができる。
【０３２１】
また、この第３の実施の形態においては、各機能ブロックでは、ＣＡＮバスインタフェース１２０d1で、ＣＡＮバス（制御バス１１１）を介して受信された通信データ（共通コマンド、アップグレードデータなど）が自己の機能ブロックに係るものであるか否かがハードウェア的に比較判定され、自己の機能ブロックに係るものであるときは、それが受信用メッセージバッファ１３４に格納される。そのため、機能ブロック内の制御部１２０d2（制御マイコン）では受信された通信データの取捨選択を行う必要がなく、当該制御部１２０d2の負荷を大幅に軽減できる。
【０３２２】
また、ＣＡＮバスは自動車分野で広く用いられているため、ノイズ対する対策が十分に講じられており、近年登場したプラズマディスプレイなど、ノイズの多い機器内においても、共通コマンドのように受信完了を送信側に通知できないシステムを安定して運用できる制御バスを実現できる。
【０３２３】
図２６に示す画像信号処理装置１００Ｂでは、バスインタフェースとしてＣＡＮバスＩ／Ｆを用いたものであるが、このバスインタフェースとしては受信データを格納するためのメッセージバッファと、バスを介して受信された受信データを選択的にメッセージバッファに格納するメッセージ格納制御部とを持ち、受信データをハードウェア的に取捨選択できるものであれば、ＣＡＮバスＩ／Ｆ以外のバスインタフェースであってもよい。
【０３２４】
なお、上述実施の形態においては、Ｕ／Ｖチューナ１２１（機能ブロック１）、入力セレクタ１２２，１２２Ａ（機能ブロック２）、信号ルータ１２３（機能ブロック３）、ＤＲＣ回路１２４（機能ブロック４）、パネル用処理回路１２５（機能ブロック５）、デジタル地上波チューナ１２６（機能ブロック６）、ノイズ除去回路１２７（機能ブロック７）、ＯＳＤ回路１２８（機能ブロック８）等からなる画像信号処理装置１００，１００Ａ，１００Ｂを示したものであるが、機能ブロックの個数および種類はこれに限定されない。スロット数も５個に限定されず、例えば全ての機能ブロックがスロットに挿入される構成としてもよい。
【０３２５】
また、上述実施の形態においては、この発明を画像信号処理装置１００，１００Ａ，１００Ｂに適応したものであるが、この発明は、画像信号だけでなく、音声信号等のその他の情報信号を処理する装置にも同様に適用できる。
【０３２６】
また、上述実施の形態において、機能ブロック１２０は基板を単位としているが、これに限定されるものではない。機能ブロック１２０としては、ＬＳＩ（Large Scale Integrated circuit）のチップを単位とすることもでき、またこれら基板、チップからなる装置を単位とすることもできる。
【産業上の利用可能性】
【０３２７】
この発明は、情報信号を複数の機能ブロックで処理するものにあって、機能ブロックのバージョンアップによる機能のアップグレードを容易に行い得るものであり、例えば複数の機能ブロックを用いて画像信号にノイズ除去、高画質化等の一連の処理を行う画像信号処理装置等に適用できる。
【図面の簡単な説明】
【０３２８】
図１は、第１の実施の形態としての画像信号処理装置の構成を示すブロック図である。
図２は、機能ブロックの基本構成を示すブロック図である。
図３は、機能ブロック内の制御インタフェース（制御Ｉ／Ｆ）の構成を示すブロック図である。
図４は、システム制御ブロックの機能ブロックに対する制御構造を説明するための図である。
図５は、共通コマンドと機能ブロック内コマンドとの対応を示す図である。
図６は、システム制御ブロックの制御動作を示すフローチャートである。
図７は、ズーム倍率、ズーム位置の変更時におけるＤＲＣ回路、ＯＳＤ回路の動作を説明するための図である。
図８は、ＤＲＣズーム処理がオン状態における画像表示例を示す図である。
図９は、画像信号処理装置の基本構成の接続状態を示す図である。
図１０は、基本構成にデジタル地上波チューナを追加した場合の接続状態を示す図である。
図１１は、基本構成にパネル用処理回路を追加した場合の接続状態を示す図である。
図１２は、基本構成にノイズ除去回路およびパネル用処理回路を追加した場合の接続状態を示す図である。
図１３は、基本構成に、複数の機能ブロックを追加した場合の接続状態を示す図である。
図１４Ａは、ＤＲＣ回路のバージョンアップ前の構成を説明するための図である。
図１４Ｂは、ＤＲＣ回路のバージョンアップ後の構成を説明するための図である。
図１５は、機能ブロック（ＤＲＣ回路）のバージョンアップに伴う機能ブロック内コマンドの変化を示す図である。
図１６は、第２の実施の形態としての画像信号処理装置の構成を示すブロック図である。
図１７は、入力セレクタの構成を示すブロック図である。
図１８は、入力セレクタの制御インタフェース（制御Ｉ／Ｆ）の構成を示すブロック図である。
図１９は、入力セレクタにおける共通コマンドInputNoise(x)の発行動作を示すフローチャートである。
図２０は、共通コマンドInputNoise(x)に係る機能ブロックにおける機能ブロック内コマンドの対応を示す図である。
図２１は、ＤＲＣ回路の制御インタフェースの共通コマンドInputNoise(x)受信時における動作を示すフローチャートである。
図２２は、信号ルータの制御インタフェースの共通コマンドInputNoise(x)受信時における動作を示すフローチャートである。
図２３は、画像信号処理装置の基本構成の接続状態を示す図である。
図２４は、基本構成にノイズ除去回路およびパネル用処理回路を追加した場合であって、ノイズレベルｘが所定レベルｃより大きい場合の接続状態を示す図である。
図２５は、基本構成にノイズ除去回路およびパネル用処理回路を追加した場合であって、ノイズレベルｘが所定レベルｃ以下の場合の接続状態を示す図である。
図２６は、第３の実施の形態としての画像信号処理装置の構成を示すブロック図である。
図２７は、システム制御ブロックの構成を示すブロック図である。
図２８Ａは、通信データのフォーマットを説明するための図である。
図２８Ｂは、通信データが共通コマンドである場合における識別子（ＩＤ）の内容を説明するための図である。
図２９は、共通コマンドと機能ブロック内コマンドとの対応を示す図である（ＤＲＣ回路はズーム機能なし）。
図３０は、共通コマンドと機能ブロック内コマンドとの対応を示す図である（ＤＲＣ回路はズーム機能あり）。
図３１は、機能ブロックの構成を示すブロック図である。
図３２は、ＣＡＮバスＩ／Ｆの概略的構成を示すブロック図である。
図３３Ａは、システム制御ブロックの制御Ｉ／Ｆの動作フロー（起動時）を示すフローチャートである。
図３３Ｂは、各機能ブロックの制御Ｉ／Ｆの動作フロー（起動時）を示すフローチャートである。
図３４は、各機能ブロックの制御Ｉ／Ｆの動作フロー（通常動作時）を示すフローチャートである。
図３５Ａは、システム制御ブロックの制御Ｉ／Ｆの動作フロー（システム終了時）を示すフローチャートである。
図３５Ｂは、各機能ブロックの制御Ｉ／Ｆの動作フロー（システム終了時）を示すフローチャートである。
【手続補正３】
【補正対象書類名】図面
【補正対象項目名】図１
【補正方法】変更
【補正の内容】
【図１】
2005094066.tif 000041
【手続補正４】
【補正対象書類名】図面
【補正対象項目名】図５
【補正方法】変更
【補正の内容】
【図５】
2005094066.tif 000042
【手続補正５】
【補正対象書類名】図面
【補正対象項目名】図９
【補正方法】変更
【補正の内容】
【図９】
2005094066.tif 000043
【手続補正６】
【補正対象書類名】図面
【補正対象項目名】図１０
【補正方法】変更
【補正の内容】
【図１０】
2005094066.tif 000044
【手続補正７】
【補正対象書類名】図面
【補正対象項目名】図１１
【補正方法】変更
【補正の内容】
【図１１】
2005094066.tif 000045
【手続補正８】
【補正対象書類名】図面
【補正対象項目名】図１２
【補正方法】変更
【補正の内容】
【図１２】
2005094066.tif 000046
【手続補正９】
【補正対象書類名】図面
【補正対象項目名】図１３
【補正方法】変更
【補正の内容】
【図１３】
2005094066.tif 000047
【手続補正１０】
【補正対象書類名】図面
【補正対象項目名】図１５
【補正方法】変更
【補正の内容】
【図１５】
2005094066.tif 000048
【手続補正１１】
【補正対象書類名】図面
【補正対象項目名】図１６
【補正方法】変更
【補正の内容】
【図１６】
2005094066.tif 000049
【手続補正１２】
【補正対象書類名】図面
【補正対象項目名】図２０
【補正方法】変更
【補正の内容】
【図２０】
2005094066.tif 000050
【手続補正１３】
【補正対象書類名】図面
【補正対象項目名】図２３
【補正方法】変更
【補正の内容】
【図２３】
2005094066.tif 000051
【手続補正１４】
【補正対象書類名】図面
【補正対象項目名】図２４
【補正方法】変更
【補正の内容】
【図２４】
2005094066.tif 000052
【手続補正１５】
【補正対象書類名】図面
【補正対象項目名】図２５
【補正方法】変更
【補正の内容】
【図２５】
2005094066.tif 000053
【手続補正１６】
【補正対象書類名】図面
【補正対象項目名】図２６
【補正方法】変更
【補正の内容】
【図２６】
2005094066.tif 000054
【手続補正１７】
【補正対象書類名】図面
【補正対象項目名】図２９
【補正方法】変更
【補正の内容】
【図２９】
2005094066.tif 000055
【手続補正１８】
【補正対象書類名】図面
【補正対象項目名】図３０
【補正方法】変更
【補正の内容】
【図３０】
2005094066.tif 000056
【国際調査報告】
2005094066.tif 000057
2005094066.tif 000058
2005094066.tif 000059
2005094066.tif 000060